(57)【要約】  本発明の実施例は、通信分野に関し、データ送信により占有されるコアネットワーク帯域幅リソースを低減するためのデータ送信方法、装置及びシステムを提供する。本方法は、第１基地局が、第１装置により送信されたリクエストメッセージを受信するステップであって、リクエストメッセージは、リクエストされたデータの識別情報と第１装置の識別情報とを含み、第１装置はユーザ装置又は第２基地局を含む、受信するステップと、第１基地局が、リクエストされたデータの識別情報に従って格納されているデータにおいて抽出するステップと、一致したデータが抽出されると、第１基地局が、第１装置の識別情報に従って一致したデータを第１装置に送信するステップであって、一致したデータは、リクエストされたデータの識別情報に一致するデータを表す、送信するステップとを有する。
2016517643.tif 000002
【特許請求の範囲】
【請求項１】
データ送信方法であって、
第１基地局が、第１装置により送信されたリクエストメッセージを受信するステップであって、前記リクエストメッセージは、リクエストされたデータの識別情報と前記第１装置の識別情報とを含み、前記第１装置はユーザ装置又は第２基地局を含む、受信するステップと、
前記第１基地局が、前記リクエストされたデータの識別情報に従って格納されているデータにおいて抽出するステップと、
一致したデータが抽出されると、前記第１基地局が、前記第１装置の識別情報に従って前記一致したデータを前記第１装置に送信するステップであって、前記一致したデータは、前記リクエストされたデータの識別情報に一致するデータを表す、送信するステップと、
を有するデータ送信方法。
【請求項２】
当該方法は更に、
前記第１基地局により一致したデータが抽出されず、前記第１基地局がクラスタヘッドでないとき、モビリティ・マネージメント・エンティティを介しパケット・データ・ネットワーク・ゲートウェイに前記リクエストメッセージを送信するステップであって、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信する、送信するステップと、
前記第１基地局が、前記第１記憶装置の識別情報を受信するステップと、
前記第１基地局が、前記第１記憶装置の識別情報に従って前記第１記憶装置に前記リクエストメッセージを送信するステップであって、前記第１記憶装置は、前記リクエストメッセージを受信した後に、前記リクエストメッセージにおいて前記リクエストされたデータの識別情報に一致する前記格納されている一致したデータを前記第１基地局に送信する、送信するステップと、
前記第１基地局が、前記第１記憶装置により送信された前記一致したデータを受信し、前記一致したデータを前記第１装置に送信するステップと、
を有する、請求項１記載のデータ送信方法。
【請求項３】
当該方法は更に、
前記第１基地局により一致したデータが抽出されず、前記第１基地局がクラスタヘッドであるとき、前記第１基地局が、前記リクエストされたデータの識別情報に従って、前記一致したデータが格納される第２記憶装置を決定し、前記第２記憶装置の識別情報を取得するステップと、
前記第１基地局が、前記第２記憶装置の識別情報に従って前記第２記憶装置に前記リクエストメッセージを送信するステップであって、前記第２記憶装置は、前記リクエストされたデータの識別情報に従って前記一致したデータを取得し、前記一致したデータを前記第１基地局に送信する、送信するステップと、
前記第１基地局が、前記第２記憶装置により送信された前記一致したデータを受信するステップと、
前記第１基地局が、前記一致したデータを前記第１装置に送信するステップと、
を有する、請求項１記載のデータ送信方法。
【請求項４】
当該方法は更に、
前記第１基地局によって一致したデータが抽出されず、前記第１基地局がクラスタヘッドであるとき、前記第１基地局が、前記リクエストされたデータの識別情報に従って、前記リクエストされたデータの識別情報に一致する前記一致したデータが格納される第３記憶装置を決定し、前記第３記憶装置の識別情報を取得するステップと、
前記第１基地局が、前記第３記憶装置の識別情報を前記第１装置に送信するステップであって、前記第１装置は、前記第３記憶装置の識別情報に従って前記第３記憶装置から前記一致したデータを取得する、送信するステップと、
を有する、請求項１記載のデータ送信方法。
【請求項５】
前記第１基地局が第１装置により送信されたリクエストメッセージを受信した後、当該方法は更に、
前記第１基地局が、前記リクエストメッセージが受信された回数を決定するステップと、
前記リクエストメッセージが受信された回数が第１閾値より大きいと判断されると、前記第１基地局が、前記一致したデータをクラスタにコピーする際に許容される最大コピー数と、前記一致したデータが前記クラスタにすでに格納された回数とを取得するステップと、
前記一致したデータが前記クラスタにすでに格納された回数が、前記一致したデータを前記クラスタにコピーする際に許容される最大コピー数未満であるとき、前記第１基地局が、前記一致したデータを格納し、前記一致したデータが前記クラスタにすでに格納された回数を更新するステップと、
を有する、請求項２乃至４何れか一項記載のデータ送信方法。
【請求項６】
前記第１基地局が、前記一致したデータをクラスタにコピーする際に許容される最大コピー数と、前記一致したデータが前記クラスタにすでに格納された回数とを取得するステップは、
前記第１基地局がクラスタヘッドでない場合、前記第１基地局が、クラスタヘッドを利用することによって、前記一致したデータを前記クラスタにコピーする際に許容される最大コピー数と、前記一致したデータが前記クラスタにすでに格納された回数とを取得するステップを有し、
前記第１基地局が前記一致したデータが前記クラスタにすでに格納された回数を更新した後、当該方法は更に、
前記第１基地局が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップを有する、請求項５記載のデータ送信方法。
【請求項７】
前記第１基地局が前記一致したデータを格納するステップは、
前記第１基地局が、フリーの記憶スペースのサイズが前記一致したデータのサイズより大きいか判断するステップと、
前記フリーの記憶スペースのサイズが前記一致したデータのサイズより大きい場合、前記第１基地局が、前記一致したデータを直接格納するステップと、
前記フリーの記憶スペースのサイズが前記一致したデータのサイズより大きくない場合、前記第１基地局が、最も最近利用されていないアルゴリズムに従って前記フリーの記憶スペースを更新し、前記一致したデータを前記更新されたフリーの記憶スペースに格納するステップと、
を有する、請求項５又は６記載のデータ送信方法。
【請求項８】
前記第１基地局が第１装置により送信されたリクエストメッセージを受信した後、当該方法は更に、
前記第１基地局がクラスタヘッドであるとき、前記第１基地局が、前記クラスタにすでに格納された前記一致したデータのサービス状態をモニタリングするステップであって、前記サービス状態は、サービス成功状態とサービス失敗状態とを有し、前記サービス成功状態は前記一致したデータが前記第１装置に送信されたことを表し、前記サービス失敗状態は前記一致したデータが前記第１装置に送信されないことを表す、モニタリングするステップと、
前記第１基地局が、前記一致したデータのサービス状態に従って、前記一致したデータのサービス失敗状態の個数と、前記クラスタにおける受信したリクエストメッセージの合計数とをカウントするステップと、
前記第１基地局が、前記一致したデータのサービス失敗状態のカウントされた個数と、前記クラスタにおける受信したリクエストメッセージの合計数とを比較するステップと、
前記第１基地局が、比較結果に従って前記一致したデータをコピーする際に許容される最大コピー数を更新するステップと、
を有する、請求項１乃至７何れか一項記載のデータ送信方法。
【請求項９】
前記第１基地局が、比較結果に従って前記一致したデータをコピーする際に許容される最大コピー数を更新するステップは、
前記比較結果が第２閾値より大きい場合、前記第１基地局が、前記一致したデータをコピーする際に許容される最大コピー数を増加するステップと、
前記比較結果が第３閾値より小さい場合、前記第１基地局が、前記一致したデータをコピーする際に許容される最大コピー数を減少するステップと、
を有する、請求項８記載のデータ送信方法。
【請求項１０】
データ送信方法であって、
ユーザ装置が、リクエストメッセージを第１基地局に送信し、前記リクエストメッセージは、リクエストされたデータの識別情報と前記ユーザ装置の識別情報とを含み、前記第１基地局は、前記リクエストされたデータの識別情報に従って前記第１基地局に格納されたデータにおいて抽出し、一致したデータが前記第１基地局に格納及び抽出された場合、前記第１基地局が、前記一致したデータを前記ユーザ装置に直接送信するステップであって、前記一致したデータは、前記リクエストされたデータの識別情報に一致するデータを表す、送信するステップと、
前記ユーザ装置が、前記リクエストメッセージに応答して、前記第１基地局により送信されたレスポンスメッセージを受信し、前記レスポンスメッセージに従って対応する処理を実行するステップと、
を有するデータ送信方法。
【請求項１１】
前記レスポンスメッセージは、前記一致したデータを有し、
前記ユーザ装置が、前記リクエストメッセージに応答して、前記第１基地局により送信されたレスポンスメッセージを受信し、前記レスポンスメッセージに従って対応する処理を実行するステップは、
前記ユーザ装置が、前記第１基地局により送信された前記一致したデータを受信し、前記一致したデータに従って前記対応する処理を実行するステップを有する、請求項１０記載のデータ送信方法。
【請求項１２】
前記リクエストメッセージに応答した前記レスポンスメッセージは、前記一致したデータが格納される第３記憶装置の識別情報を有し、
前記ユーザ装置が、前記リクエストメッセージに応答して、前記第１基地局により送信されたレスポンスメッセージを受信し、前記レスポンスメッセージに従って対応する処理を実行するステップは、
前記ユーザ装置が、前記第１基地局により送信された、前記一致したデータが格納される第３記憶装置の識別情報を受信するステップと、
前記ユーザ装置が、前記第３記憶装置の識別情報に従って前記第３記憶装置から前記一致したデータを取得するステップと、
を有する、請求項１０記載のデータ送信方法。
【請求項１３】
前記ユーザ装置がリクエストメッセージを第１基地局に送信した後、当該方法は更に、
前記ユーザ装置が、前記リクエストメッセージが前記第１基地局に送信された回数を決定するステップと、
前記リクエストメッセージが前記第１基地局に送信された回数が第１閾値より大きいと判断されると、前記ユーザ装置が、前記一致したデータをクラスタにコピーする際に許容される最大コピー数と、前記一致したデータが前記クラスタにすでに格納された回数とをクラスタヘッドから取得するステップと、
前記一致したデータが前記クラスタにすでに格納された回数が、前記一致したデータを前記クラスタにコピーする際に許容される最大コピー数未満である場合、前記ユーザ装置が、前記一致したデータを格納し、前記一致したデータが前記クラスタにすでに格納された回数を更新するステップと、
前記ユーザ装置が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップと、
を有する、請求項１０乃至１２何れか一項記載のデータ送信方法。
【請求項１４】
基地局であって、
第１装置により送信されたリクエストメッセージを受信するよう構成される送受信ユニットであって、前記リクエストメッセージは、リクエストされたデータの識別情報と前記第１装置の識別情報とを含み、前記第１装置はユーザ装置又は第２基地局を有する、送受信ユニットと、
前記送受信ユニットにより受信された、前記リクエストされたデータの識別情報に従って格納されているデータにおいて抽出するよう構成される抽出ユニットと、
前記抽出ユニットによって一致したデータが抽出されると、前記第１装置の識別情報に従って前記一致したデータを前記第１装置に送信するよう前記送受信ユニットをトリガするよう構成される処理ユニットであって、前記一致したデータは前記リクエストされたデータの識別情報に一致するデータを表す、処理ユニットと、
を有する基地局。
【請求項１５】
前記処理ユニットは更に、前記抽出ユニットにより一致したデータが抽出されず、当該基地局がクラスタヘッドでないとき、モビリティ・マネージメント・エンティティを介しパケット・データ・ネットワーク・ゲートウェイに前記リクエストメッセージを送信するよう前記送受信ユニットをトリガするよう構成され、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信し、
前記送受信ユニットは更に、前記第１記憶装置の識別情報を受信するよう構成され、
前記送受信ユニットは更に、前記第１記憶装置の識別情報に従って前記第１記憶装置に前記リクエストメッセージを送信するよう構成され、前記第１記憶装置は、前記リクエストメッセージを受信した後、前記リクエストメッセージにおける前記リクエストされたデータの識別情報に一致する前記格納された一致したデータを当該基地局に送信し、
前記送受信ユニットは更に、前記第１記憶装置により送信された前記一致したデータを受信し、前記一致したデータを前記第１装置に送信するよう構成される、請求項１４記載の基地局。
【請求項１６】
前記処理ユニットは更に、前記抽出ユニットによって一致したデータが抽出されず、当該基地局がクラスタヘッドであるとき、前記リクエストされたデータの識別情報に従って、前記一致したデータが格納される第２記憶装置を決定し、前記第２記憶装置の識別情報を取得するよう構成され、
前記送受信ユニットは更に、前記処理ユニットによって取得された、前記第２記憶装置の識別情報に従って前記リクエストメッセージを前記第２記憶装置に送信するよう構成され、前記第２記憶装置は、前記リクエストされたデータの識別情報に従って前記一致したデータを取得し、前記一致したデータを当該基地局に送信するよう構成され、
前記送受信ユニットは更に、前記第２記憶装置により送信された前記一致したデータを受信するよう構成され、
前記送受信ユニットは更に、前記一致したデータを前記第１装置に送信するよう構成される、請求項１４記載の基地局。
【請求項１７】
前記処理ユニットは更に、前記抽出ユニットによって一致したデータが抽出されず、当該基地局がクラスタヘッドであるとき、前記リクエストされたデータの識別情報に従って、前記リクエストされたデータの識別情報に一致する前記一致したデータが格納される第３記憶装置を決定し、前記第３記憶装置の識別情報を取得するよう構成され、
前記送受信ユニットは更に、前記処理ユニットにより取得された、前記第３記憶装置の識別情報を前記第１装置に送信するよう構成され、前記第１装置は、前記第３記憶装置の識別情報に従って前記第３記憶装置から前記一致したデータを取得する、請求項１５記載の基地局。
【請求項１８】
前記リクエストメッセージが受信された回数を決定するよう構成される決定ユニットを更に有し、
前記処理ユニットは更に、前記リクエストメッセージが受信された回数が第１閾値より大きいと判断されると、前記一致したデータをクラスタにコピーする際に許容される最大コピー数と、前記一致したデータが前記クラスタにすでに格納された回数とを取得するよう構成され、
前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成される、請求項１５乃至１７何れか一項記載の基地局。
【請求項１９】
前記処理ユニットは更に、当該基地局がクラスタヘッドでないとき、クラスタヘッドを利用することによって、前記一致したデータを前記クラスタにコピーする際に許容される最大コピー数と、前記一致したデータが前記クラスタにすでに格納された回数とを取得するよう構成され、
前記送受信ユニットは更に、前記一致したデータが前記クラスタにすでに格納された回数を前記クラスタヘッドに送信するよう構成され、前記回数は前記処理ユニットによって更新され、前記クラスタヘッドは、前記一致したデータが前記クラスタにすでに格納された回数を更新する、請求項１８記載の基地局。
【請求項２０】
前記決定ユニットは更に、フリーの記憶スペースのサイズが前記一致したデータのサイズより大きいか判断するよう構成され、
前記処理ユニットは更に、前記決定ユニットが、前記フリーの記憶スペースのサイズが前記一致したデータのサイズより大きいと判断すると、前記一致したデータを直接格納し、前記決定ユニットが、前記フリーの記憶スペースのサイズが前記一致したデータのサイズより大きくないと判断すると、最も最近利用されていないアルゴリズムに従って前記フリーの記憶スペースを更新し、前記更新されたフリーの記憶スペースに前記一致したデータを格納するよう構成される、請求項１８又は１９記載の基地局。
【請求項２１】
当該基地局がクラスタヘッドであるとき、前記クラスタにすでに格納される前記一致したデータのサービス状態をモニタリングするよう構成されるモニタリングユニットであって、前記サービス状態は、サービス成功状態とサービス失敗状態とを有し、前記サービス成功状態は、前記一致したデータが前記第１装置に送信されることを表し、前記サービス失敗状態は、前記一致したデータが前記第１装置に送信されないことを表す、モニタリングユニットと、
前記一致したデータのサービス状態に従って、前記一致したデータのサービス失敗状態の回数と、前記クラスタにおける受信されたリクエストメッセージの合計数とをカウントするよう構成されるカウントユニットと、
前記カウントユニットによりカウントされた前記一致したデータのサービス失敗状態の個数と、前記クラスタにおける受信したリクエストメッセージの合計数とを比較するよう構成される比較ユニットと、
前記比較ユニットにより決定される比較結果に従って前記一致したデータをコピーする際に許容される最大コピー数を更新するよう構成される更新ユニットと、
を更に有する、請求項１４乃至２０何れか一項記載の基地局。
【請求項２２】
前記更新ユニットは、具体的には、前記比較ユニットにより決定された比較結果が第２閾値より大きいとき、前記一致したデータをコピーする際に許容される最大コピー数を増加し、前記比較結果が第３閾値より小さいとき、前記一致したデータをコピーする際に許容される最大コピー数を減少するよう構成される、請求項２１記載の基地局。
【請求項２３】
ユーザ装置であって、
リクエストメッセージを第１基地局に送信するよう構成される送受信ユニットであって、前記リクエストメッセージは、リクエストされたデータの識別情報と当該ユーザ装置の識別情報とを含み、前記第１基地局は、前記リクエストされたデータの識別情報に従って前記第１基地局に格納されているデータにおいて抽出し、一致したデータが前記第１基地局に格納及び抽出された場合、前記第１基地局は、前記一致したデータを当該ユーザ装置に直接送信し、前記一致したデータは、前記リクエストされたデータの識別情報に一致するデータを表し、前記送受信ユニットは更に、前記データリクエストメッセージに応答して前記第１基地局により送信されたレスポンスメッセージを受信するよう構成される、送受信ユニットと、
前記送受信ユニットにより受信されたレスポンスメッセージに従って対応する処理を実行するよう構成される処理ユニットと、
を有するユーザ装置。
【請求項２４】
前記レスポンスメッセージは、前記一致したデータを有し、
前記送受信ユニットは、具体的には、前記第１基地局により送信された前記一致したデータを受信するよう構成され、
前記処理ユニットは、具体的には、前記送受信ユニットにより受信された前記一致したデータに従って前記対応する処理を実行するよう構成される、請求項２３記載のユーザ装置。
【請求項２５】
前記レスポンスメッセージは、前記一致したデータが格納される第３記憶装置の識別情報を有し、
前記送受信ユニットは、具体的には、前記第１基地局により送信された、前記一致したデータが格納される第３記憶装置の識別情報を受信するよう構成され、
前記処理ユニットは、具体的には、前記送受信ユニットにより受信された、前記第３記憶装置の識別情報に従って、前記第３記憶装置から前記一致したデータを取得するよう構成される、請求項２３記載のユーザ装置。
【請求項２６】
前記リクエストメッセージが前記第１基地局に送信された回数を決定するよう構成される決定ユニットを更に有し、
前記処理ユニットは更に、前記リクエストメッセージが前記第１基地局に送信された回数が第１閾値より大きいと判断されると、前記一致したデータをクラスタにコピーする際に許容される最大コピー数と、前記一致したデータが前記クラスタにすでに格納された回数とをクラスタヘッドから取得するよう構成され、
前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成され、
前記送受信ユニットは更に、前記一致したデータが前記クラスタにすでに格納された回数を前記クラスタヘッドに送信するよう構成され、前記回数は前記処理ユニットにより更新され、前記クラスタヘッドは、前記一致したデータが前記クラスタにすでに格納された回数を更新する、請求項２３又は２４記載のユーザ装置。
【請求項２７】
モビリティ・マネージメント・エンティティ、パケット・データ・ネットワーク・ゲートウェイ、少なくとも１つの基地局及び少なくとも１つのユーザ装置を有するデータ送信システムであって、
前記基地局は、請求項１４乃至２２何れか一項記載の基地局であり、
前記ユーザ装置は、請求項２３乃至２６何れか一項記載のユーザ装置であるデータ送信システム。
【発明の詳細な説明】
【技術分野】
【０００１】
本発明は、通信分野に関し、特にデータ送信方法、装置及びシステムに関する。
【背景技術】
【０００２】
モバイル通信ネットワークの発展によって、モバイル通信システムは、ブロードバンドベース、扁平的及びＩＰ（Ｉｎｔｅｒｎｅｔ  Ｐｒｏｔｏｃｏｌ、インターネットプロトコル）ベースになるよう徐々に進化し、これは、データ及びビデオサービスの効果的な送信のためのより良好な状態と、ユーザのアプリケーション体感の向上とを提供する。従来技術では、コアネットワーク及び無線インタフェースの帯域幅の浪費を低減するため、ビデオはＨＴＴＰ（ＨｙｐｅｒＴｅｘｔ  Ｔｒａｎｓｐｏｒｔ  Ｐｒｏｔｏｃｏｌ、ハイパーテキスト・トランスポート・プロトコル）ストリーム方式で送信される。ＨＴＴＰストリーム方式では、ビデオコンテンツの符号化方式はチャネルの状態に従って調整される。チャネルが相対的に良好な状態にある場合、相対的に高いデータレートでビデオコンテンツが送信され、チャネルが相対的に不良な状態にある場合、相対的に低いデータレートでビデオコンテンツが送信される。
【０００３】
ＨＴＴＰストリーム方式でビデオを送信する処理において、異なるユーザの端末が同一のビデオコンテンツにアクセスするとき、ビデオサーバは、同一のビデオコンテンツを異なるユーザの端末に別々に送信する必要がある。送信されたビデオコンテンツは、コアネットワークの帯域幅を繰り返し占有し、コアネットワークの帯域幅の浪費を低減する効果は自明でない。
【発明の概要】
【０００４】
本発明の実施例は、データ送信により占有されるコアネットワーク帯域幅リソースを低減するためのデータ送信方法、装置及びシステムを提供する。
【０００５】
上記の課題を達成するため、以下の技術的方策が本発明の実施例において利用される。
【０００６】
第１の態様によると、本発明の実施例は、データ送信方法であって、第１基地局が、第１装置により送信されたリクエストメッセージを受信するステップであって、前記リクエストメッセージは、リクエストされたデータの識別情報と前記第１装置の識別情報とを含み、前記第１装置はユーザ装置又は第２基地局を含む、受信するステップと、前記第１基地局が、前記リクエストされたデータの識別情報に従って格納されているデータにおいて抽出するステップと、一致したデータが抽出されると、前記第１基地局が、前記第１装置の識別情報に従って前記一致したデータを前記第１装置に送信するステップであって、前記一致したデータは、前記リクエストされたデータの識別情報に一致するデータを表す、送信するステップと、を有するデータ送信方法を提供する。
【０００７】
第１の態様の第１の可能な実現方式では、当該方法は更に、前記第１基地局により一致したデータが抽出されず、前記第１基地局がクラスタヘッドでないとき、モビリティ・マネージメント・エンティティを介しパケット・データ・ネットワーク・ゲートウェイに前記リクエストメッセージを送信するステップであって、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信する、送信するステップと、前記第１基地局が、前記第１記憶装置の識別情報を受信するステップと、前記第１基地局が、前記第１記憶装置の識別情報に従って前記第１記憶装置に前記リクエストメッセージを送信するステップであって、前記第１記憶装置は、前記リクエストメッセージを受信した後に、前記リクエストメッセージにおいて前記リクエストされたデータの識別情報に一致する前記格納されている一致したデータを前記第１基地局に送信する、送信するステップと、前記第１基地局が、前記第１記憶装置により送信された前記一致したデータを受信し、前記一致したデータを前記第１装置に送信するステップと、を有する。
【０００８】
第１の態様を参照して、第２の可能な実現方式では、当該方法は更に、前記第１基地局により一致したデータが抽出されず、前記第１基地局がクラスタヘッドであるとき、前記第１基地局が、前記リクエストされたデータの識別情報に従って、前記一致したデータが格納される第２記憶装置を決定し、前記第２記憶装置の識別情報を取得するステップと、前記第１基地局が、前記第２記憶装置の識別情報に従って前記第２記憶装置に前記リクエストメッセージを送信するステップであって、前記第２記憶装置は、前記リクエストされたデータの識別情報に従って前記一致したデータを取得し、前記一致したデータを前記第１基地局に送信する、送信するステップと、前記第１基地局が、前記第２記憶装置により送信された前記一致したデータを受信するステップと、前記第１基地局が、前記一致したデータを前記第１装置に送信するステップと、を有する。
【０００９】
第１の態様を参照して、第３の可能な実現方式では、当該方法は更に、前記第１基地局によって一致したデータが抽出されず、前記第１基地局がクラスタヘッドであるとき、前記第１基地局が、前記リクエストされたデータの識別情報に従って、前記リクエストされたデータの識別情報に一致する前記一致したデータが格納される第３記憶装置を決定し、前記第３記憶装置の識別情報を取得するステップと、前記第１基地局が、前記第３記憶装置の識別情報を前記第１装置に送信するステップであって、前記第１装置は、前記第３記憶装置の識別情報に従って前記第３記憶装置から前記一致したデータを取得する、送信するステップと、を有する。
【００１０】
第１の態様の第１の可能な実現方式、第１の態様の第２の可能な実現方式又は第１の態様の第３の可能な実現方式を参照して、第４の可能な実現方式では、前記第１基地局が第１装置により送信されたリクエストメッセージを受信した後、当該方法は更に、前記第１基地局が、前記リクエストメッセージが受信された回数を決定するステップと、前記リクエストメッセージが受信された回数が第１閾値より大きいと判断されると、前記第１基地局が、前記一致したデータをクラスタにコピーする際に許容される最大コピー数と、前記一致したデータが前記クラスタにすでに格納された回数とを取得するステップと、前記一致したデータが前記クラスタにすでに格納された回数が、前記一致したデータを前記クラスタにコピーする際に許容される最大コピー数未満であるとき、前記第１基地局が、前記一致したデータを格納し、前記一致したデータが前記クラスタにすでに格納された回数を更新するステップと、を有する。
【００１１】
第１の態様の第４の可能な実現方式を参照して、第５の可能な実現方式では、前記第１基地局が、前記一致したデータをクラスタにコピーする際に許容される最大コピー数と、前記一致したデータが前記クラスタにすでに格納された回数とを取得するステップは、前記第１基地局がクラスタヘッドでない場合、前記第１基地局が、クラスタヘッドを利用することによって、前記一致したデータを前記クラスタにコピーする際に許容される最大コピー数と、前記一致したデータが前記クラスタにすでに格納された回数とを取得するステップを有し、前記第１基地局が前記一致したデータが前記クラスタにすでに格納された回数を更新した後、当該方法は更に、前記第１基地局が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップを有する。
【００１２】
第１の態様の第４の可能な実現方式又は第１の態様の第５の可能な実現方式を参照して、第６の可能な実現方式では、前記第１基地局が前記一致したデータを格納するステップは、前記第１基地局が、フリーの記憶スペースのサイズが前記一致したデータのサイズより大きいか判断するステップと、前記フリーの記憶スペースのサイズが前記一致したデータのサイズより大きい場合、前記第１基地局が、前記一致したデータを直接格納するステップと、前記フリーの記憶スペースのサイズが前記一致したデータのサイズより大きくない場合、前記第１基地局が、最も最近利用されていないアルゴリズムに従って前記フリーの記憶スペースを更新し、前記一致したデータを前記更新されたフリーの記憶スペースに格納するステップと、を有する。
【００１３】
第２の態様によると、本発明の実施例は、データ送信方法であって、ユーザ装置が、リクエストメッセージを第１基地局に送信し、前記リクエストメッセージは、リクエストされたデータの識別情報と前記ユーザ装置の識別情報とを含み、前記第１基地局は、前記リクエストされたデータの識別情報に従って前記第１基地局に格納されたデータにおいて抽出し、一致したデータが前記第１基地局に格納及び抽出された場合、前記第１基地局が、前記一致したデータを前記ユーザ装置に直接送信するステップであって、前記一致したデータは、前記リクエストされたデータの識別情報に一致するデータを表す、送信するステップと、前記ユーザ装置が、前記リクエストメッセージに応答して、前記第１基地局により送信されたレスポンスメッセージを受信し、前記レスポンスメッセージに従って対応する処理を実行するステップと、を有するデータ送信方法を提供する。
【００１４】
第２の態様の第１の可能な実現方式では、前記レスポンスメッセージは、前記一致したデータを有し、前記ユーザ装置が、前記リクエストメッセージに応答して、前記第１基地局により送信されたレスポンスメッセージを受信し、前記レスポンスメッセージに従って対応する処理を実行するステップは、前記ユーザ装置が、前記第１基地局により送信された前記一致したデータを受信し、前記一致したデータに従って前記対応する処理を実行するステップを有する。
【００１５】
第２の態様を参照して、第２の可能な実現方式では、前記リクエストメッセージに応答した前記レスポンスメッセージは、前記一致したデータが格納される第３記憶装置の識別情報を有し、前記ユーザ装置が、前記リクエストメッセージに応答して、前記第１基地局により送信されたレスポンスメッセージを受信し、前記レスポンスメッセージに従って対応する処理を実行するステップは、前記ユーザ装置が、前記第１基地局により送信された、前記一致したデータが格納される第３記憶装置の識別情報を受信するステップと、前記ユーザ装置が、前記第３記憶装置の識別情報に従って前記第３記憶装置から前記一致したデータを取得するステップと、を有する。
【００１６】
第２の態様、第２の態様の第１の可能な実現方式又は第２の態様の第２の可能な実現方式を参照して、第３の可能な実現方式では、前記ユーザ装置がリクエストメッセージを第１基地局に送信した後、当該方法は更に、前記ユーザ装置が、前記リクエストメッセージが前記第１基地局に送信された回数を決定するステップと、前記リクエストメッセージが前記第１基地局に送信された回数が第１閾値より大きいと判断されると、前記ユーザ装置が、前記一致したデータをクラスタにコピーする際に許容される最大コピー数と、前記一致したデータが前記クラスタにすでに格納された回数とをクラスタヘッドから取得するステップと、前記一致したデータが前記クラスタにすでに格納された回数が、前記一致したデータを前記クラスタにコピーする際に許容される最大コピー数未満である場合、前記ユーザ装置が、前記一致したデータを格納し、前記一致したデータが前記クラスタにすでに格納された回数を更新するステップと、前記ユーザ装置が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップと、を有する。
【００１７】
第３の態様によると、本発明の実施例は、基地局であって、第１装置により送信されたリクエストメッセージを受信するよう構成される送受信ユニットであって、前記リクエストメッセージは、リクエストされたデータの識別情報と前記第１装置の識別情報とを含み、前記第１装置はユーザ装置又は第２基地局を有する、送受信ユニットと、前記送受信ユニットにより受信された、前記リクエストされたデータの識別情報に従って格納されているデータにおいて抽出するよう構成される抽出ユニットと、前記抽出ユニットによって一致したデータが抽出されると、前記第１装置の識別情報に従って前記一致したデータを前記第１装置に送信するよう前記送受信ユニットをトリガするよう構成される処理ユニットであって、前記一致したデータは前記リクエストされたデータの識別情報に一致するデータを表す、処理ユニットと、を有する基地局を提供する。
【００１８】
第３の態様の第１の可能な実現方式では、前記処理ユニットは更に、前記抽出ユニットにより一致したデータが抽出されず、当該基地局がクラスタヘッドでないとき、モビリティ・マネージメント・エンティティを介しパケット・データ・ネットワーク・ゲートウェイに前記リクエストメッセージを送信するよう前記送受信ユニットをトリガするよう構成され、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信し、前記送受信ユニットは更に、前記第１記憶装置の識別情報を受信するよう構成され、前記送受信ユニットは更に、前記第１記憶装置の識別情報に従って前記第１記憶装置に前記リクエストメッセージを送信するよう構成され、前記第１記憶装置は、前記リクエストメッセージを受信した後、前記リクエストメッセージにおける前記リクエストされたデータの識別情報に一致する前記格納された一致したデータを当該基地局に送信し、前記送受信ユニットは更に、前記第１記憶装置により送信された前記一致したデータを受信し、前記一致したデータを前記第１装置に送信するよう構成される。
【００１９】
第３の態様を参照して、第２の可能な実現方式では、前記処理ユニットは更に、前記抽出ユニットによって一致したデータが抽出されず、当該基地局がクラスタヘッドであるとき、前記リクエストされたデータの識別情報に従って、前記一致したデータが格納される第２記憶装置を決定し、前記第２記憶装置の識別情報を取得するよう構成され、前記送受信ユニットは更に、前記処理ユニットによって取得された、前記第２記憶装置の識別情報に従って前記リクエストメッセージを前記第２記憶装置に送信するよう構成され、前記第２記憶装置は、前記リクエストされたデータの識別情報に従って前記一致したデータを取得し、前記一致したデータを当該基地局に送信するよう構成され、前記送受信ユニットは更に、前記第２記憶装置により送信された前記一致したデータを受信するよう構成され、前記送受信ユニットは更に、前記一致したデータを前記第１装置に送信するよう構成される。
【００２０】
第３の態様を参照して、第３の可能な実現方式では、前記処理ユニットは更に、前記抽出ユニットによって一致したデータが抽出されず、当該基地局がクラスタヘッドであるとき、前記リクエストされたデータの識別情報に従って、前記リクエストされたデータの識別情報に一致する前記一致したデータが格納される第３記憶装置を決定し、前記第３記憶装置の識別情報を取得するよう構成され、前記送受信ユニットは更に、前記処理ユニットにより取得された、前記第３記憶装置の識別情報を前記第１装置に送信するよう構成され、前記第１装置は、前記第３記憶装置の識別情報に従って前記第３記憶装置から前記一致したデータを取得する。
【００２１】
第３の態様の第１の可能な実現方式、第３の態様の第２の可能な実現方式又は第３の態様の第３の可能な実現方式を参照して、第４の可能な実現方式では、当該基地局は更に、前記リクエストメッセージが受信された回数を決定するよう構成される決定ユニットを有し、前記処理ユニットは更に、前記リクエストメッセージが受信された回数が第１閾値より大きいと判断されると、前記一致したデータをクラスタにコピーする際に許容される最大コピー数と、前記一致したデータが前記クラスタにすでに格納された回数とを取得するよう構成され、前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成される。
【００２２】
第３の態様の第４の可能な実現方式を参照して、第５の可能な実現方式では、前記処理ユニットは更に、当該基地局がクラスタヘッドでないとき、クラスタヘッドを利用することによって、前記一致したデータを前記クラスタにコピーする際に許容される最大コピー数と、前記一致したデータが前記クラスタにすでに格納された回数とを取得するよう構成され、前記送受信ユニットは更に、前記一致したデータが前記クラスタにすでに格納された回数を前記クラスタヘッドに送信するよう構成され、前記回数は前記処理ユニットによって更新され、前記クラスタヘッドは、前記一致したデータが前記クラスタにすでに格納された回数を更新する。
【００２３】
第３の態様の第４の可能な実現方式又は第３の態様の第５の可能な実現方式を参照して、第６の可能な実現方式では、前記決定ユニットは更に、フリーの記憶スペースのサイズが前記一致したデータのサイズより大きいか判断するよう構成され、前記処理ユニットは更に、前記決定ユニットが、前記フリーの記憶スペースのサイズが前記一致したデータのサイズより大きいと判断すると、前記一致したデータを直接格納し、前記決定ユニットが、前記フリーの記憶スペースのサイズが前記一致したデータのサイズより大きくないと判断すると、最も最近利用されていないアルゴリズムに従って前記フリーの記憶スペースを更新し、前記更新されたフリーの記憶スペースに前記一致したデータを格納するよう構成される。
【００２４】
第４の態様によると、本発明の実施例は、ユーザ装置であって、リクエストメッセージを第１基地局に送信するよう構成される送受信ユニットであって、前記リクエストメッセージは、リクエストされたデータの識別情報と当該ユーザ装置の識別情報とを含み、前記第１基地局は、前記リクエストされたデータの識別情報に従って前記第１基地局に格納されているデータにおいて抽出し、一致したデータが前記第１基地局に格納及び抽出された場合、前記第１基地局は、前記一致したデータを当該ユーザ装置に直接送信し、前記一致したデータは、前記リクエストされたデータの識別情報に一致するデータを表し、前記送受信ユニットは更に、前記データリクエストメッセージに応答して前記第１基地局により送信されたレスポンスメッセージを受信するよう構成される、送受信ユニットと、前記送受信ユニットにより受信されたレスポンスメッセージに従って対応する処理を実行するよう構成される処理ユニットと、を有するユーザ装置を提供する。
【００２５】
第４の態様の第１の可能な実現方式では、前記レスポンスメッセージは、前記一致したデータを有し、前記送受信ユニットは、具体的には、前記第１基地局により送信された前記一致したデータを受信するよう構成され、前記処理ユニットは、具体的には、前記送受信ユニットにより受信された前記一致したデータに従って前記対応する処理を実行するよう構成される。
【００２６】
第４の態様を参照して、第２の可能な実現方式では、前記レスポンスメッセージは、前記一致したデータが格納される第３記憶装置の識別情報を有し、前記送受信ユニットは、具体的には、前記第１基地局により送信された、前記一致したデータが格納される第３記憶装置の識別情報を受信するよう構成され、前記処理ユニットは、具体的には、前記送受信ユニットにより受信された、前記第３記憶装置の識別情報に従って、前記第３記憶装置から前記一致したデータを取得するよう構成される。
【００２７】
第４の態様、第４の態様の第１の可能な実現方式又は第４の態様の第２の可能な実現方式を参照して、第３の可能な実現方式では、当該ユーザ装置は更に、前記リクエストメッセージが前記第１基地局に送信された回数を決定するよう構成される決定ユニットを有し、前記処理ユニットは更に、前記リクエストメッセージが前記第１基地局に送信された回数が第１閾値より大きいと判断されると、前記一致したデータをクラスタにコピーする際に許容される最大コピー数と、前記一致したデータが前記クラスタにすでに格納された回数とをクラスタヘッドから取得するよう構成され、前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成され、前記送受信ユニットは更に、前記一致したデータが前記クラスタにすでに格納された回数を前記クラスタヘッドに送信するよう構成され、前記回数は前記処理ユニットにより更新され、前記クラスタヘッドは、前記一致したデータが前記クラスタにすでに格納された回数を更新する。
【００２８】
第５の態様によると、本発明の実施例は、モビリティ・マネージメント・エンティティ、パケット・データ・ネットワーク・ゲートウェイ、少なくとも１つの基地局及び少なくとも１つのユーザ装置を有するデータ送信システムであって、前記基地局は、上記の実施例に記載された基地局であり、前記ユーザ装置は、上記の実施例に記載されたユーザ装置であるデータ送信システムを提供する。
【００２９】
本発明の実施例は、データ送信方法、装置及びシステムを提供する。第１装置により送信されたリクエストメッセージを受信した後、第１基地局は、リクエストメッセージにおけるリクエストされたデータの識別情報に従って格納されているデータにおいて抽出し、第１基地局に一致したデータが存在する場合、第１基地局は、一致したデータを第１装置に直接送信する。このようにして、データは基地局サイドに格納され、従って、基地局によりサービス提供される異なるユーザ装置が同一のデータをリクエストすると、基地局は、一致したデータを異なるユーザ装置に送信してもよく、ネットワークサイドにリクエストメッセージを送信する必要はなく、ネットワークサイドが同じデータ情報を異なるユーザ装置に送信するための複数の同一のリンクを確立することが不要であり、これにより、データ送信により占有されるコアネットワーク帯域幅リソースを低減する。さらに、データは基地局サイドからユーザ装置に直接送信され、ユーザ装置の待機時間を低減し、ユーザ体感を向上させる。
【図面の簡単な説明】
【００３０】
本発明の実施例又は従来技術における技術的方策をより明確に説明するため、以下において、実施例又は従来技術を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【図１】図１は、本発明の実施例によるデータ送信方法の概略図である。
【図２】図２は、本発明の実施例による他のデータ送信方法の概略図である。
【図３】図３は、本発明の実施例による他のデータ送信方法の概略図である。
【図４】図４は、本発明の実施例による他のデータ送信方法の概略図である。
【図５】図５は、本発明の実施例による他のデータ送信方法の概略図である。
【図６】図６は、本発明の実施例による他のデータ送信方法の概略図である。
【図７】図７は、本発明の実施例によるデータ送信のネットワーク構造の概略的な構成図である。
【図８】図８は、本発明の実施例によるデータ送信の他のネットワーク構造の概略的な構成図である。
【図９】図９は、本発明の実施例によるデータ記憶方法の概略図である。
【図１０】図１０は、本発明の実施例による他のデータ記憶方法の概略図である。
【図１１】図１１は、本発明の実施例による基地局の概略的な構成図である。
【図１２】図１２は、本発明の実施例による他の基地局の概略的な構成図である。
【図１３】図１３は、本発明の実施例による他の基地局の概略的な構成図である。
【図１４】図１４は、本発明の実施例によるユーザ装置の概略的な構成図である。
【図１５】図１５は、本発明の実施例による他のユーザ装置の概略的な構成図である。
【図１６】図１６は、本発明の実施例による他の基地局の概略的な構成図である。
【図１７】図１７は、本発明の実施例による他のユーザ装置の概略的な構成図である。
【図１８】図１８は、本発明の実施例によるデータ送信システムの概略的な構成図である。
【発明を実施するための形態】
【００３１】
以下、本発明の実施例における添付図面を参照して、本発明の実施例における技術的方策が明確且つ完全に説明される。明らかに、説明される実施例は、本発明の全ての実施例でなく単なる一部である。創作的な努力なく本発明の実施例に基づき当業者により取得される他の全ての実施例は、本発明の保護範囲内に属する。
【００３２】
以下は、添付図面を参照して本発明の実施例におけるデータ送信方法、装置及びシステムを詳細に説明する。
【００３３】
図１に示されるように、本発明の実施例はデータ送信方法を提供し、当該方法は以下のステップを含む。
【００３４】
１０１．第１基地局は、第１装置により送信されたリクエストメッセージを受信する。
【００３５】
当該リクエストメッセージは、リクエストされたデータの識別情報と第１装置の識別情報とを含む。第１装置はＵＥ（Ｕｓｅｒ  Ｅｑｕｉｐｍｅｎｔ、ユーザ装置）又は第２基地局を含む。
【００３６】
具体的には、ＵＥがデータを取得する必要があるとき、ＵＥは、ＵＥの第１基地局にリクエストメッセージを送信し、この場合、第１基地局は、ＵＥにより送信されたリクエストメッセージを受信してもよい。ここでの第１装置はＵＥである。
【００３７】
データは第１基地局に格納される。ＵＥが取得する必要があるリクエストされたデータが格納されているデータに存在するが、リクエストされたデータが第２基地局に格納されていない場合、第２基地局は、リクエストメッセージを第１基地局に送信してもよい。この場合、第２基地局は、第１基地局のリクエスト基地局である。ここでの第１装置は第２基地局である。
【００３８】
第１基地局及び第１装置は同一クラスタにあることが留意されるべきである。
【００３９】
第１基地局に格納されているデータは同一クラスタにおける第１装置にのみアクセス可能であることが留意されるべきである。
【００４０】
本発明の実施例では、クラスタはデータを格納する少なくとも１つの基地局と、少なくとも１つの基地局によりサービス提供されるＵＥとを含むことが留意されるべきである。
【００４１】
１０２．第１基地局は、リクエストされたデータの識別情報に従って格納されているデータにおいて抽出する。
【００４２】
具体的には、データは第１基地局に格納される。リクエストメッセージが受信された後、リクエストメッセージはリクエストされたデータの識別情報を含むため、第１基地局は、リクエストメッセージにおけるリクエストされたデータの識別情報に従って格納されているデータにおいて抽出する。すなわち、第１基地局は、リクエストされたデータの識別情報に従って、格納されているデータの識別情報がリクエストされたデータの識別情報と同じであるかチェックし、それらが同じである場合、それは、対応するデータが第１基地局に格納されていることを示し、それらが異なる場合、それは、対応するデータが第１基地局に格納されていないことを示す。
【００４３】
第１基地局は、以下の方法を利用してデータを格納してもよく、すなわち、第１基地局がリクエストメッセージを受信した後、第１基地局は、リクエストメッセージが受信された回数を決定し、すなわち、第１基地局は、リクエストメッセージが受信された合計回数をカウントする。第１基地局は、リクエストメッセージが受信された取得された回数が第１閾値より大きいか判断し、リクエストメッセージが受信された回数が第１閾値より大きいと判断されると、第１基地局は、一致したデータをクラスタにコピーする際に許容される最大コピー数と、一致したデータがクラスタにすでに格納された回数とを取得し、一致したデータがクラスタにすでに格納された回数が、一致したデータをクラスタにコピーする際に許容される最大コピー数未満であるとき、第１基地局は、一致したデータを格納し、一致したデータがクラスタにすでに格納された回数を更新する。
【００４４】
第１基地局に格納されたデータは、格納された完全なデータコンテンツであってもよいし、又は格納された部分的なデータコンテンツであってもよいことが留意されるべきであり、本発明はこれに限定を設定しない。
【００４５】
例えば、ＵＥがリクエストメッセージを第１基地局に送信し、送信されたリクエストメッセージがビデオリクエストメッセージである場合、この場合、ビデオリクエストメッセージは、ビデオのＩＤ（Ｉｄｅｎｔｉｔｙ、識別番号）などのリクエストされたビデオの識別情報を含む。ビデオリクエストメッセージを受信した後、第１基地局は、ビデオリクエストメッセージにおけるリクエストされたビデオの識別情報に従って格納されているビデオ情報を検索する。
【００４６】
１０３．一致したデータが抽出されると、第１基地局は、第１装置の識別情報に従って一致したデータを第１装置に送信する。
【００４７】
一致したデータは、リクエストされたデータの識別情報に一致するデータを表す。
【００４８】
具体的には、第１基地局は、リクエストメッセージにおけるリクエストされたデータの識別情報に従って格納されたデータにおいて抽出し、一致したデータが抽出された場合、一致したデータを第１装置に送信する。すなわち、ステップ１０１において、ＵＥにより送信されたリクエストメッセージを受信した場合、第１基地局は、一致したデータをＵＥに送信し、第２基地局により送信されたリクエストメッセージを受信した場合、第１基地局は、一致したデータを第２基地局に送信する。
【００４９】
本発明の本実施例はデータ送信方法を提供する。第１装置により送信されたリクエストメッセージを受信した後、第１基地局は、リクエストメッセージにおけるリクエストされたデータの識別情報に従って格納されたデータにおいて抽出し、一致したデータが第１基地局に存在する場合、基地局は、一致したデータを第１装置に直接送信する。このようにして、データは基地局サイドに格納され、従って、基地局によりサービス提供されている異なるユーザ装置が同じデータをリクエストすると、基地局は、一致したデータを異なるユーザ装置に送信してもよく、ネットワークサイドにリクエストメッセージを送信することが不要であり、同じデータ情報を異なるユーザ装置に送信するため複数の同一リンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。
【００５０】
図２に示されるように、本発明の実施例はデータ送信方法を提供し、当該方法は以下のステップを含む。
【００５１】
２０１．ユーザ装置は、リクエストメッセージを第１基地局に送信する。
【００５２】
当該リクエストメッセージは、リクエストされたデータの識別情報とユーザ装置の識別情報とを含み、これにより、第１基地局は、リクエストされたデータの識別情報に従って第１基地局に格納されたデータにおいて抽出し、一致したデータが第１基地局に格納及び抽出された場合、第１基地局は、一致したデータをユーザ装置に直接送信する。
【００５３】
一致したデータは、リクエストされたデータの識別情報に一致するデータを表す。
【００５４】
具体的には、リクエストメッセージを第１基地局に送信するとき、ユーザ装置は、取得される必要があるデータ情報の識別情報をリクエストメッセージに加え、リクエストメッセージを第１基地局に送信する。
【００５５】
２０２．ユーザ装置は、リクエストメッセージに応答して、第１基地局により送信されたレスポンスメッセージを受信し、レスポンスメッセージに従って対応する処理を実行する。
【００５６】
具体的には、第１基地局により送信されるレスポンスメッセージは、一致したデータを含む。この場合、ユーザ装置は、第１基地局により送信された一致したデータを受信し、一致したデータに従って対応する処理を実行する。
【００５７】
リクエストメッセージに応答したレスポンスメッセージは、一致したデータが格納される第３記憶装置の識別情報を有する。この場合、ユーザ装置は、第１基地局により送信された、一致したデータが格納される第３記憶装置の識別情報を受信する。ユーザ装置は、第３記憶装置の識別情報に従って第３記憶装置から一致したデータを取得する。
【００５８】
本発明の本実施例はデータ送信方法を提供する。ユーザ装置は、リクエストメッセージを第１基地局に送信し、これにより、第１基地局は、ユーザ装置により送信されたリクエストメッセージを受信した後、リクエストメッセージにおけるリクエストされたデータの識別情報に従って第１基地局に格納されたデータにおいて抽出し、一致したデータが第１基地局に格納されている場合、第１基地局は、一致したデータをユーザ装置に直接送信する。このようにして、データ情報が基地局サイドに格納され、従って、基地局によりサービス提供される異なるユーザ装置が同じデータをリクエストするとき、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。
【００５９】
本発明の実施例はデータ送信方法を提供し、当該方法は以下のステップを有する。
【００６０】
３０１．ＵＥは、ＲＲＣ（Ｒａｄｉｏ  Ｒｅｓｏｕｒｃｅ  Ｃｏｎｔｒｏｌ、無線リソース制御）リンク確立リクエストメッセージを第１基地局に送信し、これにより、第１基地局はＵＥとＲＲＣリンクを確立する。第１基地局は、ＵＥにより送信されたＲＲＣリンク確立リクエストメッセージを受信する。
【００６１】
具体的には、最初に第１基地局にアクセスするとき、ＵＥは、ＵＥと第１基地局との間でＲＲＣリンクを確立するため、ＲＲＣリンク確立リクエストメッセージを第１基地局に送信する必要があり、これにより、ＵＥはＲＲＣリンクを介し第１基地局にデータを送信する。
【００６２】
３０２．第１基地局は、ＲＲＣリンク確立リクエストメッセージに従ってＵＥとのＲＲＣリンクを確立する。
【００６３】
具体的には、ＲＲＣリンク確立リクエストメッセージを受信した後、第１基地局は、ＲＲＣリンク確立リクエストメッセージに従ってＲＲＣリンクを確立する。第１基地局が第１基地局とＵＥとの間でＲＲＣリンクを確立する処理は、従来技術の方法におけるものと同じであり、詳細はここでは再説明されない。
【００６４】
３０３．ＵＥは、ＰＤＮ（Ｐａｃｋｅｔ  Ｄａｔａ  Ｎｅｔｗｏｒｋ、パケット・データ・ネットワーク）アドレス情報を含むＰＤＮリンク確立リクエストメッセージをＭＭＥ（Ｍｏｂｉｌｉｔｙ  Ｍａｎａｇｅｍｅｎｔ  Ｅｎｔｉｔｙ、モビリティ・マネージメント・エンティティ）に送信し、これにより、ＭＭＥは、ＰＤＮリンク確立リクエストメッセージに含まれるＰＤＮアドレス情報に従って、ＵＥとＰＤＮ  ＧＷ（Ｐａｃｋｅｔ  Ｄａｔａ  Ｎｅｔｗｏｒｋ  Ｇａｔｅｗａｙ、パケット・データ・ネットワーク・ゲートウェイ）との間のベアラリンクを確立する。ＭＭＥは、ＰＤＮアドレス情報を含むＰＤＮリンク確立リクエストメッセージを受信する。
【００６５】
３０４．ＭＭＥは、ＰＤＮリンク確立リクエストメッセージに含まれるＰＤＮアドレス情報に従って、ＵＥとＰＤＮ  ＧＷとの間のベアラリンクを確立する。
【００６６】
具体的には、ＰＤＮリンク確立リクエストメッセージを受信した後にＰＤＮアドレス情報に従って、ＵＥとＰＤＮ  ＧＷとの間のベアラリンクを確立するためＭＭＥにより利用される方法は、従来技術における方法と同じであり、詳細はここでは再説明されない。
【００６７】
３０５．第１装置は、リクエストメッセージを第１基地局に送信し、第１基地局は、第１装置により送信されたリクエストメッセージを受信する。
【００６８】
具体的には、第１装置がＵＥである場合、ＵＥがリクエストメッセージを第１基地局に送信する処理に関する詳細について、ステップ２０１が参照されてもよく、詳細はここでは再説明されない。第１装置が第２基地局である場合、第２基地局がリクエストメッセージを第１基地局に送信する処理に関する詳細について、ステップ３０８１ｃが参照されてもよく、詳細はここでは再説明されない。第１基地局が第１装置により送信されたリクエストメッセージを受信する処理に関する詳細について、ステップ１０１が参照されてもよく、詳細はここでは再説明されない。
【００６９】
３０６．第１基地局は、リクエストされたデータの識別情報に従って格納されたデータにおいて抽出する。
【００７０】
具体的には、当該ステップはステップ１０２と同じであり、詳細はここでは再説明されない。
【００７１】
実行される以降のステップは第１基地局の抽出及び検出結果に従って変わることが留意されるべきである。第１基地局がリクエストされたデータの識別情報に従って格納されたデータにおいて抽出する場合であって、且つリクエストされたデータの識別情報に一致するデータが抽出された、すなわち、一致したデータが抽出された場合、図３に示されるように、ステップ３０７ａ〜３０８ａが実行される。リクエストされたデータの識別情報に一致するデータが抽出されない、すなわち、一致したデータが抽出されない場合、第１基地局は、一致したデータに関する情報を取得する必要がある。第１基地局がクラスタヘッドでないとき、ステップ３０７ｂ〜３１４ｂ及びステップ３１５〜３１８が、図４に示されるように実行される。この場合、第１装置はＵＥである。第１基地局がクラスタヘッドであるとき、第１基地局は、一致したデータが格納されている記憶装置に関して知っていてもよい。この場合、第１基地局は、自ら一致したデータを取得してもよく、一致したデータを第１装置に送信するか、又は一致したデータが格納されている記憶装置の識別情報を第１装置に送信してもよく、第１装置は、記憶装置の識別情報に従って一致したデータを取得する。第１基地局が一致したデータを取得し、一致したデータを第１装置に送信する場合、図５に示されるように、ステップ３０７１ｃ〜３１１１ｃ及びステップ３１５〜３２２が実行される。第１基地局が記憶装置の識別情報を第１装置に送信する場合、図６に示されるように、ステップ３０７２ｃ〜３０９２ｃ及びステップ３１５〜３２２が実行される。
【００７２】
クラスタヘッドがクラスタ内にあって、他の装置を管理する基地局であることが留意されるべきである。第１基地局が配置されるクラスタは、第１基地局、他の隣接する基地局及び他の隣接する基地局によりサービス提供されるＵＥを含むものであってもよい。この場合、クラスタヘッドは、第１基地局又は他の隣接する基地局であってもよい。第１基地局が配置されるクラスタはまた、第１基地局及びＵＥを含むものであってもよい。この場合、第１基地局がクラスタヘッドである。
【００７３】
３０７ａ．一致したデータが第１基地局により抽出されると、第１装置の識別情報に従って一致したデータを第１装置に送信する。
【００７４】
具体的には、当該ステップはステップ１０３と同じであり、詳細はここでは再説明されない。
【００７５】
３０７ｂ．一致したデータが第１基地局により抽出されず、第１基地局がクラスタヘッドでないとき、ＭＭＥを介しＰＤＮ  ＧＷにリクエストメッセージを送信し、これにより、ＰＤＮ  ＧＷは、クラスタヘッドとして利用される第３基地局にリクエストメッセージを送信し、第３基地局は、リクエストされたデータの識別情報に従って、一致したデータが格納されている第１記憶装置を決定し、第１記憶装置の識別情報を第１基地局に送信する。
【００７６】
具体的には、一致したデータが第１基地局により抽出されないとき、それは、第１装置が取得する必要があるデータが第１基地局に格納されていないことを示す。この場合、第１基地局がクラスタヘッドでないとき、第１基地局は、第１装置により送信された受信したリクエスト情報をＭＭＥに送信する必要がある。ＭＭＥはリクエストメッセージを受信する。
【００７７】
３０７１ｃ．一致したデータが第１基地局により抽出されず、第１基地局がクラスタヘッドであるとき、第１基地局は、リクエストされたデータの識別情報に従って、一致したデータが格納される第２記憶装置を決定し、第２記憶装置の識別情報を取得する。
【００７８】
具体的には、一致したデータが第１基地局により抽出されないとき、それは、第１装置が取得する必要があるデータが第１基地局に格納されていないことを示す。この場合、第１基地局がクラスタヘッドであるため、第１基地局は、リクエストされたデータの識別情報に従って、格納するクラスタにおける各装置に格納されているデータの格納されている識別情報を検索し、格納されたデータの識別情報がリクエストされたデータの識別情報に一致する第２記憶装置を検出し、更に第２記憶装置の識別情報を取得する。
【００７９】
第１基地局がクラスタヘッドであるとき、第１基地局は、クラスタにおける他の基地局により送信されたリクエストメッセージを受信してもよいことが留意されるべきである。この場合、第１装置は第２基地局であってもよい。この場合、第１基地局は、リクエストされたデータのものであって、リクエストメッセージ内にある識別情報に従って、格納するクラスタにおける各装置に格納されているデータの格納されている識別情報を検索し、格納されたデータの識別情報が、リクエストメッセージにおけるリクエストされたデータの識別情報に一致する記憶装置を検出し、記憶装置の識別情報を取得してもよい。
【００８０】
３０７２ｃ．一致したデータが第１基地局により抽出されず、第１基地局がクラスタヘッドであるとき、第１基地局は、リクエストされたデータの識別情報に従って、リクエストされたデータの識別情報に一致する一致したデータが格納される第３記憶装置を決定し、第３記憶装置の識別情報を取得する。
【００８１】
具体的には、ステップ３０７１ｃが参照されてもよく、詳細はここでは再説明されない。
【００８２】
３０８ａ．第１装置は、一致したデータを受信し、対応する処理を実行する。
【００８３】
具体的には、第１装置がＵＥである場合、ＵＥは、一致したデータを受信した後に一致したデータに対して対応する処理を実行する。第１装置が第２基地局である場合、第２基地局は、一致したデータを受信した後に、第２基地局によりサービス提供され、一致したデータをリクエストしたＵＥに一致したデータを送信し、一致したデータが格納される必要があるか判断し、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【００８４】
３０８ｂ．ＭＭＥは、受信したリクエストメッセージをＰＤＮ  ＧＷに送信し、ＰＤＮ  ＧＷは、リクエストメッセージを受信する。
【００８５】
具体的には、リクエストメッセージを受信した後、ＭＭＥは、リクエストメッセージに含まれるＵＥの識別情報に従って、リクエストメッセージを送信したＵＥに対応するＰＤＮ  ＧＷを決定し、リクエストメッセージをＰＤＮ  ＧＷに送信する。
【００８６】
３０８１ｃ．第１基地局は、第２記憶装置の識別情報に従って、リクエストメッセージを第２記憶装置に送信し、これにより、第２記憶装置は、リクエストされたデータの識別情報に従って一致したデータを取得し、一致したデータを第１基地局に送信する。
【００８７】
具体的には、第２記憶装置の識別情報を取得した後、第１基地局は、第２記憶装置の識別情報に従って第２記憶装置にリクエストメッセージを送信する。
【００８８】
任意的には、第２記憶装置は、第１基地局の隣接する基地局である。
【００８９】
３０８２ｃ．第１基地局は、第３記憶装置の識別情報を第１装置に送信し、これにより、第１装置は、第３記憶装置の識別情報に従って第３記憶装置から一致したデータを取得する。
【００９０】
具体的には、第３記憶装置の識別情報を取得した後、第１基地局は、第３記憶装置の識別情報を第１装置に送信し、これにより、第１装置は、図７に示されるように、一致したデータを自ら取得するため、第３記憶装置と通信する。
【００９１】
３０９ｂ．ＰＤＮ  ＧＷは、クラスタヘッドとして利用される第３基地局にリクエストメッセージを送信する。第３基地局は、リクエストメッセージを受信する。
【００９２】
具体的には、ＰＤＮ  ＧＷがリクエストメッセージを受信した後、ＰＤＮ  ＧＷは、第１基地局が配置されたクラスタのクラスタヘッドにリクエストメッセージを送信する。
【００９３】
第１基地局が配置されるクラスタのクラスタヘッドが予め設定されていることが留意されるべきである。第１基地局が配置されるクラスタのクラスタヘッドが設定された後、ＰＤＮ  ＧＷは、各クラスタのメンバー情報を記録する。
【００９４】
３０９１ｃ．第２記憶装置は、リクエストメッセージに含まれるリクエストされたデータの識別情報に従って格納されたデータにおいて抽出し、抽出された一致したデータを第１基地局に送信する。
【００９５】
具体的には、第２記憶装置は、リクエストメッセージに含まれるリクエストされたデータの識別情報に従って格納されたデータにおいて抽出し、ここで、当該抽出は、第１基地局がリクエストされたデータの識別情報に従って格納されたデータにおいて抽出する処理と同じである。ステップ１０２が参照されてもよく、詳細はここでは再説明されない。
【００９６】
３０９２ｃ．第１装置は、リクエストメッセージに応答して第１基地局により送信されたレスポンスメッセージを受信し、リクエストメッセージに応答してレスポンスメッセージに従って対応する処理を実行する。
【００９７】
第１装置がＵＥであるとき、ＵＥは、リクエストメッセージに応答して第１基地局により送信されたレスポンスメッセージを受信し、リクエストメッセージに応答したレスポンスメッセージに従って対応する処理を実行する。
【００９８】
具体的には、ＵＥは、第１基地局により送信される、一致したデータが格納されている第３記憶装置の識別情報を受信する。ＵＥは、第３記憶装置の識別情報に従って第３記憶装置から一致したデータを取得する。さらに、ＵＥはステップ３１５〜３１６を実行し続ける。
【００９９】
さらに、ＵＥは、第１基地局により送信され、一致したデータが格納されている第３記憶装置の識別情報を受信し、ＵＥは、第３記憶装置の識別情報に従って第３記憶装置とＤ２Ｄ（Ｄｅｖｉｃｅ−ｔｏ−Ｄｅｖｉｃｅ、ポイント・ツー・ポイント）リンクを確立する。さらに、ＵＥは、Ｄ２Ｄリンクを介し一致したデータを取得する。
【０１００】
任意的には、第３記憶装置の識別情報は、一致したデータが格納されるＵＥの識別情報である。
【０１０１】
第１装置が第１基地局を利用することによって、第３記憶装置の識別情報に従って第３記憶装置とのＤ２Ｄリンクを確立してもよく、又は、第１装置が第１基地局を利用することなく、第３記憶装置の識別情報に従って第３記憶装置とのＤ２Ｄリンクを直接確立してもよいことが留意されるべきであり、本発明は、これに限定を設定しない。
【０１０２】
第１装置が第２基地局であるとき、第２基地局は、リクエストメッセージに応答して第１基地局により送信されたレスポンスメッセージを受信し、リクエストメッセージに応答したレスポンスメッセージに従って対応する処理を実行する。
【０１０３】
具体的には、第２基地局は、第１基地局により送信された、一致したデータが格納される第３記憶装置の識別情報を受信する。第２基地局は、第３記憶装置の識別情報に従って第３記憶装置から一致したデータを取得し、第２基地局によりサービス提供され、一致したデータをリクエストしたＵＥに取得した一致したデータを送信し、一致したデータが格納される必要があるか判断し、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【０１０４】
３１０ｂ．第３基地局は、リクエストされたデータの識別情報に従って、一致したデータが格納される第１記憶装置を決定し、第１記憶装置の識別情報を第１基地局に送信する。第１基地局は、第１記憶装置の識別情報を受信する。
【０１０５】
具体的には、リクエストメッセージを受信した後、クラスタヘッドとして利用される第３基地局は、リクエストされたデータのものであって、リクエストメッセージ内にある識別情報に従って、格納するクラスタにおける各装置に格納されるデータの格納された識別情報を検索し、格納されたデータの識別情報がリクエストメッセージにおけるリクエストされたデータの識別情報に一致する第１記憶装置を検出し、第１記憶装置の識別情報を第１基地局に送信する。
【０１０６】
リクエストメッセージを受信した後、クラスタヘッドとして利用される第３基地局はまず、リクエストされたデータのものであって、リクエストメッセージ内にある識別情報に従って、第３基地局により格納されたデータを検索し、一致したデータが検出された場合、一致したデータは第１基地局に直接送信される。一致したデータが検出されない場合、それは、第１基地局により必要とされたデータが第３基地局に格納されていないことを示し、従って、第３基地局は格納するクラスタにおける各装置に格納されるデータの格納された識別情報を検索し続け、リクエストされたデータのものであって、リクエストメッセージ内にある識別情報に従って、一致したデータが格納される第１記憶装置を決定し、第１記憶装置の識別情報を第１基地局に送信する。この場合、第１記憶装置は第３記憶装置を含まない。
【０１０７】
おそらく、リクエストメッセージを受信した後、第３基地局は、リクエストされたデータのものであって、リクエストメッセージ内にある識別情報に従って、格納するクラスタにおける各装置に格納されるデータの格納された識別情報を直接検索し、リクエストされたデータのものであって、リクエストメッセージ内にある識別情報に従って、一致したデータが格納される第１記憶装置を決定し、第１記憶装置の識別情報を第１基地局に送信してもよい。この場合、第１記憶装置は第３基地局であってもよい。
【０１０８】
さらに、第３基地局は、クラスタにおける各装置に格納されるデータの識別情報をリスト形式により格納してもよい。
【０１０９】
第３基地局は、クラスタにおける各装置に格納されるデータの識別情報を他の形式により、例えば、マッピングテーブルの形式により格納してもよいことが留意されるべきであり、本発明はこれに限定を設定しない。
【０１１０】
更にまた、一致したデータが格納される第１記憶装置がクラスタにおいて１つしか存在しないと判断された場合、クラスタヘッドとして利用される第３基地局は、第１記憶装置の識別情報を第１基地局に送信する。クラスタヘッドとして利用される第３基地局が、一致したデータが格納される少なくとも２つの第１記憶装置がクラスタに存在すると判断した場合、第３基地局は、一致したデータが格納される少なくとも２つの第１記憶装置の何れか１つを選択し、選択された第１記憶装置の識別情報を第１基地局に送信してもよい。第３基地局は、所定のアルゴリズムに従って、一致したデータが格納される最適な第１記憶装置を選択し、当該第１記憶装置の識別情報を第１基地局に送信してもよい。
【０１１１】
第１基地局がクラスタヘッドでない場合、第１基地局が配置されるクラスタは第１基地局、他の隣接する基地局及び他の隣接する基地局によりサービス提供されるＵＥを含むことが留意されるべきである。この場合、第１記憶装置は、他の隣接する基地局であってもよい。
【０１１２】
３１０１ｃ．第１基地局は、第２記憶装置により送信された一致したデータを受信し、一致したデータを第１装置に送信する。
【０１１３】
具体的には、第１基地局により受信されたリクエストメッセージがＵＥにより送信された場合、第１基地局により取得された一致したデータはＵＥに送信され、第１基地局により受信されたリクエストメッセージは第２基地局により送信され、第１基地局により取得された一致したデータは、図８に示されるように、第２基地局に送信される。
【０１１４】
３１１ｂ．第１基地局は、第１記憶装置の識別情報に従ってリクエストメッセージを第１記憶装置に送信し、これにより、第１記憶装置は、リクエストメッセージを受信した後、リクエストメッセージにおけるリクエストされたデータの識別情報に一致する格納された一致したデータを第１基地局に送信する。第１記憶装置はリクエストメッセージを受信する。
【０１１５】
具体的には、第１記憶装置の識別情報を受信した後、第１基地局は、第１記憶装置の識別情報に従ってリクエストメッセージを第１記憶装置に送信する。ステップ３０８１ｃが参照されてもよく、詳細はここでは再説明されない。
【０１１６】
３１１１ｃ．第１装置は、第１基地局により送信された一致したデータを受信し、対応する処理を実行する。
【０１１７】
具体的には、第１装置が第２基地局である場合、第２基地局は、第２基地局によりサービス提供され、一致したデータをリクエストしたＵＥに受信した一致したデータを送信し、一致したデータが格納される必要があるか判断してもよく、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【０１１８】
第１装置がＵＥである場合、ＵＥは、受信した一致したデータに従って対応する処理を実行してもよく、ＵＥは、ステップ３１５〜３１６を実行し続ける。
【０１１９】
３１２ｂ．第１記憶装置は、リクエストメッセージに含まれるリクエストされたデータの識別情報に従って格納されたデータにおいて抽出し、リクエストメッセージにおけるリクエストされたデータの識別情報に一致する抽出された格納された一致したデータを第１基地局に送信する。
【０１２０】
具体的には、第１記憶装置は、リクエストメッセージに含まれるリクエストされたデータの識別情報に従って格納されたデータにおいて抽出し、ここで、当該抽出は、リクエストメッセージに含まれるリクエストされたデータの識別情報に従って格納されたデータにおいて抽出する処理と同じである。ステップ１０２が参照されてもよく、詳細はここでは再説明されない。
【０１２１】
３１３ｂ．第１基地局は、第１記憶装置により送信された一致したデータを受信し、一致したデータを第１装置に送信する。
【０１２２】
具体的には、第１基地局により受信されたリクエストメッセージが第１装置により送信された場合、第１基地局は、取得された一致したデータを第１装置に送信する。ステップ３１０１ｃが参照されてもよい。第１装置がＵＥであるとき、図８が参照されてもよい。
【０１２３】
３１４ｂ．第１装置は、一致したデータを受信し、対応する処理を実行する。
【０１２４】
具体的には、第１装置はＵＥであり、ＵＥは第１基地局により送信された一致したデータを受信し、一致したデータに従って対応する処理を実行する。
【０１２５】
３１５．ＵＥは、リクエストメッセージに対応する受信した一致したデータが格納される必要があるか判断する。
【０１２６】
具体的には、ＵＥは、リクエストメッセージが第１基地局に送信された回数を決定し、リクエストメッセージが第１基地局に送信された回数が第１閾値より大きいか検出する。リクエストメッセージが第１基地局に送信された回数が第１閾値より大きいと判断されると、ＵＥは、一致したデータをクラスタにコピーする際に許容される最大コピー数と、一致したデータがクラスタにすでに格納された回数とをクラスタヘッドから取得する。一致したデータがクラスタにすでに格納された回数が、一致したデータをクラスタにコピーする際に許容される最大コピー数未満である場合、ＵＥは、一致したデータが格納される必要があると判断する。
【０１２７】
さらに、クラスタヘッドは第１基地局であるため、リクエストメッセージが第１基地局に送信された回数が第１閾値より大きいと判断されると、ＵＥは、一致したデータをクラスタにコピーする際に許容される最大コピー数と、一致したデータがクラスタにすでに格納された回数とをクラスタヘッドから取得することは、
リクエストメッセージが第１基地局に送信される回数が第１閾値より大きいとき、ＵＥが、一致したデータをクラスタにコピーする際に許容される最大コピー数と、一致したデータがクラスタにすでに格納された回数とを第１基地局から取得することを含む。
【０１２８】
具体的には、ＵＥがリクエストメッセージに対応する一致したデータを受信した後、ＵＥは、リクエストメッセージが第１基地局に送信された回数をカウントし、リクエストメッセージが第１基地局に送信されたカウントされた回数と第１閾値とを比較する。リクエストメッセージが第１基地局に送信されたカウントされた回数が第１閾値より大きい場合、それは、ＵＥが一致したデータを頻繁に取得する必要があることを示し、従って、ＵＥは、受信したリクエストメッセージに対応する一致したデータを格納する必要がある。この場合、ＵＥは、一致したデータをクラスタにコピーする際に許容される最大コピー数と、一致したデータがクラスタにすでに格納された回数とを第１基地局から取得する。ＵＥは、一致したデータをクラスタにコピーする際に許容される最大コピー数と、一致したデータがクラスタにすでに格納された回数とを比較する。一致したデータをクラスタにコピーする際に許容される最大コピー数が一致したデータがクラスタにすでに格納された回数より大きいことが比較を介し検出された場合、ＵＥは、リクエストメッセージに対応する一致したデータが格納可能であると判断する。一致したデータをクラスタにコピーする際に許容される最大コピー数が一致したデータがクラスタにすでに格納された回数より大きくないことが比較を介し検出された場合、それは、リクエストメッセージに対応するクラスタに格納される一致したデータがすでに最大値に到達していることを示す。この場合、ＵＥは、図９に示されるように、リクエストメッセージに対応する一致したデータを格納できない。
【０１２９】
３１６．受信したリクエストメッセージに対応する一致したデータが格納される必要があると判断されると、ＵＥは、受信したリクエストメッセージに対応する一致したデータを格納する。
【０１３０】
具体的には、ＵＥが、リクエストメッセージに対応する一致したデータが格納される必要があると判断すると、ＵＥは、リクエストメッセージに対応する一致したデータをＵＥのフリーの記憶スペースに格納する。ＵＥは、一致したデータを格納し、一致したデータがクラスタにすでに格納された回数を更新する。
【０１３１】
さらに、ＵＥは、一致したデータがクラスタにすでに格納された更新された回数をクラスタヘッドに送信し、これにより、クラスタヘッドは、一致したデータがクラスタにすでに格納された回数を更新する。
【０１３２】
具体的には、第１基地局がクラスタヘッドであるため、ＵＥは、一致したデータがクラスタにすでに格納された更新された回数を第１基地局に送信してもよく、これにより、第１基地局は、一致したデータがクラスタにすでに格納された回数を更新する。
【０１３３】
３１７．第１基地局は、ＵＥにより送信されたリクエストメッセージに対応する一致した情報が格納される必要があるか判断する。
【０１３４】
具体的には、第１基地局は、リクエストメッセージが受信された回数を判断し、リクエストメッセージが受信された回数が第１閾値より大きいと判断されると、一致したデータをクラスタにコピーする際に許容される最大コピー数と、一致したデータがクラスタにすでに格納された回数とを取得する。一致したデータがクラスタにすでに格納された回数が一致したデータをクラスタにコピーする際に許容される最大コピー数未満であるとき、第１基地局は一致したデータを格納する。すなわち、一致したデータがクラスタにすでに格納された回数が一致したデータをクラスタにコピーする際に許容される最大コピー数未満であるとき、第１基地局は、一致したデータが格納される必要があると判断する。
【０１３５】
第１基地局は、リクエストメッセージが受信される回数をカウントする必要があり、リクエストメッセージが受信されたカウントされた回数と第１閾値とを比較する。リクエストメッセージが受信されたカウントされた回数が第１閾値より大きい場合、それは、第１基地局によりサービス提供されるＵＥが一致したデータを頻繁に取得する必要があることを示し、従って、第１基地局は、リクエストメッセージに対応して一致したデータを格納する必要がある。この場合、第１基地局は、一致したデータをクラスタにコピーする際に許容される最大コピー数と、一致したデータがクラスタにすでに格納された回数とを取得する。第１基地局は、一致したデータをクラスタにコピーする際に許容される最大コピー数と、一致したデータがクラスタにすでに格納された回数とを比較する。一致したデータをクラスタにコピーする際に許容される最大コピー数が一致したデータがクラスタにすでに格納された回数より大きいと比較を介し検出された場合、第１基地局は、リクエストメッセージに対応する一致したデータが格納可能であると判断する。一致したデータをクラスタにコピーする際に許容される最大コピー数が一致したデータがクラスタにすでに格納された回数より大きくないと比較を介し検出された場合、それは、リクエストメッセージに対応してクラスタに格納された一致したデータがすでに最大値に到達していることを示す。この場合、第１基地局は、図１０に示されるように、リクエストメッセージに対応して一致したデータを格納できない。
【０１３６】
任意的には、第１基地局が、第１基地局が配置されたクラスタのクラスタヘッドでない場合、第１基地局は、クラスタヘッドを利用することによって、一致したデータをクラスタにコピーする際に許容される最大コピー数と、一致したデータがクラスタにすでに格納された回数とを取得してもよい。第１基地局が、第１基地局が配置されたクラスタのクラスタヘッドである場合、第１基地局は、一致したデータをクラスタにコピーする際に許容される最大コピー数と、一致したデータがクラスタにすでに格納された回数とを直接取得し、ここで、最大コピー数と一致したデータがクラスタにすでに格納された回数とは、第１基地局に格納される。
【０１３７】
さらに、第１基地局が、リクエストメッセージが受信された回数が第１閾値より大きくないと判断すると、それは、第１基地局によりサービス提供されたＵＥが一致したデータを頻繁に取得する必要がないことを示し、第１基地局は、リクエストメッセージに対応して一致したデータを格納する必要はない。
【０１３８】
例えば、ＵＥにより第１基地局に送信されるリクエストメッセージはビデオリクエストメッセージであると想定される。この場合、第１基地局は、７である、ビデオリクエストメッセージが受信された回数をカウントする必要があり、第１閾値は５である。従って、第１基地局は、７である、ビデオリクエストメッセージが受信されたカウントされた回数と第１閾値５とを比較する。ビデオリクエストメッセージが受信されたカウントされた回数が第１閾値５より大きいことが検出され、これは、第１基地局によりサービス提供されるＵＥが当該ビデオ情報を頻繁にリクエストしていることを示す。従って、この場合、第１基地局がクラスタヘッドである場合、第１基地局は、８である、一致したデータをクラスタにコピーする際に許容される最大コピー数と、４である、一致したデータがクラスタに格納される回数とを取得し、ここで、最大コピー数と一致したデータがクラスタにすでに格納された回数とが第１基地局に格納される。第１基地局がクラスタヘッドでない場合、第１基地局は、クラスタヘッドを利用することによって、８である、一致したデータをクラスタにコピーする際に許容される最大コピー数と、４である、一致したデータがクラスタに格納された回数とを取得し、４である、一致したデータがクラスタに格納された回数が、４である、一致したデータをクラスタにコピーする際に許容される最大コピー数未満であることを検出する。従って、第１基地局は、ビデオリクエストメッセージに対応する一致したビデオ情報が格納可能であると判断する。
【０１３９】
第１閾値は予め設定されることが留意されるべきである。
【０１４０】
３１８．リクエストメッセージに対応する一致したデータが格納される必要があると判断された場合、第１基地局は、リクエストメッセージに対応する一致したデータを格納する。
【０１４１】
具体的には、リクエストメッセージに対応する一致したデータが格納される必要があると判断されると、第１基地局は、リクエストメッセージに対応する取得された一致したデータを第１基地局のフリーの記憶スペースに格納する。さらに、第１基地局は、一致したデータがクラスタにすでに格納された回数を更新する。
【０１４２】
第１基地局が、第１基地局が配置されたクラスタのクラスタヘッドである場合、第１基地局は、一致したデータがクラスタにすでに格納された回数を直接更新し、ここで、当該回数は第１基地局に格納される。
【０１４３】
第１基地局が、第１基地局が配置されたクラスタのクラスタヘッドでない場合、第１基地局は、一致したデータがクラスタにすでに格納された更新された回数をクラスタヘッドに送信してもよく、これにより、クラスタヘッドは、一致したデータがクラスタにすでに格納された回数を更新する。
【０１４４】
上記の具体例において述べられるように、第１基地局が、第１基地局が配置されたクラスタのクラスタヘッドである場合、第１基地局は、一致したデータがクラスタにすでに格納された回数を４から５に直接更新し、ここで、当該回数は第１基地局に格納される。
【０１４５】
第１基地局が、第１基地局が配置されたクラスタのクラスタヘッドでない場合、一致したビデオ情報をフリーの記憶スペースに格納するとき、第１基地局は、一致したデータがクラスタにすでに格納された回数を５に更新し、５である、一致したデータがクラスタに格納された回数をクラスタヘッドに送信してもよく、これにより、クラスタヘッドは、一致したデータがクラスタにすでに格納された回数を４から５に更新する。
【０１４６】
さらに、第１基地局が一致したデータを格納することは、第１基地局が、フリーの記憶スペースのサイズが一致したデータのサイズより大きいか判断し、フリーの記憶スペースのサイズが一致したデータのサイズより大きい場合、第１基地局が、一致したデータを直接格納し、フリーの記憶スペースのサイズが一致したデータのサイズより大きくない場合、第１基地局が、ＬＲＵ（Ｌｅａｓｔ  Ｒｅｃｅｎｔｌｙ  Ｕｓｅｄ、最も最近利用されていないアルゴリズム）アルゴリズムに従ってフリーの記憶スペースを更新し、これにより、一致したデータを更新されたフリーの記憶スペースに格納することを含む。
【０１４７】
本発明の本実施例では、先入れ先出しアルゴリズムなどの他のアルゴリズムがまたフリーの記憶スペースを更新するのに利用されてもよいことが留意されるべきであり、本発明はこれに限定を設定しない。
【０１４８】
第１基地局がクラスタヘッドでないとき、第１基地局はまた、リクエストメッセージに対応する一致したデータを取得するため、第１基地局が配置されるクラスタのクラスタヘッドにリクエストメッセージを直接送信してもよいことが留意されるべきである。具体的には、第２基地局が第１基地局にリクエストメッセージを送信する処理が参照されてもよく、詳細はここでは再説明されない。
【０１４９】
３１９．第１基地局がクラスタヘッドであるとき、第１基地局は、クラスタにすでに格納されている一致したデータのサービス状態をモニタリングする。
【０１５０】
サービス状態は、サービス成功状態とサービス失敗状態とを有し、サービス成功状態は一致したデータが第１装置に送信されたことを表し、サービス失敗状態は一致したデータが第１装置に送信されないことを表す。
【０１５１】
具体的には、クラスタにおけるリクエストされたデータの量が大変大きくなると、クラスタにおいて設定される、一致したデータをクラスタにコピーする際に許容される最大コピー数がまた対応して調整されることを実現するため、第１基地局は、クラスタにすでに格納された一致したデータのサービス状態をモニタリングする必要があり、ここで、第１局は、第１基地局が配置されたクラスタのクラスタヘッドとして利用される。
【０１５２】
例えば、データ情報がビデオ情報である場合、クラスタにおけるビデオ情報へのアクセストラフィックが大変大きくなると、例えば、ビデオが百万回アクセスされると、クラスタにおいて設定される、ビデオ情報をクラスタにコピーする際に許容される最大コピー数がまた対応して調整される必要がある。当該目的を達成するため、第１基地局は、ビデオ情報のサービス状態をモニタリングする必要がある。
【０１５３】
３２０．第１基地局は、一致したデータのサービス状態に従って、一致したデータのサービス失敗状態の数と、クラスタにおける受信したリクエストメッセージの合計数とをカウントする。
【０１５４】
一致したデータのサービス失敗状態は、送信処理における長すぎるネットワーク遅延又は輻輳などの理由によって引き起こされうることが留意されるべきである。１つのデータ情報が複数のＵＥにより取得されると、一致したデータはサービス失敗状態に置かれてもよい。従って、クラスタにおけるリクエストされたデータ情報量が大変大きいとき、クラスタにおいて設定される、一致したデータをクラスタにコピーする際に許容される最大コピー数がまた対応して調整されることを達成するため、第１基地局は、一致したデータのサービス失敗状態の数をカウントする必要がある。
【０１５５】
クラスタにおける受信したリクエストメッセージの合計数をカウントすることは、第１装置により送信されたリクエストメッセージを含み、また、他の装置により送信され、第１基地局により受信されたリクエストメッセージを含む、クラスタにおける全ての受信されたリクエストメッセージをカウントすることを表す。
【０１５６】
３２１．第１基地局は、一致したデータのサービス失敗状態のカウントされた数と、クラスタにおける受信されたリクエストメッセージの合計数とを比較する。
【０１５７】
具体的には、第１基地局は、一致したデータのサービス失敗状態の数と、クラスタにおける受信したリクエストメッセージの合計数とをカウントし、一致したデータのサービス失敗状態のカウントされた数と、クラスタにおける受信したリクエストメッセージの合計数とを比較し、クラスタにおける受信したリクエストメッセージのカウントされた合計数に対する一致したデータのサービス失敗状態のカウントされた数のパーセンテージを取得してもよい。
【０１５８】
一致したデータのサービス失敗状態のカウントされた数と、クラスタにおける受信したリクエストメッセージのカウントされた合計数との間の差分がまた取得されてもよいし、又は、他の比較方法が利用されてもよいことが留意されるべきであり、本発明はこれに限定を設定しない。
【０１５９】
３２２．第１基地局は、比較結果に従って一致したデータをコピーする際に許容される最大コピー数を更新する。
【０１６０】
具体的には、比較結果が第２閾値より大きい場合、第１基地局は、一致したデータをコピーする際に許容される最大コピー数を増加するか、又は、比較結果が第３閾値より小さい場合、第１基地局は、一致したデータをコピーする際に許容される最大コピー数を減少する。
【０１６１】
第２閾値及び第３閾値は予め設定されることが留意されるべきである。
【０１６２】
例えば、ステップ３１９において、第１基地局は、クラスタにおける受信したリクエストメッセージのカウントされた合計数に対する一致したデータのサービス失敗状態のカウントされた数のパーセンテージを計算を介して取得することが想定される。第２閾値が１０％であり、第３閾値が５％である場合、且つ、クラスタにおける受信したリクエストメッセージのカウントされた合計数に対する一致したデータのサービス失敗状態のカウントされた数のパーセンテージが、第２閾値より大きい１５％であると計算された場合、第１基地局は、一致したデータをコピーする際の許容される最大コピー数を増加する必要がある。
【０１６３】
本発明の本実施例はデータ送信方法を提供する。第１装置により送信されたリクエストメッセージを受信した後、第１基地局は、リクエストメッセージにおけるリクエストされたデータの識別情報に従って格納されたデータにおいて抽出し、一致したデータが第１基地局に存在する場合、基地局は、一致したデータを第１装置に直接送信する。このようにして、データは基地局サイドに格納され、従って、基地局によりサービス提供される異なるユーザ装置が同じデータをリクエストするとき、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからＵＥに直接送信され、ユーザ装置の待機時間を低減し、ユーザ体感を向上させる。基地局サイドにおけるデータ情報の記憶状態は、ユーザ装置のデータ要求に従って動的に変更され、システム記憶スペースの可用性を更に向上させる。
【０１６４】
本発明の実施例は基地局を提供する。図１１に示されるように、基地局は、送受信ユニット１１０１、抽出ユニット１１０２及び処理ユニット１１０３を有する。
【０１６５】
送受信ユニット１１０１は、第１装置により送信されたリクエストメッセージを受信するよう構成される。
【０１６６】
当該リクエストメッセージは、リクエストされたデータの識別情報と第１装置の識別情報とを含み、第１装置はユーザ装置又は第２基地局を有する。
【０１６７】
抽出ユニット１１０２は、送受信ユニット１１０１により受信された、リクエストされたデータの識別情報に従って格納されているデータにおいて抽出するよう構成される。
【０１６８】
処理ユニット１１０３は、抽出ユニット１１０２によって一致したデータが抽出されると、第１装置の識別情報に従って一致したデータを第１装置に送信するよう送受信ユニット１１０１をトリガするよう構成される。
【０１６９】
当該一致したデータは、リクエストされたデータの識別情報に一致するデータを表す。
【０１７０】
具体的には、処理ユニット１１０３は、具体的には、送受信ユニット１１０１がユーザ装置により送信されたリクエストメッセージを受信するとき、一致したデータが抽出ユニット１１０２により抽出されたとき、一致したデータをユーザ装置に送信するよう送受信ユニット１１０１をトリガするよう構成され、送受信ユニット１１０１が第２基地局により送信されたリクエストメッセージを受信したとき、一致したデータが抽出ユニット１１０２により抽出されたとき、一致したデータを第２基地局に送信するよう構成される。
【０１７１】
さらに、処理ユニット１１０３は更に、抽出ユニット１１０２により一致したデータが抽出されず、基地局がクラスタヘッドでないとき、モビリティ・マネージメント・エンティティを介しパケット・データ・ネットワーク・ゲートウェイにリクエストメッセージを送信するよう送受信ユニット１１０１をトリガするよう構成され、これにより、パケット・データ・ネットワーク・ゲートウェイは、クラスタヘッドとして用いられる第３基地局にリクエストメッセージを送信し、第３基地局は、リクエストされたデータの識別情報に従って、一致したデータが格納される第１記憶装置を決定し、第１記憶装置の識別情報を第１基地局に送信する。
【０１７２】
送受信ユニット１１０１は更に、第１記憶装置の識別情報を受信するよう構成される。
【０１７３】
送受信ユニット１１０１は更に、第１記憶装置の識別情報に従って第１記憶装置にリクエストメッセージを送信するよう構成され、これにより、第１記憶装置は、リクエストメッセージを受信した後、リクエストメッセージにおけるリクエストされたデータの識別情報に一致する格納された一致したデータを基地局に送信する。
【０１７４】
送受信ユニット１１０１は更に、第１記憶装置により送信された一致したデータを受信し、一致したデータを第１装置に送信するよう構成される。
【０１７５】
さらに、処理ユニット１１０３は更に、抽出ユニット１１０２によって一致したデータが抽出されず、当該基地局がクラスタヘッドであるとき、リクエストされたデータの識別情報に従って、一致したデータが格納される第２記憶装置を決定し、第２記憶装置の識別情報を取得するよう構成される。
【０１７６】
送受信ユニット１１０１は更に、処理ユニット１１０３によって取得された、第２記憶装置の識別情報に従ってリクエストメッセージを第２記憶装置に送信するよう構成され、これにより、第２記憶装置は、リクエストされたデータの識別情報に従って一致したデータを取得し、一致したデータを当該基地局に送信するよう構成される。
【０１７７】
送受信ユニット１１０１は更に、第２記憶装置により送信された一致したデータを受信するよう構成される。
【０１７８】
送受信ユニット１１０１は更に、一致したデータを第１装置に送信するよう構成される。
【０１７９】
あるいは、処理ユニット１１０３は更に、抽出ユニット１１０２によって一致したデータが抽出されず、当該基地局がクラスタヘッドであるとき、リクエストされたデータの識別情報に従って、リクエストされたデータの識別情報に一致する一致したデータが格納される第３記憶装置を決定し、第３記憶装置の識別情報を取得するよう構成される。
【０１８０】
送受信ユニット１１０１は更に、処理ユニット１１０３により取得された、第３記憶装置の識別情報を第１装置に送信するよう構成され、これにより、第１装置は、第３記憶装置の識別情報に従って第３記憶装置から一致したデータを取得する。
【０１８１】
図１２に示されるように、当該基地局は更に、リクエストメッセージが受信された回数を決定するよう構成される決定ユニット１１０４を有する。
【０１８２】
処理ユニット１１０３は更に、リクエストメッセージが受信された回数が第１閾値より大きいと判断されると、一致したデータをクラスタにコピーする際に許容される最大コピー数と、一致したデータがクラスタにすでに格納された回数とを取得するよう構成される。
【０１８３】
具体的には、処理ユニット１１０３は更に、当該基地局がクラスタヘッドでないとき、クラスタヘッドを利用することによって、一致したデータをクラスタにコピーする際に許容される最大コピー数と、一致したデータがクラスタにすでに格納された回数とを取得するよう構成される。
【０１８４】
処理ユニット１１０３は更に、一致したデータがクラスタにすでに格納された回数が、一致したデータをクラスタにコピーする際に許容される最大コピー数未満であるとき、一致したデータを格納し、一致したデータがクラスタにすでに格納された回数を更新するよう構成される。
【０１８５】
さらに、送受信ユニット１１０１は更に、当該基地局がクラスタヘッドでないとき、一致したデータがクラスタにすでに格納された回数をクラスタヘッドに送信するよう構成され、当該回数は処理ユニット１１０３によって更新され、これにより、クラスタヘッドは、一致したデータがクラスタにすでに格納された回数を更新する。
【０１８６】
さらに、決定ユニット１１０４は更に、フリーの記憶スペースのサイズが一致したデータのサイズより大きいか判断するよう構成される。
【０１８７】
処理ユニット１１０３は更に、決定ユニット１１０４が、フリーの記憶スペースのサイズが一致したデータのサイズより大きいと判断すると、一致したデータを直接格納し、決定ユニット１１０４が、フリーの記憶スペースのサイズが一致したデータのサイズより大きくないと判断すると、最も最近利用されていない（ＬＲＵ）アルゴリズムに従ってフリーの記憶スペースを更新し、更新されたフリーの記憶スペースに一致したデータを格納するよう構成される。
【０１８８】
図１３に示されるように、上記の基地局は更に、モニタリングユニット１１０５、カウントユニット１１０６、比較ユニット１１０７及び更新ユニット１１０８を有する。
【０１８９】
モニタリングユニット１１０５は、当該基地局がクラスタヘッドであるとき、クラスタにすでに格納される一致したデータのサービス状態をモニタリングするよう構成される。
【０１９０】
当該サービス状態は、サービス成功状態とサービス失敗状態とを有する。サービス成功状態は、一致したデータが第１装置に送信されることを表し、サービス失敗状態は、一致したデータが第１装置に送信されないことを表す。
【０１９１】
カウントユニット１１０６は、一致したデータのサービス状態に従って、一致したデータのサービス失敗状態の回数と、クラスタにおける受信されたリクエストメッセージの合計数とをカウントするよう構成される。
【０１９２】
比較ユニット１１０７は、カウントユニット１１０６によりカウントされた一致したデータのサービス失敗状態の個数と、カウントユニット１１０６によりカウントされたクラスタにおける受信したリクエストメッセージの合計数とを比較するよう構成される。
【０１９３】
更新ユニット１１０８は、比較ユニット１１０７により決定される比較結果に従って一致したデータをコピーする際に許容される最大コピー数を更新するよう構成される。
【０１９４】
具体的には、更新ユニット１１０８は、具体的には、比較ユニット１１０７により決定された比較結果が第２閾値より大きいとき、一致したデータをコピーする際に許容される最大コピー数を増加し、比較結果が第３閾値より小さいとき、一致したデータをコピーする際に許容される最大コピー数を減少するよう構成される。
【０１９５】
さらに、送受信ユニット１１０１は更に、ユーザ装置により送信された無線リソース制御リンクリクエストメッセージを受信するよう構成される。
【０１９６】
処理ユニット１１０３は更に、送受信ユニット１１０１により受信された無線リソース制御リンクリクエストメッセージに従って、ユーザ装置と無線リソース制御リンクを確立するよう構成される。
【０１９７】
本発明の本実施例は基地局を提供する。第１装置により送信されたリクエストメッセージが受信された後、格納されたデータがリクエストされたデータのリクエストメッセージにおける識別情報に従って抽出され、一致したデータが第１基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０１９８】
本発明の実施例はユーザ装置を提供する。図１４に示されるように、ユーザ装置は送受信ユニット１４０１及び処理ユニット１４０２を有する。
【０１９９】
送受信ユニット１４０１は、リクエストメッセージを第１基地局に送信するよう構成される。
【０２００】
当該リクエストメッセージは、リクエストされたデータの識別情報と当該ユーザ装置の識別情報とを含み、これにより、第１基地局は、リクエストされたデータの識別情報に従って第１基地局に格納されているデータ情報において抽出し、一致したデータが第１基地局に格納及び抽出された場合、第１基地局は、一致したデータを当該ユーザ装置に直接送信する。
【０２０１】
一致したデータは、リクエストされたデータの識別情報に一致するデータを表す。
【０２０２】
送受信ユニット１４０１は更に、データリクエストメッセージに応答して第１基地局により送信されたレスポンスメッセージを受信するよう構成される。
【０２０３】
具体的には、レスポンスメッセージは一致したデータを有する。
【０２０４】
送受信ユニット１４０１は、具体的には、第１基地局により送信された一致したデータを受信するよう構成される。
【０２０５】
あるいは、レスポンスメッセージは、一致したデータが格納される第３記憶装置の識別情報を有する。
【０２０６】
送受信ユニット１４０１は、具体的には、第１基地局により送信された、一致したデータが格納される第３記憶装置の識別情報を受信するよう構成される。
【０２０７】
処理ユニット１４０２は、具体的には、送受信ユニット１４０１により受信されたレスポンスデータに従って対応する処理を実行するよう構成される。
【０２０８】
具体的には、送受信ユニット１４０１が、第１基地局により一致したデータが格納される第３記憶装置の識別情報を受信すると、処理ユニット１４０２は、具体的には、送受信ユニット１４０１により受信される、一致したデータが格納された第３記憶装置の識別情報に従って第３記憶装置から一致したデータを取得するよう構成される。
【０２０９】
処理ユニット１４０２は、送受信ユニット１４０１により受信された、一致したデータが格納された第３記憶装置の識別情報に従って第３記憶装置とのデバイス・ツー・デバイスリンクを確立し、デバイス・ツー・デバイスリンクを介し第３記憶装置から一致したデータを取得するよう構成される。
【０２１０】
送受信ユニット１４０１が第１基地局により送信された一致したデータを受信すると、処理ユニット１４０２は、具体的には、送受信ユニット１４０１により受信された一致したデータに従って対応する処理を実行するよう構成される。
【０２１１】
さらに、図１５に示されるように、ユーザ装置は、リクエストメッセージが第１基地局に送信された回数を決定するよう構成される決定ユニット１４０３を有する。
【０２１２】
処理ユニット１４０２は更に、リクエストメッセージが第１基地局に送信された回数が第１閾値より大きいと判断されると、一致したデータをクラスタにコピーする際に許容される最大コピー数と、一致したデータがクラスタにすでに格納された回数とをクラスタヘッドから取得するよう構成される。
【０２１３】
具体的には、クラスタヘッドが第１基地局であるとき、処理ユニット１４０２は、具体的には、リクエストメッセージが第１基地局に送信された回数が第１閾値より大きいと判断されると、一致したデータをクラスタにコピーする際に許容される最大コピー数と、一致したデータがクラスタにすでに格納された回数とを第１基地局から取得するよう構成される。
【０２１４】
処理ユニット１４０２は更に、一致したデータがクラスタにすでに格納された回数が一致したデータをクラスタにコピーする際に許容される最大コピー数未満であるとき、一致したデータを格納し、一致したデータがクラスタにすでに格納された回数を更新するよう構成される。
【０２１５】
送受信ユニット１４０１は更に、一致したデータがクラスタにすでに格納された回数をクラスタヘッドに送信するよう構成され、ここで、当該回数は処理ユニット１４０２により更新され、これにより、クラスタヘッドは、一致したデータがクラスタにすでに格納された回数を更新する。
【０２１６】
さらに、送受信ユニット１４０１は更に、無線リソース制御リンク確立リクエストメッセージを第１基地局に送信するよう構成され、これにより、第１基地局は、ユーザ装置と無線リソース制御リンクを確立する。
【０２１７】
さらに、送受信ユニット１４０１は更に、パケットデータリンク確立リクエストメッセージをモビリティ・マネージメント・エンティティに送信するよう構成され、ここで、リクエストメッセージはパケットデータアドレス情報を含み、これにより、モビリティ・マネージメント・エンティティは、パケットデータリンク確立リクエストメッセージに含まれるパケットデータアドレス情報に従って、ユーザ装置とパケット・データ・ネットワーク・ゲートウェイとの間のベアラリンクを確立する。
【０２１８】
本発明の本実施例はユーザ装置を提供する。リクエストメッセージが第１基地局に送信され、これにより、第１基地局は、ユーザ装置により送信されたリクエストメッセージを受信した後、リクエストされたデータのリクエストメッセージにおける識別情報に従って第１基地局に格納されたデータにおいて抽出し、一致したデータが第１基地局に格納されている場合、第１基地局は、一致したデータをユーザ装置に直接送信する。このようにして、データ情報が基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２１９】
図１６に示されるように、本発明の実施例は、送受信機１６０１、メモリ１６０２及び送受信機１６０１とメモリ１６０２との双方に接続されたプロセッサ１６０３を有する基地局を提供する。おそらく、基地局は更に、アンテナ、ベースバンド処理コンポーネント、中間無線周波数処理コンポーネント及び入出力装置などの一般的なパーツを有してもよく、本発明の本実施例はこれに限定を設定しない。
【０２２０】
メモリ１６０２は、プログラムコードセットを記憶し、プロセッサ１６０３は、メモリ１６０２におけるプログラムコードを呼び出すよう構成される。送受信機１６０１及びプロセッサ１６０３の具体的な実現処理は以下の通りである。
【０２２１】
送受信機１６０１は、第１装置により送信されたリクエストメッセージを受信するよう構成される。
【０２２２】
当該リクエストメッセージは、リクエストされたデータの識別情報と第１装置の識別情報とを含み、第１装置はユーザ装置又は第２基地局を有する。
【０２２３】
プロセッサ１６０３は、送受信機１６０１により受信された、リクエストされたデータの識別情報に従って格納されているデータにおいて抽出するよう構成される。
【０２２４】
プロセッサ１６０３は、一致したデータが抽出されると、第１装置の識別情報に従って一致したデータを第１装置に送信するよう送受信機１６０１をトリガするよう構成される。
【０２２５】
当該一致したデータは、リクエストされたデータの識別情報に一致するデータを表す。
【０２２６】
具体的には、プロセッサ１６０３は、具体的には、送受信機１６０１がユーザ装置により送信されたリクエストメッセージを受信するとき、一致したデータがプロセッサ１６０３により抽出されたとき、一致したデータをユーザ装置に送信するよう送受信機１６０１をトリガするよう構成され、送受信機１６０１が第２基地局により送信されたリクエストメッセージを受信したとき、一致したデータがプロセッサ１６０３により抽出されたとき、一致したデータを第２基地局に送信するよう構成される。
【０２２７】
さらに、プロセッサ１６０３は更に、一致したデータが抽出されず、基地局がクラスタヘッドでないとき、モビリティ・マネージメント・エンティティを介しパケット・データ・ネットワーク・ゲートウェイにリクエストメッセージを送信するよう送受信機１６０１をトリガするよう構成され、これにより、パケット・データ・ネットワーク・ゲートウェイは、クラスタヘッドとして用いられる第３基地局にリクエストメッセージを送信し、第３基地局は、リクエストされたデータの識別情報に従って、一致したデータが格納される第１記憶装置を決定し、第１記憶装置の識別情報を第１基地局に送信する。
【０２２８】
送受信機１６０１は更に、第１記憶装置の識別情報を受信するよう構成される。
【０２２９】
送受信機１６０１は更に、第１記憶装置の識別情報に従って第１記憶装置にリクエストメッセージを送信するよう構成され、これにより、第１記憶装置は、リクエストメッセージを受信した後、リクエストメッセージにおけるリクエストされたデータの識別情報に一致する格納された一致したデータを基地局に送信する。
【０２３０】
送受信機１６０１は更に、第１記憶装置により送信された一致したデータを受信し、一致したデータを第１装置に送信するよう構成される。
【０２３１】
さらに、プロセッサ１６０３は更に、一致したデータが抽出されず、当該基地局がクラスタヘッドであるとき、リクエストされたデータの識別情報に従って、一致したデータが格納される第２記憶装置を決定し、第２記憶装置の識別情報を取得するよう構成される。
【０２３２】
送受信機１６０１は更に、プロセッサ１６０３によって取得された、第２記憶装置の識別情報に従ってリクエストメッセージを第２記憶装置に送信するよう構成され、これにより、第２記憶装置は、リクエストされたデータの識別情報に従って一致したデータを取得し、一致したデータを当該基地局に送信するよう構成される。
【０２３３】
送受信機１６０１は更に、第２記憶装置により送信された一致したデータを受信するよう構成される。
【０２３４】
送受信機１６０１は更に、一致したデータを第１装置に送信するよう構成される。
【０２３５】
あるいは、プロセッサ１６０３は更に、一致したデータが抽出されず、当該基地局がクラスタヘッドであるとき、リクエストメッセージにおけるリクエストされたデータの識別情報に従って、リクエストされたデータの識別情報に一致する一致したデータが格納される第３記憶装置を決定し、第３記憶装置の識別情報を取得するよう構成される。
【０２３６】
送受信機１６０１は更に、プロセッサ１６０３により取得された、第３記憶装置の識別情報を第１装置に送信するよう構成され、これにより、第１装置は、第３記憶装置の識別情報に従って第３記憶装置から一致したデータを取得する。
【０２３７】
プロセッサ１６０３は更に、リクエストメッセージが受信された回数を決定するよう構成される。
【０２３８】
プロセッサ１６０３は更に、リクエストメッセージが受信された回数が第１閾値より大きいと判断されると、一致したデータをクラスタにコピーする際に許容される最大コピー数と、一致したデータがクラスタにすでに格納された回数とを取得するよう構成される。
【０２３９】
さらに、プロセッサ１６０３は更に、当該基地局がクラスタヘッドでないとき、クラスタヘッドを利用することによって、一致したデータをクラスタにコピーする際に許容される最大コピー数と、一致したデータがクラスタにすでに格納された回数とを取得するよう構成される。
【０２４０】
プロセッサ１６０３は更に、一致したデータがクラスタにすでに格納された回数が、一致したデータをクラスタにコピーする際に許容される最大コピー数未満であるとき、一致したデータを格納し、一致したデータがクラスタにすでに格納された回数を更新するよう構成される。
【０２４１】
さらに、送受信機１６０１は更に、当該基地局がクラスタヘッドでないとき、一致したデータがクラスタにすでに格納された回数をクラスタヘッドに送信するよう構成され、当該回数はプロセッサ１６０３によって更新され、これにより、クラスタヘッドは、一致したデータがクラスタにすでに格納された回数を更新する。
【０２４２】
さらに、プロセッサ１６０３は更に、フリーの記憶スペースのサイズが一致したデータのサイズより大きいか判断するよう構成される。
【０２４３】
プロセッサ１６０３は更に、フリーの記憶スペースのサイズが一致したデータのサイズより大きいと判断されると、一致したデータを直接格納し、フリーの記憶スペースのサイズが一致したデータのサイズより大きくないと判断されると、最も最近利用されていないアルゴリズムに従ってフリーの記憶スペースを更新し、更新されたフリーの記憶スペースに一致したデータを格納するよう構成される。
【０２４４】
プロセッサ１６０３は、当該基地局がクラスタヘッドであるとき、クラスタにすでに格納される一致したデータのサービス状態をモニタリングするよう構成される。
【０２４５】
当該サービス状態は、サービス成功状態とサービス失敗状態とを有し、ここで、サービス成功状態は、一致したデータが第１装置に送信されることを表し、サービス失敗状態は、一致したデータが第１装置に送信されないことを表す。
【０２４６】
プロセッサ１６０３は更に、一致したデータのサービス状態に従って、一致したデータのサービス失敗状態の回数と、クラスタにおける受信されたリクエストメッセージの合計数とをカウントするよう構成される。
【０２４７】
プロセッサ１６０３は更に、一致したデータのサービス失敗状態のカウントされた個数と、クラスタにおける受信したリクエストメッセージの合計数とを比較するよう構成される。
【０２４８】
プロセッサ１６０３は、決定された比較結果に従って一致したデータをコピーする際に許容される最大コピー数を更新するよう構成される。
【０２４９】
具体的には、プロセッサ１６０３は、具体的には、比較結果が第２閾値より大きいとき、一致したデータをコピーする際に許容される最大コピー数を増加し、比較結果が第３閾値より小さいとき、一致したデータをコピーする際に許容される最大コピー数を減少するよう構成される。
【０２５０】
さらに、送受信機１６０１は更に、ユーザ装置により送信された無線リソース制御リンクリクエストメッセージを受信するよう構成される。
【０２５１】
プロセッサ１６０３は更に、送受信機１６０１により受信された無線リソース制御リンクリクエストメッセージに従って、ユーザ装置と無線リソース制御リンクを確立するよう構成される。
【０２５２】
本発明の本実施例は基地局を提供する。第１装置により送信されたリクエストメッセージが受信された後、格納されたデータがリクエストされたデータのリクエストメッセージにおける識別情報に従って抽出され、一致したデータが第１基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２５３】
図１７に示されるように、本発明の実施例は、送受信機１７０１、メモリ１７０２及び送受信機１７０１とメモリ１７０２との双方に接続されたプロセッサ１７０３を有するユーザ装置を提供する。おそらく、ユーザ装置は他の一般的なパーツを有してもよく、本発明の本実施例はこれに限定を設定しない。
【０２５４】
メモリ１７０２は、プログラムコードセットを記憶し、プロセッサ１７０３は、メモリ１７０２におけるプログラムコードを呼び出すよう構成される。プロセッサ１７０３及び送受信機１７０１は、以下の処理を実行するよう構成される。
【０２５５】
送受信機１７０１は、リクエストメッセージを第１基地局に送信するよう構成される。
【０２５６】
当該リクエストメッセージは、リクエストされたデータの識別情報と当該ユーザ装置の識別情報とを含み、これにより、第１基地局は、リクエストされたデータの識別情報に従って第１基地局に格納されているデータ情報において抽出し、一致したデータが第１基地局に格納及び抽出された場合、第１基地局は、一致したデータを当該ユーザ装置に直接送信する。
【０２５７】
一致したデータは、リクエストされたデータの識別情報に一致するデータを表す。
【０２５８】
送受信機１７０１は更に、データリクエストメッセージに応答して第１基地局により送信されたレスポンスメッセージを受信するよう構成される。
【０２５９】
具体的には、レスポンスメッセージは一致したデータを有する。
【０２６０】
送受信機１７０１は、具体的には、第１基地局により送信された一致したデータを受信するよう構成される。
【０２６１】
あるいは、レスポンスメッセージは、一致したデータが格納される第３記憶装置の識別情報を有する。
【０２６２】
送受信機１７０１は、具体的には、第１基地局により送信された、一致したデータが格納される第３記憶装置の識別情報を受信するよう構成される。
【０２６３】
プロセッサ１７０３は、具体的には、送受信機１７０１により受信されたレスポンスデータに従って対応する処理を実行するよう構成される。
【０２６４】
具体的には、送受信機１７０１が、第１基地局により送信された、一致したデータが格納される第３記憶装置の識別情報を受信すると、プロセッサ１７０３は、具体的には、一致したデータが格納された第３記憶装置の受信した識別情報に従って第３記憶装置から一致したデータを取得するよう構成される。
【０２６５】
プロセッサ１７０３は、送受信機１７０１により受信された、一致したデータが格納された第３記憶装置の識別情報に従って第３記憶装置とのデバイス・ツー・デバイスリンクを確立し、デバイス・ツー・デバイスリンクを介し第３記憶装置から一致したデータを取得するよう構成される。
【０２６６】
送受信機１７０１が第１基地局により送信された一致したデータを受信すると、プロセッサ１７０３は、具体的には、送受信機１７０１により受信された一致したデータに従って対応する処理を実行するよう構成される。
【０２６７】
プロセッサ１７０３は、リクエストメッセージが第１基地局に送信された回数を決定するよう構成される。
【０２６８】
プロセッサ１７０３は更に、リクエストメッセージが第１基地局に送信された回数が第１閾値より大きいと判断されると、一致したデータをクラスタにコピーする際に許容される最大コピー数と、一致したデータがクラスタにすでに格納された回数とをクラスタヘッドから取得するよう構成される。
【０２６９】
具体的には、クラスタヘッドが第１基地局であるとき、プロセッサ１７０３は、具体的には、リクエストメッセージが第１基地局に送信された回数が第１閾値より大きいと判断されると、一致したデータをクラスタにコピーする際に許容される最大コピー数と、一致したデータがクラスタにすでに格納された回数とを第１基地局から取得するよう構成される。
【０２７０】
プロセッサ１７０３は更に、一致したデータがクラスタにすでに格納された回数が一致したデータをクラスタにコピーする際に許容される最大コピー数未満であるとき、一致したデータを格納し、一致したデータがクラスタにすでに格納された回数を更新するよう構成される。
【０２７１】
送受信機１７０１は更に、一致したデータがクラスタにすでに格納された回数をクラスタヘッドに送信するよう構成され、ここで、当該回数はプロセッサ１７０３により更新され、これにより、クラスタヘッドは、一致したデータがクラスタにすでに格納された回数を更新する。
【０２７２】
さらに、送受信機１７０１は更に、無線リソース制御リンク確立リクエストメッセージを第１基地局に送信するよう構成され、これにより、第１基地局は、ユーザ装置ＵＥと無線リソース制御リンクを確立する。
【０２７３】
さらに、送受信機１７０１は更に、パケットデータリンク確立リクエストメッセージをモビリティ・マネージメント・エンティティに送信するよう構成され、ここで、リクエストメッセージはパケットデータアドレス情報を含み、これにより、モビリティ・マネージメント・エンティティは、パケットデータリンク確立リクエストメッセージに含まれるパケットデータアドレス情報に従って、ユーザ装置とパケット・データ・ネットワーク・ゲートウェイとの間のベアラリンクを確立する。
【０２７４】
本発明の本実施例はユーザ装置を提供する。リクエストメッセージが第１基地局に送信され、これにより、第１基地局は、ユーザ装置により送信されたリクエストメッセージを受信した後、リクエストされたデータのリクエストメッセージにおける識別情報に従って第１基地局に格納されたデータにおいて抽出し、一致したデータが第１基地局に格納されている場合、第１基地局は、一致したデータをユーザ装置に直接送信する。このようにして、データ情報が基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２７５】
図１８に示されるように、本発明の実施例は、モビリティ・マネージメント・エンティティ（ＭＭＥ）１８０１、パケット・データ・ネットワーク・ゲートウェイ１８０２、少なくとも１つの基地局１８０３及び少なくとも１つのユーザ装置１８０４を有するデータ送信システムを提供する。基地局１８０３は、上記の実施例において説明された基地局であり、ユーザ装置１８０４は、上記の実施例において説明されたユーザ装置である。
【０２７６】
本発明の本実施例は、データ送信方法、装置及びシステムを提供する。第１装置により送信されたリクエストメッセージを受信した後、基地局は、リクエストされたデータのリクエストメッセージにおける識別情報に従って格納されたデータにおいて抽出し、一致したデータが第１基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２７７】
上記の説明は、本発明の単なる具体的な実現方式であり、本発明の保護範囲を限定することを意図しない。本発明において開示される技術的範囲内において当業者により容易に理解される何れかの変形又は置換は、本発明の保護範囲内に属する。従って、本発明の保護範囲は、請求項の保護範囲に従う。
【図１】
2016517643.tif 000003
【図２】
2016517643.tif 000004
【図３】
2016517643.tif 000005
【図４】
2016517643.tif 000006
【図５】
2016517643.tif 000007
【図６】
2016517643.tif 000008
【図７】
2016517643.tif 000009
【図８】
2016517643.tif 000010
【図９】
2016517643.tif 000011
【図１０】
2016517643.tif 000012
【図１１】
2016517643.tif 000013
【図１２】
2016517643.tif 000014
【図１３】
2016517643.tif 000015
【図１４】
2016517643.tif 000016
【図１５】
2016517643.tif 000017
【図１６】
2016517643.tif 000018
【図１７】
2016517643.tif 000019
【図１８】
2016517643.tif 000020
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
データ送信方法であって、
第１基地局が、第１装置により送信されたリクエストメッセージを受信するステップであって、前記リクエストメッセージは、リクエストされたデータの識別情報と前記第１装置の識別情報とを含み、前記第１装置はユーザ装置又は第２基地局を含む、受信するステップと、
前記第１基地局が、前記リクエストされたデータの識別情報に従って格納されているデータにおいて抽出するステップと、
一致したデータが抽出されると、前記第１基地局が、前記第１装置の識別情報に従って前記一致したデータを前記第１装置に送信するステップであって、前記一致したデータは、前記リクエストされたデータの識別情報に一致するデータを表す、送信するステップと、
を有するデータ送信方法。
【請求項２】
当該方法は更に、
前記第１基地局により一致したデータが抽出されず、前記第１基地局がクラスタヘッドでないとき、前記第１基地局が、モビリティ・マネージメント・エンティティを介しパケット・データ・ネットワーク・ゲートウェイに前記リクエストメッセージを送信するステップであって、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信する、送信するステップと、
前記第１基地局が、前記第１記憶装置の識別情報を受信するステップと、
前記第１基地局が、前記第１記憶装置の識別情報に従って前記第１記憶装置に前記リクエストメッセージを送信するステップであって、前記第１記憶装置は、前記リクエストメッセージを受信した後に、前記リクエストメッセージにおいて前記リクエストされたデータの識別情報に一致する前記格納されている一致したデータを前記第１基地局に送信する、送信するステップと、
前記第１基地局が、前記第１記憶装置により送信された前記一致したデータを受信し、前記一致したデータを前記第１装置に送信するステップと、
を有する、請求項１記載のデータ送信方法。
【請求項３】
当該方法は更に、
前記第１基地局により一致したデータが抽出されず、前記第１基地局がクラスタヘッドであるとき、前記第１基地局が、前記リクエストされたデータの識別情報に従って、前記一致したデータが格納される第２記憶装置を決定し、前記第２記憶装置の識別情報を取得するステップと、
前記第１基地局が、前記第２記憶装置の識別情報に従って前記第２記憶装置に前記リクエストメッセージを送信するステップであって、前記第２記憶装置は、前記リクエストされたデータの識別情報に従って前記一致したデータを取得し、前記一致したデータを前記第１基地局に送信する、送信するステップと、
前記第１基地局が、前記第２記憶装置により送信された前記一致したデータを受信するステップと、
前記第１基地局が、前記一致したデータを前記第１装置に送信するステップと、
を有する、請求項１記載のデータ送信方法。
【請求項４】
当該方法は更に、
前記第１基地局によって一致したデータが抽出されず、前記第１基地局がクラスタヘッドであるとき、前記第１基地局が、前記リクエストされたデータの識別情報に従って、前記リクエストされたデータの識別情報に一致する前記一致したデータが格納される第３記憶装置を決定し、前記第３記憶装置の識別情報を取得するステップと、
前記第１基地局が、前記第３記憶装置の識別情報を前記第１装置に送信するステップであって、前記第１装置は、前記第３記憶装置の識別情報に従って前記第３記憶装置から前記一致したデータを取得する、送信するステップと、
を有する、請求項１記載のデータ送信方法。
【請求項５】
前記第１基地局が第１装置により送信されたリクエストメッセージを受信した後、当該方法は更に、
前記第１基地局が、前記リクエストメッセージが受信された回数を決定するステップと、
前記リクエストメッセージが受信された回数が第１閾値より大きいと判断されると、前記第１基地局が、前記一致したデータをクラスタにコピーする際に許容される最大コピー数と、前記一致したデータが前記クラスタにすでに格納された回数とを取得するステップと、
前記一致したデータが前記クラスタにすでに格納された回数が、前記一致したデータを前記クラスタにコピーする際に許容される最大コピー数未満であるとき、前記第１基地局が、前記一致したデータを格納し、前記一致したデータが前記クラスタにすでに格納された回数を更新するステップと、
を有する、請求項２乃至４何れか一項記載のデータ送信方法。
【請求項６】
前記第１基地局が、前記一致したデータをクラスタにコピーする際に許容される最大コピー数と、前記一致したデータが前記クラスタにすでに格納された回数とを取得するステップは、
前記第１基地局がクラスタヘッドでない場合、前記第１基地局が、クラスタヘッドを利用することによって、前記一致したデータを前記クラスタにコピーする際に許容される最大コピー数と、前記一致したデータが前記クラスタにすでに格納された回数とを取得するステップを有し、
前記第１基地局が前記一致したデータが前記クラスタにすでに格納された回数を更新した後、当該方法は更に、
前記第１基地局が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップを有する、請求項５記載のデータ送信方法。
【請求項７】
前記第１基地局が前記一致したデータを格納するステップは、
前記第１基地局が、フリーの記憶スペースのサイズが前記一致したデータのサイズより大きいか判断するステップと、
前記フリーの記憶スペースのサイズが前記一致したデータのサイズより大きい場合、前記第１基地局が、前記一致したデータを直接格納するステップと、
前記フリーの記憶スペースのサイズが前記一致したデータのサイズより大きくない場合、前記第１基地局が、ＬＲＵ（Ｌｅａｓｔ  Ｒｅｃｅｎｔｌｙ  Ｕｓｅｄ）アルゴリズムに従って前記フリーの記憶スペースを更新し、前記一致したデータを前記更新されたフリーの記憶スペースに格納するステップと、
を有する、請求項５又は６記載のデータ送信方法。
【請求項８】
データ送信方法であって、
ユーザ装置が、リクエストメッセージを第１基地局に送信し、前記リクエストメッセージは、リクエストされたデータの識別情報と前記ユーザ装置の識別情報とを含み、前記第１基地局は、前記リクエストされたデータの識別情報に従って前記第１基地局に格納されたデータにおいて抽出し、一致したデータが前記第１基地局に格納及び抽出された場合、前記第１基地局が、前記一致したデータを前記ユーザ装置に直接送信するステップであって、前記一致したデータは、前記リクエストされたデータの識別情報に一致するデータを表す、送信するステップと、
前記ユーザ装置が、前記リクエストメッセージに応答して、前記第１基地局により送信されたレスポンスメッセージを受信し、前記レスポンスメッセージに従って対応する処理を実行するステップと、
を有するデータ送信方法。
【請求項９】
基地局であって、
第１装置により送信されたリクエストメッセージを受信するよう構成される送受信ユニットであって、前記リクエストメッセージは、リクエストされたデータの識別情報と前記第１装置の識別情報とを含み、前記第１装置はユーザ装置又は第２基地局を有する、送受信ユニットと、
前記送受信ユニットにより受信された、前記リクエストされたデータの識別情報に従って格納されているデータにおいて抽出するよう構成される抽出ユニットと、
前記抽出ユニットによって一致したデータが抽出されると、前記第１装置の識別情報に従って前記一致したデータを前記第１装置に送信するよう前記送受信ユニットをトリガするよう構成される処理ユニットであって、前記一致したデータは前記リクエストされたデータの識別情報に一致するデータを表す、処理ユニットと、
を有する基地局。
【請求項１０】
前記処理ユニットは更に、前記抽出ユニットにより一致したデータが抽出されず、当該基地局がクラスタヘッドでないとき、モビリティ・マネージメント・エンティティを介しパケット・データ・ネットワーク・ゲートウェイに前記リクエストメッセージを送信するよう前記送受信ユニットをトリガするよう構成され、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を当該基地局に送信し、
前記送受信ユニットは更に、前記第１記憶装置の識別情報を受信するよう構成され、
前記送受信ユニットは更に、前記第１記憶装置の識別情報に従って前記第１記憶装置に前記リクエストメッセージを送信するよう構成され、前記第１記憶装置は、前記リクエストメッセージを受信した後、前記リクエストメッセージにおける前記リクエストされたデータの識別情報に一致する前記格納された一致したデータを当該基地局に送信し、
前記送受信ユニットは更に、前記第１記憶装置により送信された前記一致したデータを受信し、前記一致したデータを前記第１装置に送信するよう構成される、請求項９記載の基地局。
【請求項１１】
前記処理ユニットは更に、前記抽出ユニットによって一致したデータが抽出されず、当該基地局がクラスタヘッドであるとき、前記リクエストされたデータの識別情報に従って、前記一致したデータが格納される第２記憶装置を決定し、前記第２記憶装置の識別情報を取得するよう構成され、
前記送受信ユニットは更に、前記処理ユニットによって取得された、前記第２記憶装置の識別情報に従って前記リクエストメッセージを前記第２記憶装置に送信するよう構成され、前記第２記憶装置は、前記リクエストされたデータの識別情報に従って前記一致したデータを取得し、前記一致したデータを当該基地局に送信するよう構成され、
前記送受信ユニットは更に、前記第２記憶装置により送信された前記一致したデータを受信するよう構成され、
前記送受信ユニットは更に、前記一致したデータを前記第１装置に送信するよう構成される、請求項９記載の基地局。
【請求項１２】
前記処理ユニットは更に、前記抽出ユニットによって一致したデータが抽出されず、当該基地局がクラスタヘッドであるとき、前記リクエストされたデータの識別情報に従って、前記リクエストされたデータの識別情報に一致する前記一致したデータが格納される第３記憶装置を決定し、前記第３記憶装置の識別情報を取得するよう構成され、
前記送受信ユニットは更に、前記処理ユニットにより取得された、前記第３記憶装置の識別情報を前記第１装置に送信するよう構成され、前記第１装置は、前記第３記憶装置の識別情報に従って前記第３記憶装置から前記一致したデータを取得する、請求項１０記載の基地局。
【請求項１３】
前記リクエストメッセージが受信された回数を決定するよう構成される決定ユニットを更に有し、
前記処理ユニットは更に、前記リクエストメッセージが受信された回数が第１閾値より大きいと判断されると、前記一致したデータをクラスタにコピーする際に許容される最大コピー数と、前記一致したデータが前記クラスタにすでに格納された回数とを取得するよう構成され、
前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成される、請求項１０乃至１２何れか一項記載の基地局。
【請求項１４】
前記処理ユニットは更に、当該基地局がクラスタヘッドでないとき、クラスタヘッドを利用することによって、前記一致したデータを前記クラスタにコピーする際に許容される最大コピー数と、前記一致したデータが前記クラスタにすでに格納された回数とを取得するよう構成され、
前記送受信ユニットは更に、前記一致したデータが前記クラスタにすでに格納された回数を前記クラスタヘッドに送信するよう構成され、前記回数は前記処理ユニットによって更新され、前記クラスタヘッドは、前記一致したデータが前記クラスタにすでに格納された回数を更新する、請求項１３記載の基地局。
【請求項１５】
ユーザ装置であって、
リクエストメッセージを第１基地局に送信するよう構成される送受信ユニットであって、前記リクエストメッセージは、リクエストされたデータの識別情報と当該ユーザ装置の識別情報とを含み、前記第１基地局は、前記リクエストされたデータの識別情報に従って前記第１基地局に格納されているデータにおいて抽出し、一致したデータが前記第１基地局に格納及び抽出された場合、前記第１基地局は、前記一致したデータを当該ユーザ装置に直接送信し、前記一致したデータは、前記リクエストされたデータの識別情報に一致するデータを表し、前記送受信ユニットは更に、前記リクエストメッセージに応答して前記第１基地局により送信されたレスポンスメッセージを受信するよう構成される、送受信ユニットと、
前記送受信ユニットにより受信されたレスポンスメッセージに従って対応する処理を実行するよう構成される処理ユニットと、
を有するユーザ装置。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、特にデータ送信方法、装置及びシステムに関する。
【背景技術】
【０００２】
モバイル通信ネットワークの発展によって、モバイル通信システムは、ブロードバンドベース、扁平的及びＩＰ（Ｉｎｔｅｒｎｅｔ  Ｐｒｏｔｏｃｏｌ、インターネットプロトコル）ベースになるよう徐々に進化し、これは、データ及びビデオサービスの効果的な送信のためのより良好な状態と、ユーザのアプリケーション体感の向上とを提供する。従来技術では、コアネットワーク及び無線インタフェースの帯域幅の浪費を低減するため、ビデオはＨＴＴＰ（ＨｙｐｅｒＴｅｘｔ  Ｔｒａｎｓｐｏｒｔ  Ｐｒｏｔｏｃｏｌ、ハイパーテキスト・トランスポート・プロトコル）ストリーム方式で送信される。ＨＴＴＰストリーム方式では、ビデオコンテンツの符号化方式はチャネルの状態に従って調整される。チャネルが相対的に良好な状態にある場合、相対的に高いデータレートでビデオコンテンツが送信され、チャネルが相対的に不良な状態にある場合、相対的に低いデータレートでビデオコンテンツが送信される。
【０００３】
ＨＴＴＰストリーム方式でビデオを送信する処理において、異なるユーザの端末が同一のビデオコンテンツにアクセスするとき、ビデオサーバは、同一のビデオコンテンツを異なるユーザの端末に別々に送信する必要がある。送信されたビデオコンテンツは、コアネットワークの帯域幅を繰り返し占有し、コアネットワークの帯域幅の浪費を低減する効果は自明でない。
【発明の概要】
【０００４】
本発明の実施例は、データ送信により占有されるコアネットワーク帯域幅リソースを低減するためのデータ送信方法、装置及びシステムを提供する。
【０００５】
上記の課題を達成するため、以下の技術的方策が本発明の実施例において利用される。
【０００６】
第１の態様によると、本発明の実施例は、データ送信方法であって、第１基地局が、第１装置により送信されたリクエストメッセージを受信するステップであって、前記リクエストメッセージは、リクエストされたデータの識別情報と前記第１装置の識別情報とを含み、前記第１装置はユーザ装置又は第２基地局を含む、受信するステップと、前記第１基地局が、前記リクエストされたデータの識別情報に従って格納されているデータにおいて抽出するステップと、一致したデータが抽出されると、前記第１基地局が、前記第１装置の識別情報に従って前記一致したデータを前記第１装置に送信するステップであって、前記一致したデータは、前記リクエストされたデータの識別情報に一致するデータを表す、送信するステップと、を有するデータ送信方法を提供する。
【０００７】
第１の態様の第１の可能な実現方式では、当該方法は更に、前記第１基地局により一致したデータが抽出されず、前記第１基地局がクラスタヘッドでないとき、前記第１基地局が、モビリティ・マネージメント・エンティティを介しパケット・データ・ネットワーク・ゲートウェイに前記リクエストメッセージを送信するステップであって、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信する、送信するステップと、前記第１基地局が、前記第１記憶装置の識別情報を受信するステップと、前記第１基地局が、前記第１記憶装置の識別情報に従って前記第１記憶装置に前記リクエストメッセージを送信するステップであって、前記第１記憶装置は、前記リクエストメッセージを受信した後に、前記リクエストメッセージにおいて前記リクエストされたデータの識別情報に一致する前記格納されている一致したデータを前記第１基地局に送信する、送信するステップと、前記第１基地局が、前記第１記憶装置により送信された前記一致したデータを受信し、前記一致したデータを前記第１装置に送信するステップと、を有する。
【０００８】
第１の態様を参照して、第２の可能な実現方式では、当該方法は更に、前記第１基地局により一致したデータが抽出されず、前記第１基地局がクラスタヘッドであるとき、前記第１基地局が、前記リクエストされたデータの識別情報に従って、前記一致したデータが格納される第２記憶装置を決定し、前記第２記憶装置の識別情報を取得するステップと、前記第１基地局が、前記第２記憶装置の識別情報に従って前記第２記憶装置に前記リクエストメッセージを送信するステップであって、前記第２記憶装置は、前記リクエストされたデータの識別情報に従って前記一致したデータを取得し、前記一致したデータを前記第１基地局に送信する、送信するステップと、前記第１基地局が、前記第２記憶装置により送信された前記一致したデータを受信するステップと、前記第１基地局が、前記一致したデータを前記第１装置に送信するステップと、を有する。
【０００９】
第１の態様を参照して、第３の可能な実現方式では、当該方法は更に、前記第１基地局によって一致したデータが抽出されず、前記第１基地局がクラスタヘッドであるとき、前記第１基地局が、前記リクエストされたデータの識別情報に従って、前記リクエストされたデータの識別情報に一致する前記一致したデータが格納される第３記憶装置を決定し、前記第３記憶装置の識別情報を取得するステップと、前記第１基地局が、前記第３記憶装置の識別情報を前記第１装置に送信するステップであって、前記第１装置は、前記第３記憶装置の識別情報に従って前記第３記憶装置から前記一致したデータを取得する、送信するステップと、を有する。
【００１０】
第１の態様の第１の可能な実現方式、第１の態様の第２の可能な実現方式又は第１の態様の第３の可能な実現方式を参照して、第４の可能な実現方式では、前記第１基地局が第１装置により送信されたリクエストメッセージを受信した後、当該方法は更に、前記第１基地局が、前記リクエストメッセージが受信された回数を決定するステップと、前記リクエストメッセージが受信された回数が第１閾値より大きいと判断されると、前記第１基地局が、前記一致したデータをクラスタにコピーする際に許容される最大コピー数と、前記一致したデータが前記クラスタにすでに格納された回数とを取得するステップと、前記一致したデータが前記クラスタにすでに格納された回数が、前記一致したデータを前記クラスタにコピーする際に許容される最大コピー数未満であるとき、前記第１基地局が、前記一致したデータを格納し、前記一致したデータが前記クラスタにすでに格納された回数を更新するステップと、を有する。
【００１１】
第１の態様の第４の可能な実現方式を参照して、第５の可能な実現方式では、前記第１基地局が、前記一致したデータをクラスタにコピーする際に許容される最大コピー数と、前記一致したデータが前記クラスタにすでに格納された回数とを取得するステップは、前記第１基地局がクラスタヘッドでない場合、前記第１基地局が、クラスタヘッドを利用することによって、前記一致したデータを前記クラスタにコピーする際に許容される最大コピー数と、前記一致したデータが前記クラスタにすでに格納された回数とを取得するステップを有し、前記第１基地局が前記一致したデータが前記クラスタにすでに格納された回数を更新した後、当該方法は更に、前記第１基地局が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップを有する。
【００１２】
第１の態様の第４の可能な実現方式又は第１の態様の第５の可能な実現方式を参照して、第６の可能な実現方式では、前記第１基地局が前記一致したデータを格納するステップは、前記第１基地局が、フリーの記憶スペースのサイズが前記一致したデータのサイズより大きいか判断するステップと、前記フリーの記憶スペースのサイズが前記一致したデータのサイズより大きい場合、前記第１基地局が、前記一致したデータを直接格納するステップと、前記フリーの記憶スペースのサイズが前記一致したデータのサイズより大きくない場合、前記第１基地局が、最も最近利用されていないアルゴリズムに従って前記フリーの記憶スペースを更新し、前記一致したデータを前記更新されたフリーの記憶スペースに格納するステップと、を有する。
【００１３】
第２の態様によると、本発明の実施例は、データ送信方法であって、ユーザ装置が、リクエストメッセージを第１基地局に送信し、前記リクエストメッセージは、リクエストされたデータの識別情報と前記ユーザ装置の識別情報とを含み、前記第１基地局は、前記リクエストされたデータの識別情報に従って前記第１基地局に格納されたデータにおいて抽出し、一致したデータが前記第１基地局に格納及び抽出された場合、前記第１基地局が、前記一致したデータを前記ユーザ装置に直接送信するステップであって、前記一致したデータは、前記リクエストされたデータの識別情報に一致するデータを表す、送信するステップと、前記ユーザ装置が、前記リクエストメッセージに応答して、前記第１基地局により送信されたレスポンスメッセージを受信し、前記レスポンスメッセージに従って対応する処理を実行するステップと、を有するデータ送信方法を提供する。
【００１４】
第２の態様の第１の可能な実現方式では、前記レスポンスメッセージは、前記一致したデータを有し、前記ユーザ装置が、前記リクエストメッセージに応答して、前記第１基地局により送信されたレスポンスメッセージを受信し、前記レスポンスメッセージに従って対応する処理を実行するステップは、前記ユーザ装置が、前記第１基地局により送信された前記一致したデータを受信し、前記一致したデータに従って前記対応する処理を実行するステップを有する。
【００１５】
第２の態様を参照して、第２の可能な実現方式では、前記リクエストメッセージに応答した前記レスポンスメッセージは、前記一致したデータが格納される第３記憶装置の識別情報を有し、前記ユーザ装置が、前記リクエストメッセージに応答して、前記第１基地局により送信されたレスポンスメッセージを受信し、前記レスポンスメッセージに従って対応する処理を実行するステップは、前記ユーザ装置が、前記第１基地局により送信された、前記一致したデータが格納される第３記憶装置の識別情報を受信するステップと、前記ユーザ装置が、前記第３記憶装置の識別情報に従って前記第３記憶装置から前記一致したデータを取得するステップと、を有する。
【００１６】
第２の態様、第２の態様の第１の可能な実現方式又は第２の態様の第２の可能な実現方式を参照して、第３の可能な実現方式では、前記ユーザ装置がリクエストメッセージを第１基地局に送信した後、当該方法は更に、前記ユーザ装置が、前記リクエストメッセージが前記第１基地局に送信された回数を決定するステップと、前記リクエストメッセージが前記第１基地局に送信された回数が第１閾値より大きいと判断されると、前記ユーザ装置が、前記一致したデータをクラスタにコピーする際に許容される最大コピー数と、前記一致したデータが前記クラスタにすでに格納された回数とをクラスタヘッドから取得するステップと、前記一致したデータが前記クラスタにすでに格納された回数が、前記一致したデータを前記クラスタにコピーする際に許容される最大コピー数未満である場合、前記ユーザ装置が、前記一致したデータを格納し、前記一致したデータが前記クラスタにすでに格納された回数を更新するステップと、前記ユーザ装置が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップと、を有する。
【００１７】
第３の態様によると、本発明の実施例は、基地局であって、第１装置により送信されたリクエストメッセージを受信するよう構成される送受信ユニットであって、前記リクエストメッセージは、リクエストされたデータの識別情報と前記第１装置の識別情報とを含み、前記第１装置はユーザ装置又は第２基地局を有する、送受信ユニットと、前記送受信ユニットにより受信された、前記リクエストされたデータの識別情報に従って格納されているデータにおいて抽出するよう構成される抽出ユニットと、前記抽出ユニットによって一致したデータが抽出されると、前記第１装置の識別情報に従って前記一致したデータを前記第１装置に送信するよう前記送受信ユニットをトリガするよう構成される処理ユニットであって、前記一致したデータは前記リクエストされたデータの識別情報に一致するデータを表す、処理ユニットと、を有する基地局を提供する。
【００１８】
第３の態様の第１の可能な実現方式では、前記処理ユニットは更に、前記抽出ユニットにより一致したデータが抽出されず、当該基地局がクラスタヘッドでないとき、モビリティ・マネージメント・エンティティを介しパケット・データ・ネットワーク・ゲートウェイに前記リクエストメッセージを送信するよう前記送受信ユニットをトリガするよう構成され、前記パケット・データ・ネットワーク・ゲートウェイは、クラスタヘッドとして用いられる第３基地局に前記リクエストメッセージを送信し、前記第３基地局は、前記リクエストされたデータの識別情報に従って、前記一致したデータが格納される第１記憶装置を決定し、前記第１記憶装置の識別情報を前記第１基地局に送信し、前記送受信ユニットは更に、前記第１記憶装置の識別情報を受信するよう構成され、前記送受信ユニットは更に、前記第１記憶装置の識別情報に従って前記第１記憶装置に前記リクエストメッセージを送信するよう構成され、前記第１記憶装置は、前記リクエストメッセージを受信した後、前記リクエストメッセージにおける前記リクエストされたデータの識別情報に一致する前記格納された一致したデータを当該基地局に送信し、前記送受信ユニットは更に、前記第１記憶装置により送信された前記一致したデータを受信し、前記一致したデータを前記第１装置に送信するよう構成される。
【００１９】
第３の態様を参照して、第２の可能な実現方式では、前記処理ユニットは更に、前記抽出ユニットによって一致したデータが抽出されず、当該基地局がクラスタヘッドであるとき、前記リクエストされたデータの識別情報に従って、前記一致したデータが格納される第２記憶装置を決定し、前記第２記憶装置の識別情報を取得するよう構成され、前記送受信ユニットは更に、前記処理ユニットによって取得された、前記第２記憶装置の識別情報に従って前記リクエストメッセージを前記第２記憶装置に送信するよう構成され、前記第２記憶装置は、前記リクエストされたデータの識別情報に従って前記一致したデータを取得し、前記一致したデータを当該基地局に送信するよう構成され、前記送受信ユニットは更に、前記第２記憶装置により送信された前記一致したデータを受信するよう構成され、前記送受信ユニットは更に、前記一致したデータを前記第１装置に送信するよう構成される。
【００２０】
第３の態様を参照して、第３の可能な実現方式では、前記処理ユニットは更に、前記抽出ユニットによって一致したデータが抽出されず、当該基地局がクラスタヘッドであるとき、前記リクエストされたデータの識別情報に従って、前記リクエストされたデータの識別情報に一致する前記一致したデータが格納される第３記憶装置を決定し、前記第３記憶装置の識別情報を取得するよう構成され、前記送受信ユニットは更に、前記処理ユニットにより取得された、前記第３記憶装置の識別情報を前記第１装置に送信するよう構成され、前記第１装置は、前記第３記憶装置の識別情報に従って前記第３記憶装置から前記一致したデータを取得する。
【００２１】
第３の態様の第１の可能な実現方式、第３の態様の第２の可能な実現方式又は第３の態様の第３の可能な実現方式を参照して、第４の可能な実現方式では、当該基地局は更に、前記リクエストメッセージが受信された回数を決定するよう構成される決定ユニットを有し、前記処理ユニットは更に、前記リクエストメッセージが受信された回数が第１閾値より大きいと判断されると、前記一致したデータをクラスタにコピーする際に許容される最大コピー数と、前記一致したデータが前記クラスタにすでに格納された回数とを取得するよう構成され、前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成される。
【００２２】
第３の態様の第４の可能な実現方式を参照して、第５の可能な実現方式では、前記処理ユニットは更に、当該基地局がクラスタヘッドでないとき、クラスタヘッドを利用することによって、前記一致したデータを前記クラスタにコピーする際に許容される最大コピー数と、前記一致したデータが前記クラスタにすでに格納された回数とを取得するよう構成され、前記送受信ユニットは更に、前記一致したデータが前記クラスタにすでに格納された回数を前記クラスタヘッドに送信するよう構成され、前記回数は前記処理ユニットによって更新され、前記クラスタヘッドは、前記一致したデータが前記クラスタにすでに格納された回数を更新する。
【００２３】
第３の態様の第４の可能な実現方式又は第３の態様の第５の可能な実現方式を参照して、第６の可能な実現方式では、前記決定ユニットは更に、フリーの記憶スペースのサイズが前記一致したデータのサイズより大きいか判断するよう構成され、前記処理ユニットは更に、前記決定ユニットが、前記フリーの記憶スペースのサイズが前記一致したデータのサイズより大きいと判断すると、前記一致したデータを直接格納し、前記決定ユニットが、前記フリーの記憶スペースのサイズが前記一致したデータのサイズより大きくないと判断すると、最も最近利用されていないアルゴリズムに従って前記フリーの記憶スペースを更新し、前記更新されたフリーの記憶スペースに前記一致したデータを格納するよう構成される。
【００２４】
第４の態様によると、本発明の実施例は、ユーザ装置であって、リクエストメッセージを第１基地局に送信するよう構成される送受信ユニットであって、前記リクエストメッセージは、リクエストされたデータの識別情報と当該ユーザ装置の識別情報とを含み、前記第１基地局は、前記リクエストされたデータの識別情報に従って前記第１基地局に格納されているデータにおいて抽出し、一致したデータが前記第１基地局に格納及び抽出された場合、前記第１基地局は、前記一致したデータを当該ユーザ装置に直接送信し、前記一致したデータは、前記リクエストされたデータの識別情報に一致するデータを表し、前記送受信ユニットは更に、前記リクエストメッセージに応答して前記第１基地局により送信されたレスポンスメッセージを受信するよう構成される、送受信ユニットと、前記送受信ユニットにより受信されたレスポンスメッセージに従って対応する処理を実行するよう構成される処理ユニットと、を有するユーザ装置を提供する。
【００２５】
第４の態様の第１の可能な実現方式では、前記レスポンスメッセージは、前記一致したデータを有し、前記送受信ユニットは、具体的には、前記第１基地局により送信された前記一致したデータを受信するよう構成され、前記処理ユニットは、具体的には、前記送受信ユニットにより受信された前記一致したデータに従って前記対応する処理を実行するよう構成される。
【００２６】
第４の態様を参照して、第２の可能な実現方式では、前記レスポンスメッセージは、前記一致したデータが格納される第３記憶装置の識別情報を有し、前記送受信ユニットは、具体的には、前記第１基地局により送信された、前記一致したデータが格納される第３記憶装置の識別情報を受信するよう構成され、前記処理ユニットは、具体的には、前記送受信ユニットにより受信された、前記第３記憶装置の識別情報に従って、前記第３記憶装置から前記一致したデータを取得するよう構成される。
【００２７】
第４の態様、第４の態様の第１の可能な実現方式又は第４の態様の第２の可能な実現方式を参照して、第３の可能な実現方式では、当該ユーザ装置は更に、前記リクエストメッセージが前記第１基地局に送信された回数を決定するよう構成される決定ユニットを有し、前記処理ユニットは更に、前記リクエストメッセージが前記第１基地局に送信された回数が第１閾値より大きいと判断されると、前記一致したデータをクラスタにコピーする際に許容される最大コピー数と、前記一致したデータが前記クラスタにすでに格納された回数とをクラスタヘッドから取得するよう構成され、前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成され、前記送受信ユニットは更に、前記一致したデータが前記クラスタにすでに格納された回数を前記クラスタヘッドに送信するよう構成され、前記回数は前記処理ユニットにより更新され、前記クラスタヘッドは、前記一致したデータが前記クラスタにすでに格納された回数を更新する。
【００２８】
第５の態様によると、本発明の実施例は、モビリティ・マネージメント・エンティティ、パケット・データ・ネットワーク・ゲートウェイ、少なくとも１つの基地局及び少なくとも１つのユーザ装置を有するデータ送信システムであって、前記基地局は、上記の実施例に記載された基地局であり、前記ユーザ装置は、上記の実施例に記載されたユーザ装置であるデータ送信システムを提供する。
【００２９】
本発明の実施例は、データ送信方法、装置及びシステムを提供する。第１装置により送信されたリクエストメッセージを受信した後、第１基地局は、リクエストメッセージにおけるリクエストされたデータの識別情報に従って格納されているデータにおいて抽出し、第１基地局に一致したデータが存在する場合、第１基地局は、一致したデータを第１装置に直接送信する。このようにして、データは基地局サイドに格納され、従って、基地局によりサービス提供される異なるユーザ装置が同一のデータをリクエストすると、基地局は、一致したデータを異なるユーザ装置に送信してもよく、ネットワークサイドにリクエストメッセージを送信する必要はなく、ネットワークサイドが同じデータ情報を異なるユーザ装置に送信するための複数の同一のリンクを確立することが不要であり、これにより、データ送信により占有されるコアネットワーク帯域幅リソースを低減する。さらに、データは基地局サイドからユーザ装置に直接送信され、ユーザ装置の待機時間を低減し、ユーザ体感を向上させる。
【図面の簡単な説明】
【００３０】
本発明の実施例における技術的方策をより明確に説明するため、以下において、実施例を説明するのに必要な添付図面が簡単に紹介される。明らかに、以下の説明における添付図面は本発明の単なるいくつかの実施例を示し、当業者は、創作的な努力なく、これらの添付図面から他の図面を依然として導出してもよい。
【図１】図１は、本発明の実施例によるデータ送信方法の概略図である。
【図２】図２は、本発明の実施例による他のデータ送信方法の概略図である。
【図３】図３は、本発明の実施例による他のデータ送信方法の概略図である。
【図４】図４は、本発明の実施例による他のデータ送信方法の概略図である。
【図５】図５は、本発明の実施例による他のデータ送信方法の概略図である。
【図６】図６は、本発明の実施例による他のデータ送信方法の概略図である。
【図７】図７は、本発明の実施例によるデータ送信のネットワーク構造の概略的な構成図である。
【図８】図８は、本発明の実施例によるデータ送信の他のネットワーク構造の概略的な構成図である。
【図９】図９は、本発明の実施例によるデータ記憶方法の概略図である。
【図１０】図１０は、本発明の実施例による他のデータ記憶方法の概略図である。
【図１１】図１１は、本発明の実施例による基地局の概略的な構成図である。
【図１２】図１２は、本発明の実施例による他の基地局の概略的な構成図である。
【図１３】図１３は、本発明の実施例による他の基地局の概略的な構成図である。
【図１４】図１４は、本発明の実施例によるユーザ装置の概略的な構成図である。
【図１５】図１５は、本発明の実施例による他のユーザ装置の概略的な構成図である。
【図１６】図１６は、本発明の実施例による他の基地局の概略的な構成図である。
【図１７】図１７は、本発明の実施例による他のユーザ装置の概略的な構成図である。
【図１８】図１８は、本発明の実施例によるデータ送信システムの概略的な構成図である。
【発明を実施するための形態】
【００３１】
以下、本発明の実施例における添付図面を参照して、本発明の実施例における技術的方策が明確に説明される。明らかに、説明される実施例は、本発明の全ての実施例でなく単なる一部である。創作的な努力なく本発明の実施例に基づき当業者により取得される他の全ての実施例は、本発明の保護範囲内に属する。
【００３２】
以下は、添付図面を参照して本発明の実施例におけるデータ送信方法、装置及びシステムを詳細に説明する。
【００３３】
図１に示されるように、本発明の実施例はデータ送信方法を提供し、当該方法は以下のステップを含む。
【００３４】
１０１．第１基地局は、第１装置により送信されたリクエストメッセージを受信する。
【００３５】
当該リクエストメッセージは、リクエストされたデータの識別情報と第１装置の識別情報とを含む。第１装置はＵＥ（Ｕｓｅｒ  Ｅｑｕｉｐｍｅｎｔ、ユーザ装置）又は第２基地局を含む。
【００３６】
具体的には、ＵＥがデータを取得する必要があるとき、ＵＥは、ＵＥの第１基地局にリクエストメッセージを送信し、この場合、第１基地局は、ＵＥにより送信されたリクエストメッセージを受信してもよい。ここでの第１装置はＵＥである。
【００３７】
データは第１基地局に格納される。ＵＥが取得する必要があるリクエストされたデータが格納されているデータに存在するが、リクエストされたデータが第２基地局に格納されていない場合、第２基地局は、リクエストメッセージを第１基地局に送信してもよい。この場合、第２基地局は、第１基地局のリクエスト基地局である。ここでの第１装置は第２基地局である。
【００３８】
第１基地局及び第１装置は同一クラスタにあることが留意されるべきである。
【００３９】
第１基地局に格納されているデータは同一クラスタにおける第１装置にのみアクセス可能であることが留意されるべきである。
【００４０】
本発明の実施例では、クラスタはデータを格納する少なくとも１つの基地局と、少なくとも１つの基地局によりサービス提供されるＵＥとを含むことが留意されるべきである。
【００４１】
１０２．第１基地局は、リクエストされたデータの識別情報に従って格納されているデータにおいて抽出する。
【００４２】
具体的には、データは第１基地局に格納される。リクエストメッセージが受信された後、リクエストメッセージはリクエストされたデータの識別情報を含むため、第１基地局は、リクエストメッセージにおけるリクエストされたデータの識別情報に従って格納されているデータにおいて抽出する。すなわち、第１基地局は、リクエストされたデータの識別情報に従って、格納されているデータの識別情報がリクエストされたデータの識別情報と同じであるかチェックし、それらが同じである場合、それは、一致したデータが第１基地局に格納されていることを示し、それらが異なる場合、それは、一致したデータが第１基地局に格納されていないことを示す。
【００４３】
第１基地局は、以下の方法を利用してデータを格納してもよく、すなわち、第１基地局がリクエストメッセージを受信した後、第１基地局は、リクエストメッセージが受信された回数を決定し、すなわち、第１基地局は、リクエストメッセージが受信された合計回数をカウントする。第１基地局は、リクエストメッセージが受信された取得された回数が第１閾値より大きいか判断し、リクエストメッセージが受信された回数が第１閾値より大きいと判断されると、第１基地局は、一致したデータをクラスタにコピーする際に許容される最大コピー数と、一致したデータがクラスタにすでに格納された回数とを取得し、一致したデータがクラスタにすでに格納された回数が、一致したデータをクラスタにコピーする際に許容される最大コピー数未満であるとき、第１基地局は、一致したデータを格納し、一致したデータがクラスタにすでに格納された回数を更新する。
【００４４】
第１基地局に格納されたデータは、格納された完全なデータコンテンツであってもよいし、又は格納された部分的なデータコンテンツであってもよいことが留意されるべきであり、本発明はこれに限定を設定しない。
【００４５】
例えば、ＵＥがリクエストメッセージを第１基地局に送信し、送信されたリクエストメッセージがビデオリクエストメッセージである場合、この場合、ビデオリクエストメッセージは、ビデオのＩＤ（Ｉｄｅｎｔｉｔｙ、アイデンティティ）などのリクエストされたビデオの識別情報を含む。ビデオリクエストメッセージを受信した後、第１基地局は、ビデオリクエストメッセージにおけるリクエストされたビデオの識別情報に従って格納されているビデオ情報を検索する。
【００４６】
１０３．一致したデータが抽出されると、第１基地局は、第１装置の識別情報に従って一致したデータを第１装置に送信する。
【００４７】
一致したデータは、リクエストされたデータの識別情報に一致するデータを表す。
【００４８】
具体的には、第１基地局は、リクエストメッセージにおけるリクエストされたデータの識別情報に従って格納されたデータにおいて抽出し、一致したデータが抽出された場合、一致したデータを第１装置に送信する。すなわち、ステップ１０１において、ＵＥにより送信されたリクエストメッセージを受信した場合、第１基地局は、一致したデータをＵＥに送信し、第２基地局により送信されたリクエストメッセージを受信した場合、第１基地局は、一致したデータを第２基地局に送信する。
【００４９】
本発明の本実施例はデータ送信方法を提供する。第１装置により送信されたリクエストメッセージを受信した後、第１基地局は、リクエストメッセージにおけるリクエストされたデータの識別情報に従って格納されたデータにおいて抽出し、一致したデータが第１基地局に存在する場合、基地局は、一致したデータを第１装置に直接送信する。このようにして、データは基地局サイドに格納され、従って、基地局によりサービス提供されている異なるユーザ装置が同じデータをリクエストすると、基地局は、一致したデータを異なるユーザ装置に送信してもよく、ネットワークサイドにリクエストメッセージを送信することが不要であり、同じデータ情報を異なるユーザ装置に送信するため複数の同一リンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。
【００５０】
図２に示されるように、本発明の実施例はデータ送信方法を提供し、当該方法は以下のステップを含む。
【００５１】
２０１．ユーザ装置は、リクエストメッセージを第１基地局に送信する。
【００５２】
当該リクエストメッセージは、リクエストされたデータの識別情報とユーザ装置の識別情報とを含み、これにより、第１基地局は、リクエストされたデータの識別情報に従って第１基地局に格納されたデータにおいて抽出し、一致したデータが第１基地局に格納及び抽出された場合、第１基地局は、一致したデータをユーザ装置に直接送信する。
【００５３】
一致したデータは、リクエストされたデータの識別情報に一致するデータを表す。
【００５４】
具体的には、リクエストメッセージを第１基地局に送信するとき、ユーザ装置は、取得される必要があるデータ情報の識別情報をリクエストメッセージに加え、リクエストメッセージを第１基地局に送信する。
【００５５】
２０２．ユーザ装置は、リクエストメッセージに応答して、第１基地局により送信されたレスポンスメッセージを受信し、レスポンスメッセージに従って対応する処理を実行する。
【００５６】
具体的には、第１基地局により送信されるレスポンスメッセージは、一致したデータを含む。この場合、ユーザ装置は、第１基地局により送信された一致したデータを受信し、一致したデータに従って対応する処理を実行する。
【００５７】
リクエストメッセージに応答したレスポンスメッセージは、一致したデータが格納される第３記憶装置の識別情報を有する。この場合、ユーザ装置は、第１基地局により送信された、一致したデータが格納される第３記憶装置の識別情報を受信する。ユーザ装置は、第３記憶装置の識別情報に従って第３記憶装置から一致したデータを取得する。
【００５８】
本発明の本実施例はデータ送信方法を提供する。ユーザ装置は、リクエストメッセージを第１基地局に送信し、これにより、第１基地局は、ユーザ装置により送信されたリクエストメッセージを受信した後、リクエストメッセージにおけるリクエストされたデータの識別情報に従って第１基地局に格納されたデータにおいて抽出し、一致したデータが第１基地局に格納されている場合、第１基地局は、一致したデータをユーザ装置に直接送信する。このようにして、データが基地局サイドに格納され、従って、基地局によりサービス提供される異なるユーザ装置が同じデータをリクエストするとき、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。
【００５９】
本発明の実施例はデータ送信方法を提供し、当該方法は以下のステップを有する。
【００６０】
３０１．ＵＥは、ＲＲＣ（Ｒａｄｉｏ  Ｒｅｓｏｕｒｃｅ  Ｃｏｎｔｒｏｌ、無線リソース制御）リンク確立リクエストメッセージを第１基地局に送信し、これにより、第１基地局はＵＥとＲＲＣリンクを確立する。第１基地局は、ＵＥにより送信されたＲＲＣリンク確立リクエストメッセージを受信する。
【００６１】
具体的には、最初に第１基地局にアクセスするとき、ＵＥは、ＵＥと第１基地局との間でＲＲＣリンクを確立するため、ＲＲＣリンク確立リクエストメッセージを第１基地局に送信する必要があり、これにより、ＵＥはＲＲＣリンクを介し第１基地局にデータを送信する。
【００６２】
３０２．第１基地局は、ＲＲＣリンク確立リクエストメッセージに従ってＵＥとのＲＲＣリンクを確立する。
【００６３】
具体的には、ＲＲＣリンク確立リクエストメッセージを受信した後、第１基地局は、ＲＲＣリンク確立リクエストメッセージに従ってＲＲＣリンクを確立する。第１基地局が第１基地局とＵＥとの間でＲＲＣリンクを確立する処理は、従来技術の方法におけるものと同じであり、詳細はここでは再説明されない。
【００６４】
３０３．ＵＥは、ＰＤＮ（Ｐａｃｋｅｔ  Ｄａｔａ  Ｎｅｔｗｏｒｋ、パケット・データ・ネットワーク）アドレス情報を含むＰＤＮリンク確立リクエストメッセージをＭＭＥ（Ｍｏｂｉｌｉｔｙ  Ｍａｎａｇｅｍｅｎｔ  Ｅｎｔｉｔｙ、モビリティ・マネージメント・エンティティ）に送信し、これにより、ＭＭＥは、ＰＤＮリンク確立リクエストメッセージに含まれるＰＤＮアドレス情報に従って、ＵＥとＰＤＮ  ＧＷ（Ｐａｃｋｅｔ  Ｄａｔａ  Ｎｅｔｗｏｒｋ  Ｇａｔｅｗａｙ、パケット・データ・ネットワーク・ゲートウェイ）との間のベアラリンクを確立する。ＭＭＥは、ＰＤＮアドレス情報を含むＰＤＮリンク確立リクエストメッセージを受信する。
【００６５】
３０４．ＭＭＥは、ＰＤＮリンク確立リクエストメッセージに含まれるＰＤＮアドレス情報に従って、ＵＥとＰＤＮ  ＧＷとの間のベアラリンクを確立する。
【００６６】
具体的には、ＰＤＮリンク確立リクエストメッセージを受信した後にＰＤＮアドレス情報に従って、ＵＥとＰＤＮ  ＧＷとの間のベアラリンクを確立するためＭＭＥにより利用される方法は、従来技術における方法と同じであり、詳細はここでは再説明されない。
【００６７】
３０５．第１装置は、リクエストメッセージを第１基地局に送信し、第１基地局は、第１装置により送信されたリクエストメッセージを受信する。
【００６８】
具体的には、第１装置がＵＥである場合、ＵＥがリクエストメッセージを第１基地局に送信する処理に関する詳細について、ステップ２０１が参照されてもよく、詳細はここでは再説明されない。第１装置が第２基地局である場合、第２基地局がリクエストメッセージを第１基地局に送信する処理に関する詳細について、ステップ３０８１ｃが参照されてもよく、詳細はここでは再説明されない。第１基地局が第１装置により送信されたリクエストメッセージを受信する処理に関する詳細について、ステップ１０１が参照されてもよく、詳細はここでは再説明されない。
【００６９】
３０６．第１基地局は、リクエストされたデータの識別情報に従って格納されたデータにおいて抽出する。
【００７０】
具体的には、当該ステップはステップ１０２と同じであり、詳細はここでは再説明されない。
【００７１】
実行される以降のステップは第１基地局の抽出及び検出結果に従って変わることが留意されるべきである。第１基地局がリクエストされたデータの識別情報に従って格納されたデータにおいて抽出する場合であって、且つリクエストされたデータの識別情報に一致するデータが抽出された、すなわち、一致したデータが抽出された場合、図３に示されるように、ステップ３０７ａ〜３０８ａが実行される。リクエストされたデータの識別情報に一致するデータが抽出されない、すなわち、一致したデータが抽出されない場合、第１基地局は、一致したデータに関する情報を取得する必要がある。第１基地局がクラスタヘッドでないとき、ステップ３０７ｂ〜３１４ｂ及びステップ３１５〜３１８が、図４に示されるように実行される。この場合、第１装置はＵＥである。第１基地局がクラスタヘッドであるとき、第１基地局は、一致したデータが格納されている記憶装置に関して知っていてもよい。この場合、第１基地局は、自ら一致したデータを取得してもよく、一致したデータを第１装置に送信するか、又は一致したデータが格納されている記憶装置の識別情報を第１装置に送信してもよく、第１装置は、記憶装置の識別情報に従って一致したデータを取得する。第１基地局が一致したデータを取得し、一致したデータを第１装置に送信する場合、図５に示されるように、ステップ３０７１ｃ〜３１１１ｃ及びステップ３１５〜３２２が実行される。第１基地局が記憶装置の識別情報を第１装置に送信する場合、図６に示されるように、ステップ３０７２ｃ〜３０９２ｃ及びステップ３１５〜３２２が実行される。
【００７２】
クラスタヘッドがクラスタ内にあって、他の装置を管理する基地局であることが留意されるべきである。第１基地局が配置されるクラスタは、第１基地局、他の隣接する基地局及び他の隣接する基地局によりサービス提供されるＵＥを含むものであってもよい。この場合、クラスタヘッドは、第１基地局又は他の隣接する基地局であってもよい。第１基地局が配置されるクラスタはまた、第１基地局及びＵＥを含むものであってもよい。この場合、第１基地局がクラスタヘッドである。
【００７３】
３０７ａ．一致したデータが第１基地局により抽出されると、第１装置の識別情報に従って一致したデータを第１装置に送信する。
【００７４】
具体的には、当該ステップはステップ１０３と同じであり、詳細はここでは再説明されない。
【００７５】
３０７ｂ．一致したデータが第１基地局により抽出されず、第１基地局がクラスタヘッドでないとき、ＭＭＥを介しＰＤＮ  ＧＷにリクエストメッセージを送信し、これにより、ＰＤＮ  ＧＷは、クラスタヘッドとして利用される第３基地局にリクエストメッセージを送信し、第３基地局は、リクエストされたデータの識別情報に従って、一致したデータが格納されている第１記憶装置を決定し、第１記憶装置の識別情報を第１基地局に送信する。
【００７６】
具体的には、一致したデータが第１基地局により抽出されないとき、それは、第１装置が取得する必要があるデータが第１基地局に格納されていないことを示す。この場合、第１基地局がクラスタヘッドでないとき、第１基地局は、第１装置により送信された受信したリクエストメッセージをＭＭＥに送信する必要がある。ＭＭＥはリクエストメッセージを受信する。
【００７７】
３０７１ｃ．一致したデータが第１基地局により抽出されず、第１基地局がクラスタヘッドであるとき、第１基地局は、リクエストされたデータの識別情報に従って、一致したデータが格納される第２記憶装置を決定し、第２記憶装置の識別情報を取得する。
【００７８】
具体的には、一致したデータが第１基地局により抽出されないとき、それは、第１装置が取得する必要があるデータが第１基地局に格納されていないことを示す。この場合、第１基地局がクラスタヘッドであるため、第１基地局は、リクエストされたデータの識別情報に従って、格納するクラスタにおける各装置に格納されているデータの格納されている識別情報を検索し、格納されたデータの識別情報がリクエストされたデータの識別情報に一致する第２記憶装置を検出し、更に第２記憶装置の識別情報を取得する。
【００７９】
第１基地局がクラスタヘッドであるとき、第１基地局は、クラスタにおける他の基地局により送信されたリクエストメッセージを受信してもよいことが留意されるべきである。この場合、第１装置は第２基地局であってもよい。この場合、第１基地局は、リクエストされたデータのものであって、リクエストメッセージ内にある識別情報に従って、格納するクラスタにおける各装置に格納されているデータの格納されている識別情報を検索し、格納されたデータの識別情報が、リクエストメッセージにおけるリクエストされたデータの識別情報に一致する記憶装置を検出し、記憶装置の識別情報を取得してもよい。
【００８０】
３０７２ｃ．一致したデータが第１基地局により抽出されず、第１基地局がクラスタヘッドであるとき、第１基地局は、リクエストされたデータの識別情報に従って、リクエストされたデータの識別情報に一致する一致したデータが格納される第３記憶装置を決定し、第３記憶装置の識別情報を取得する。
【００８１】
具体的には、ステップ３０７１ｃが参照されてもよく、詳細はここでは再説明されない。
【００８２】
３０８ａ．第１装置は、一致したデータを受信し、対応する処理を実行する。
【００８３】
具体的には、第１装置がＵＥである場合、ＵＥは、一致したデータを受信した後に一致したデータに対して対応する処理を実行する。第１装置が第２基地局である場合、第２基地局は、一致したデータを受信した後に、第２基地局によりサービス提供され、一致したデータをリクエストしたＵＥに一致したデータを送信し、一致したデータが格納される必要があるか判断し、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【００８４】
３０８ｂ．ＭＭＥは、受信したリクエストメッセージをＰＤＮ  ＧＷに送信し、ＰＤＮ  ＧＷは、リクエストメッセージを受信する。
【００８５】
具体的には、リクエストメッセージを受信した後、ＭＭＥは、リクエストメッセージに含まれるＵＥの識別情報に従って、リクエストメッセージを送信したＵＥに対応するＰＤＮ  ＧＷを決定し、リクエストメッセージをＰＤＮ  ＧＷに送信する。
【００８６】
３０８１ｃ．第１基地局は、第２記憶装置の識別情報に従って、リクエストメッセージを第２記憶装置に送信し、これにより、第２記憶装置は、リクエストされたデータの識別情報に従って一致したデータを取得し、一致したデータを第１基地局に送信する。
【００８７】
具体的には、第２記憶装置の識別情報を取得した後、第１基地局は、第２記憶装置の識別情報に従って第２記憶装置にリクエストメッセージを送信する。
【００８８】
任意的には、第２記憶装置は、第１基地局の隣接する基地局である。
【００８９】
３０８２ｃ．第１基地局は、第３記憶装置の識別情報を第１装置に送信し、これにより、第１装置は、第３記憶装置の識別情報に従って第３記憶装置から一致したデータを取得する。
【００９０】
具体的には、第３記憶装置の識別情報を取得した後、第１基地局は、第３記憶装置の識別情報を第１装置に送信し、これにより、第１装置は、図７に示されるように、一致したデータを自ら取得するため、第３記憶装置と通信する。
【００９１】
３０９ｂ．ＰＤＮ  ＧＷは、クラスタヘッドとして利用される第３基地局にリクエストメッセージを送信する。第３基地局は、リクエストメッセージを受信する。
【００９２】
具体的には、ＰＤＮ  ＧＷがリクエストメッセージを受信した後、ＰＤＮ  ＧＷは、第１基地局が配置されたクラスタのクラスタヘッドにリクエストメッセージを送信する。
【００９３】
第１基地局が配置されるクラスタのクラスタヘッドが予め設定されていることが留意されるべきである。第１基地局が配置されるクラスタのクラスタヘッドが設定された後、ＰＤＮ  ＧＷは、各クラスタのメンバー情報を記録する。
【００９４】
３０９１ｃ．第２記憶装置は、リクエストメッセージに含まれるリクエストされたデータの識別情報に従って格納されたデータにおいて抽出し、抽出された一致したデータを第１基地局に送信する。
【００９５】
具体的には、第２記憶装置は、リクエストメッセージに含まれるリクエストされたデータの識別情報に従って格納されたデータにおいて抽出し、ここで、当該抽出は、第１基地局がリクエストされたデータの識別情報に従って格納されたデータにおいて抽出する処理と同じである。ステップ１０２が参照されてもよく、詳細はここでは再説明されない。
【００９６】
３０９２ｃ．第１装置は、リクエストメッセージに応答して第１基地局により送信されたレスポンスメッセージを受信し、リクエストメッセージに応答してレスポンスメッセージに従って対応する処理を実行する。
【００９７】
第１装置がＵＥであるとき、ＵＥは、リクエストメッセージに応答して第１基地局により送信されたレスポンスメッセージを受信し、リクエストメッセージに応答したレスポンスメッセージに従って対応する処理を実行する。
【００９８】
具体的には、ＵＥは、第１基地局により送信される、一致したデータが格納されている第３記憶装置の識別情報を受信する。ＵＥは、第３記憶装置の識別情報に従って第３記憶装置から一致したデータを取得する。さらに、ＵＥはステップ３１５〜３１６を実行し続ける。
【００９９】
さらに、ＵＥは、第１基地局により送信され、一致したデータが格納されている第３記憶装置の識別情報を受信し、ＵＥは、第３記憶装置の識別情報に従って第３記憶装置とＤ２Ｄ（Ｄｅｖｉｃｅ−ｔｏ−Ｄｅｖｉｃｅ、デバイス・ツー・デバイス）リンクを確立する。さらに、ＵＥは、Ｄ２Ｄリンクを介し一致したデータを取得する。
【０１００】
任意的には、第３記憶装置の識別情報は、一致したデータが格納されるＵＥの識別情報である。
【０１０１】
第１装置が第１基地局を利用することによって、第３記憶装置の識別情報に従って第３記憶装置とのＤ２Ｄリンクを確立してもよく、又は、第１装置が第１基地局を利用することなく、第３記憶装置の識別情報に従って第３記憶装置とのＤ２Ｄリンクを直接確立してもよいことが留意されるべきであり、本発明は、これに限定を設定しない。
【０１０２】
第１装置が第２基地局であるとき、第２基地局は、リクエストメッセージに応答して第１基地局により送信されたレスポンスメッセージを受信し、リクエストメッセージに応答したレスポンスメッセージに従って対応する処理を実行する。
【０１０３】
具体的には、第２基地局は、第１基地局により送信された、一致したデータが格納される第３記憶装置の識別情報を受信する。第２基地局は、第３記憶装置の識別情報に従って第３記憶装置から一致したデータを取得し、第２基地局によりサービス提供され、一致したデータをリクエストしたＵＥに取得した一致したデータを送信し、一致したデータが格納される必要があるか判断し、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【０１０４】
３１０ｂ．第３基地局は、リクエストされたデータの識別情報に従って、一致したデータが格納される第１記憶装置を決定し、第１記憶装置の識別情報を第１基地局に送信する。第１基地局は、第１記憶装置の識別情報を受信する。
【０１０５】
具体的には、リクエストメッセージを受信した後、クラスタヘッドとして利用される第３基地局は、リクエストされたデータのものであって、リクエストメッセージ内にある識別情報に従って、格納するクラスタにおける各装置に格納されるデータの格納された識別情報を検索し、格納されたデータの識別情報がリクエストメッセージにおけるリクエストされたデータの識別情報に一致する第１記憶装置を検出し、第１記憶装置の識別情報を第１基地局に送信する。
【０１０６】
リクエストメッセージを受信した後、クラスタヘッドとして利用される第３基地局はまず、リクエストされたデータのものであって、リクエストメッセージ内にある識別情報に従って、第３基地局により格納されたデータを検索し、一致したデータが検出された場合、一致したデータは第１基地局に直接送信される。一致したデータが検出されない場合、それは、第１基地局により必要とされたデータが第３基地局に格納されていないことを示し、従って、第３基地局は格納するクラスタにおける各装置に格納されるデータの格納された識別情報を検索し続け、リクエストされたデータのものであって、リクエストメッセージ内にある識別情報に従って、一致したデータが格納される第１記憶装置を決定し、第１記憶装置の識別情報を第１基地局に送信する。この場合、第１記憶装置は第３記憶装置を含まない。
【０１０７】
おそらく、リクエストメッセージを受信した後、第３基地局は、リクエストされたデータのものであって、リクエストメッセージ内にある識別情報に従って、格納するクラスタにおける各装置に格納されるデータの格納された識別情報を直接検索し、リクエストされたデータのものであって、リクエストメッセージ内にある識別情報に従って、一致したデータが格納される第１記憶装置を決定し、第１記憶装置の識別情報を第１基地局に送信してもよい。この場合、第１記憶装置は第３基地局であってもよい。
【０１０８】
さらに、第３基地局は、クラスタにおける各装置に格納されるデータの識別情報をリスト形式により格納してもよい。
【０１０９】
第３基地局は、クラスタにおける各装置に格納されるデータの識別情報を他の形式により、例えば、マッピングテーブルの形式により格納してもよいことが留意されるべきであり、本発明はこれに限定を設定しない。
【０１１０】
更にまた、一致したデータが格納される第１記憶装置がクラスタにおいて１つしか存在しないと判断された場合、クラスタヘッドとして利用される第３基地局は、第１記憶装置の識別情報を第１基地局に送信する。クラスタヘッドとして利用される第３基地局が、一致したデータが格納される少なくとも２つの第１記憶装置がクラスタに存在すると判断した場合、第３基地局は、一致したデータが格納される少なくとも２つの第１記憶装置の何れか１つを選択し、選択された第１記憶装置の識別情報を第１基地局に送信してもよい。第３基地局は、所定のアルゴリズムに従って、一致したデータが格納される最適な第１記憶装置を選択し、当該第１記憶装置の識別情報を第１基地局に送信してもよい。
【０１１１】
第１基地局がクラスタヘッドでない場合、第１基地局が配置されるクラスタは第１基地局、他の隣接する基地局及び他の隣接する基地局によりサービス提供されるＵＥを含むことが留意されるべきである。この場合、第１記憶装置は、他の隣接する基地局であってもよい。
【０１１２】
３１０１ｃ．第１基地局は、第２記憶装置により送信された一致したデータを受信し、一致したデータを第１装置に送信する。
【０１１３】
具体的には、第１基地局により受信されたリクエストメッセージがＵＥにより送信された場合、第１基地局により取得された一致したデータはＵＥに送信され、第１基地局により受信されたリクエストメッセージは第２基地局により送信され、第１基地局により取得された一致したデータは、図８に示されるように、第２基地局に送信される。
【０１１４】
３１１ｂ．第１基地局は、第１記憶装置の識別情報に従ってリクエストメッセージを第１記憶装置に送信し、これにより、第１記憶装置は、リクエストメッセージを受信した後、リクエストメッセージにおけるリクエストされたデータの識別情報に一致する格納された一致したデータを第１基地局に送信する。第１記憶装置はリクエストメッセージを受信する。
【０１１５】
具体的には、第１記憶装置の識別情報を受信した後、第１基地局は、第１記憶装置の識別情報に従ってリクエストメッセージを第１記憶装置に送信する。ステップ３０８１ｃが参照されてもよく、詳細はここでは再説明されない。
【０１１６】
３１１１ｃ．第１装置は、第１基地局により送信された一致したデータを受信し、対応する処理を実行する。
【０１１７】
具体的には、第１装置が第２基地局である場合、第２基地局は、第２基地局によりサービス提供され、一致したデータをリクエストしたＵＥに受信した一致したデータを送信し、一致したデータが格納される必要があるか判断してもよく、一致したデータが格納される必要がある場合、第２基地局は一致したデータを格納する。具体的には、一致したデータが格納される必要があるか判断することに関する詳細について、ステップ３１９〜３２２が参照されてもよく、詳細はここでは再説明されない。
【０１１８】
第１装置がＵＥである場合、ＵＥは、受信した一致したデータに従って対応する処理を実行してもよく、ＵＥは、ステップ３１５〜３１６を実行し続ける。
【０１１９】
３１２ｂ．第１記憶装置は、リクエストメッセージに含まれるリクエストされたデータの識別情報に従って格納されたデータにおいて抽出し、リクエストメッセージにおけるリクエストされたデータの識別情報に一致する抽出された格納された一致したデータを第１基地局に送信する。
【０１２０】
具体的には、第１記憶装置は、リクエストメッセージに含まれるリクエストされたデータの識別情報に従って格納されたデータにおいて抽出し、ここで、当該抽出は、リクエストメッセージに含まれるリクエストされたデータの識別情報に従って格納されたデータにおいて抽出する処理と同じである。ステップ１０２が参照されてもよく、詳細はここでは再説明されない。
【０１２１】
３１３ｂ．第１基地局は、第１記憶装置により送信された一致したデータを受信し、一致したデータを第１装置に送信する。
【０１２２】
具体的には、第１基地局により受信されたリクエストメッセージが第１装置により送信された場合、第１基地局は、取得された一致したデータを第１装置に送信する。ステップ３１０１ｃが参照されてもよい。第１装置がＵＥであるとき、図８が参照されてもよい。
【０１２３】
３１４ｂ．第１装置は、一致したデータを受信し、対応する処理を実行する。
【０１２４】
具体的には、第１装置はＵＥであり、ＵＥは第１基地局により送信された一致したデータを受信し、一致したデータに従って対応する処理を実行する。
【０１２５】
３１５．ＵＥは、リクエストメッセージに対応する受信した一致したデータが格納される必要があるか判断する。
【０１２６】
具体的には、ＵＥは、リクエストメッセージが第１基地局に送信された回数を決定し、リクエストメッセージが第１基地局に送信された回数が第１閾値より大きいか検出する。リクエストメッセージが第１基地局に送信された回数が第１閾値より大きいと判断されると、ＵＥは、一致したデータをクラスタにコピーする際に許容される最大コピー数と、一致したデータがクラスタにすでに格納された回数とをクラスタヘッドから取得する。一致したデータがクラスタにすでに格納された回数が、一致したデータをクラスタにコピーする際に許容される最大コピー数未満である場合、ＵＥは、一致したデータが格納される必要があると判断する。
【０１２７】
さらに、クラスタヘッドは第１基地局であるため、リクエストメッセージが第１基地局に送信された回数が第１閾値より大きいと判断されると、ＵＥは、一致したデータをクラスタにコピーする際に許容される最大コピー数と、一致したデータがクラスタにすでに格納された回数とをクラスタヘッドから取得することは、
リクエストメッセージが第１基地局に送信される回数が第１閾値より大きいとき、ＵＥが、一致したデータをクラスタにコピーする際に許容される最大コピー数と、一致したデータがクラスタにすでに格納された回数とを第１基地局から取得することを含む。
【０１２８】
具体的には、ＵＥがリクエストメッセージに対応する一致したデータを受信した後、ＵＥは、リクエストメッセージが第１基地局に送信された回数をカウントし、リクエストメッセージが第１基地局に送信されたカウントされた回数と第１閾値とを比較する。リクエストメッセージが第１基地局に送信されたカウントされた回数が第１閾値より大きい場合、それは、ＵＥが一致したデータを頻繁に取得する必要があることを示し、従って、ＵＥは、受信したリクエストメッセージに対応する一致したデータを格納する必要がある。この場合、ＵＥは、一致したデータをクラスタにコピーする際に許容される最大コピー数と、一致したデータがクラスタにすでに格納された回数とを第１基地局から取得する。ＵＥは、一致したデータをクラスタにコピーする際に許容される最大コピー数と、一致したデータがクラスタにすでに格納された回数とを比較する。一致したデータをクラスタにコピーする際に許容される最大コピー数が一致したデータがクラスタにすでに格納された回数より大きいことが比較を介し検出された場合、ＵＥは、リクエストメッセージに対応する一致したデータが格納可能であると判断する。一致したデータをクラスタにコピーする際に許容される最大コピー数が一致したデータがクラスタにすでに格納された回数より大きくないことが比較を介し検出された場合、それは、リクエストメッセージに対応するクラスタに格納される一致したデータがすでに最大値に到達していることを示す。この場合、ＵＥは、図９に示されるように、リクエストメッセージに対応する一致したデータを格納できない。
【０１２９】
３１６．受信したリクエストメッセージに対応する一致したデータが格納される必要があると判断されると、ＵＥは、受信したリクエストメッセージに対応する一致したデータを格納する。
【０１３０】
具体的には、ＵＥが、リクエストメッセージに対応する一致したデータが格納される必要があると判断すると、ＵＥは、リクエストメッセージに対応する一致したデータをＵＥのフリーの記憶スペースに格納する。ＵＥは、一致したデータを格納し、一致したデータがクラスタにすでに格納された回数を更新する。
【０１３１】
さらに、ＵＥは、一致したデータがクラスタにすでに格納された更新された回数をクラスタヘッドに送信し、これにより、クラスタヘッドは、一致したデータがクラスタにすでに格納された回数を更新する。
【０１３２】
具体的には、第１基地局がクラスタヘッドであるため、ＵＥは、一致したデータがクラスタにすでに格納された更新された回数を第１基地局に送信してもよく、これにより、第１基地局は、一致したデータがクラスタにすでに格納された回数を更新する。
【０１３３】
３１７．第１基地局は、ＵＥにより送信されたリクエストメッセージに対応する一致したデータが格納される必要があるか判断する。
【０１３４】
具体的には、第１基地局は、リクエストメッセージが受信された回数を判断し、リクエストメッセージが受信された回数が第１閾値より大きいと判断されると、一致したデータをクラスタにコピーする際に許容される最大コピー数と、一致したデータがクラスタにすでに格納された回数とを取得する。一致したデータがクラスタにすでに格納された回数が一致したデータをクラスタにコピーする際に許容される最大コピー数未満であるとき、第１基地局は一致したデータを格納する。すなわち、一致したデータがクラスタにすでに格納された回数が一致したデータをクラスタにコピーする際に許容される最大コピー数未満であるとき、第１基地局は、一致したデータが格納される必要があると判断する。
【０１３５】
第１基地局は、リクエストメッセージが受信される回数をカウントする必要があり、リクエストメッセージが受信されたカウントされた回数と第１閾値とを比較する。リクエストメッセージが受信されたカウントされた回数が第１閾値より大きい場合、それは、第１基地局によりサービス提供されるＵＥが一致したデータを頻繁に取得する必要があることを示し、従って、第１基地局は、リクエストメッセージに対応して一致したデータを格納する必要がある。この場合、第１基地局は、一致したデータをクラスタにコピーする際に許容される最大コピー数と、一致したデータがクラスタにすでに格納された回数とを取得する。第１基地局は、一致したデータをクラスタにコピーする際に許容される最大コピー数と、一致したデータがクラスタにすでに格納された回数とを比較する。一致したデータをクラスタにコピーする際に許容される最大コピー数が一致したデータがクラスタにすでに格納された回数より大きいと比較を介し検出された場合、第１基地局は、リクエストメッセージに対応する一致したデータが格納可能であると判断する。一致したデータをクラスタにコピーする際に許容される最大コピー数が一致したデータがクラスタにすでに格納された回数より大きくないと比較を介し検出された場合、それは、リクエストメッセージに対応してクラスタに格納された一致したデータがすでに最大値に到達していることを示す。この場合、第１基地局は、図１０に示されるように、リクエストメッセージに対応して一致したデータを格納できない。
【０１３６】
任意的には、第１基地局が、第１基地局が配置されたクラスタのクラスタヘッドでない場合、第１基地局は、クラスタヘッドを利用することによって、一致したデータをクラスタにコピーする際に許容される最大コピー数と、一致したデータがクラスタにすでに格納された回数とを取得してもよい。第１基地局が、第１基地局が配置されたクラスタのクラスタヘッドである場合、第１基地局は、一致したデータをクラスタにコピーする際に許容される最大コピー数と、一致したデータがクラスタにすでに格納された回数とを直接取得し、ここで、最大コピー数と一致したデータがクラスタにすでに格納された回数とは、第１基地局に格納される。
【０１３７】
さらに、第１基地局が、リクエストメッセージが受信された回数が第１閾値より大きくないと判断すると、それは、第１基地局によりサービス提供されたＵＥが一致したデータを頻繁に取得する必要がないことを示し、第１基地局は、リクエストメッセージに対応して一致したデータを格納する必要はない。
【０１３８】
例えば、ＵＥにより第１基地局に送信されるリクエストメッセージはビデオリクエストメッセージであると想定される。この場合、第１基地局は、７である、ビデオリクエストメッセージが受信された回数をカウントする必要があり、第１閾値は５である。従って、第１基地局は、７である、ビデオリクエストメッセージが受信されたカウントされた回数と第１閾値５とを比較する。ビデオリクエストメッセージが受信されたカウントされた回数が第１閾値５より大きいことが検出され、これは、第１基地局によりサービス提供されるＵＥが当該ビデオ情報を頻繁にリクエストしていることを示す。従って、この場合、第１基地局がクラスタヘッドである場合、第１基地局は、８である、一致したデータをクラスタにコピーする際に許容される最大コピー数と、４である、一致したデータがクラスタに格納される回数とを取得し、ここで、最大コピー数と一致したデータがクラスタにすでに格納された回数とが第１基地局に格納される。第１基地局がクラスタヘッドでない場合、第１基地局は、クラスタヘッドを利用することによって、８である、一致したデータをクラスタにコピーする際に許容される最大コピー数と、４である、一致したデータがクラスタに格納された回数とを取得し、４である、一致したデータがクラスタに格納された回数が、４である、一致したデータをクラスタにコピーする際に許容される最大コピー数未満であることを検出する。従って、第１基地局は、ビデオリクエストメッセージに対応する一致したビデオ情報が格納可能であると判断する。
【０１３９】
第１閾値は予め設定されることが留意されるべきである。
【０１４０】
３１８．リクエストメッセージに対応する一致したデータが格納される必要があると判断された場合、第１基地局は、リクエストメッセージに対応する一致したデータを格納する。
【０１４１】
具体的には、リクエストメッセージに対応する一致したデータが格納される必要があると判断されると、第１基地局は、リクエストメッセージに対応する取得された一致したデータを第１基地局のフリーの記憶スペースに格納する。さらに、第１基地局は、一致したデータがクラスタにすでに格納された回数を更新する。
【０１４２】
第１基地局が、第１基地局が配置されたクラスタのクラスタヘッドである場合、第１基地局は、一致したデータがクラスタにすでに格納された回数を直接更新し、ここで、当該回数は第１基地局に格納される。
【０１４３】
第１基地局が、第１基地局が配置されたクラスタのクラスタヘッドでない場合、第１基地局は、一致したデータがクラスタにすでに格納された更新された回数をクラスタヘッドに送信してもよく、これにより、クラスタヘッドは、一致したデータがクラスタにすでに格納された回数を更新する。
【０１４４】
上記の具体例において述べられるように、第１基地局が、第１基地局が配置されたクラスタのクラスタヘッドである場合、第１基地局は、一致したデータがクラスタにすでに格納された回数を４から５に直接更新し、ここで、当該回数は第１基地局に格納される。
【０１４５】
第１基地局が、第１基地局が配置されたクラスタのクラスタヘッドでない場合、一致したビデオ情報をフリーの記憶スペースに格納するとき、第１基地局は、一致したデータがクラスタにすでに格納された回数を５に更新し、５である、一致したデータがクラスタに格納された回数をクラスタヘッドに送信してもよく、これにより、クラスタヘッドは、一致したデータがクラスタにすでに格納された回数を４から５に更新する。
【０１４６】
さらに、第１基地局が一致したデータを格納することは、第１基地局が、フリーの記憶スペースのサイズが一致したデータのサイズより大きいか判断し、フリーの記憶スペースのサイズが一致したデータのサイズより大きい場合、第１基地局が、一致したデータを直接格納し、フリーの記憶スペースのサイズが一致したデータのサイズより大きくない場合、第１基地局が、ＬＲＵ（Ｌｅａｓｔ  Ｒｅｃｅｎｔｌｙ  Ｕｓｅｄ、最も最近利用されていない）アルゴリズムに従ってフリーの記憶スペースを更新し、これにより、一致したデータを更新されたフリーの記憶スペースに格納することを含む。
【０１４７】
本発明の本実施例では、先入れ先出しアルゴリズムなどの他のアルゴリズムがまたフリーの記憶スペースを更新するのに利用されてもよいことが留意されるべきであり、本発明はこれに限定を設定しない。
【０１４８】
第１基地局がクラスタヘッドでないとき、第１基地局はまた、リクエストメッセージに対応する一致したデータを取得するため、第１基地局が配置されるクラスタのクラスタヘッドにリクエストメッセージを直接送信してもよいことが留意されるべきである。具体的には、第２基地局が第１基地局にリクエストメッセージを送信する処理が参照されてもよく、詳細はここでは再説明されない。
【０１４９】
３１９．第１基地局がクラスタヘッドであるとき、第１基地局は、クラスタにすでに格納されている一致したデータのサービス状態をモニタリングする。
【０１５０】
サービス状態は、サービス成功状態とサービス失敗状態とを有し、サービス成功状態は一致したデータが第１装置に送信されたことを表し、サービス失敗状態は一致したデータが第１装置に送信されないことを表す。
【０１５１】
具体的には、クラスタにおけるリクエストされたデータの量が大変大きくなると、クラスタにおいて設定される、一致したデータをクラスタにコピーする際に許容される最大コピー数がまた対応して調整されることを実現するため、第１基地局は、クラスタにすでに格納された一致したデータのサービス状態をモニタリングする必要があり、ここで、第１局は、第１基地局が配置されたクラスタのクラスタヘッドとして利用される。
【０１５２】
例えば、データ情報がビデオ情報である場合、クラスタにおけるビデオ情報へのアクセストラフィックが大変大きくなると、例えば、ビデオが百万回アクセスされると、クラスタにおいて設定される、ビデオ情報をクラスタにコピーする際に許容される最大コピー数がまた対応して調整される必要がある。当該目的を達成するため、第１基地局は、ビデオ情報のサービス状態をモニタリングする必要がある。
【０１５３】
３２０．第１基地局は、一致したデータのサービス状態に従って、一致したデータのサービス失敗状態の数と、クラスタにおける受信したリクエストメッセージの合計数とをカウントする。
【０１５４】
一致したデータのサービス失敗状態は、送信処理における長すぎるネットワーク遅延又は輻輳などの理由によって引き起こされうることが留意されるべきである。１つのデータ情報が複数のＵＥにより取得されると、一致したデータはサービス失敗状態に置かれてもよい。従って、クラスタにおけるリクエストされたデータ情報量が大変大きいとき、クラスタにおいて設定される、一致したデータをクラスタにコピーする際に許容される最大コピー数がまた対応して調整されることを達成するため、第１基地局は、一致したデータのサービス失敗状態の数をカウントする必要がある。
【０１５５】
クラスタにおける受信したリクエストメッセージの合計数をカウントすることは、第１装置により送信されたリクエストメッセージを含み、また、他の装置により送信され、第１基地局により受信されたリクエストメッセージを含む、クラスタにおける全ての受信されたリクエストメッセージをカウントすることを表す。
【０１５６】
３２１．第１基地局は、一致したデータのサービス失敗状態のカウントされた数と、クラスタにおける受信されたリクエストメッセージの合計数とを比較する。
【０１５７】
具体的には、第１基地局は、一致したデータのサービス失敗状態の数と、クラスタにおける受信したリクエストメッセージの合計数とをカウントし、一致したデータのサービス失敗状態のカウントされた数と、クラスタにおける受信したリクエストメッセージの合計数とを比較し、クラスタにおける受信したリクエストメッセージのカウントされた合計数に対する一致したデータのサービス失敗状態のカウントされた数のパーセンテージを取得してもよい。
【０１５８】
一致したデータのサービス失敗状態のカウントされた数と、クラスタにおける受信したリクエストメッセージのカウントされた合計数との間の差分がまた取得されてもよいし、又は、他の比較方法が利用されてもよいことが留意されるべきであり、本発明はこれに限定を設定しない。
【０１５９】
３２２．第１基地局は、比較結果に従って一致したデータをコピーする際に許容される最大コピー数を更新する。
【０１６０】
具体的には、比較結果が第２閾値より大きい場合、第１基地局は、一致したデータをコピーする際に許容される最大コピー数を増加するか、又は、比較結果が第３閾値より小さい場合、第１基地局は、一致したデータをコピーする際に許容される最大コピー数を減少する。
【０１６１】
第２閾値及び第３閾値は予め設定されることが留意されるべきである。
【０１６２】
例えば、ステップ３２１において、第１基地局は、クラスタにおける受信したリクエストメッセージのカウントされた合計数に対する一致したデータのサービス失敗状態のカウントされた数のパーセンテージを計算を介して取得することが想定される。第２閾値が１０％であり、第３閾値が５％である場合、且つ、クラスタにおける受信したリクエストメッセージのカウントされた合計数に対する一致したデータのサービス失敗状態のカウントされた数のパーセンテージが、第２閾値より大きい１５％であると計算された場合、第１基地局は、一致したデータをコピーする際の許容される最大コピー数を増加する必要がある。
【０１６３】
本発明の本実施例はデータ送信方法を提供する。第１装置により送信されたリクエストメッセージを受信した後、第１基地局は、リクエストメッセージにおけるリクエストされたデータの識別情報に従って格納されたデータにおいて抽出し、一致したデータが第１基地局に存在する場合、基地局は、一致したデータを第１装置に直接送信する。このようにして、データは基地局サイドに格納され、従って、基地局によりサービス提供される異なるユーザ装置が同じデータをリクエストするとき、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからＵＥに直接送信され、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０１６４】
本発明の実施例は基地局を提供する。図１１に示されるように、基地局は、送受信ユニット１１０１、抽出ユニット１１０２及び処理ユニット１１０３を有する。
【０１６５】
送受信ユニット１１０１は、第１装置により送信されたリクエストメッセージを受信するよう構成される。
【０１６６】
当該リクエストメッセージは、リクエストされたデータの識別情報と第１装置の識別情報とを含み、第１装置はユーザ装置又は第２基地局を有する。
【０１６７】
抽出ユニット１１０２は、送受信ユニット１１０１により受信された、リクエストされたデータの識別情報に従って格納されているデータにおいて抽出するよう構成される。
【０１６８】
処理ユニット１１０３は、抽出ユニット１１０２によって一致したデータが抽出されると、第１装置の識別情報に従って一致したデータを第１装置に送信するよう送受信ユニット１１０１をトリガするよう構成される。
【０１６９】
当該一致したデータは、リクエストされたデータの識別情報に一致するデータを表す。
【０１７０】
具体的には、処理ユニット１１０３は、具体的には、送受信ユニット１１０１がユーザ装置により送信されたリクエストメッセージを受信するとき、一致したデータが抽出ユニット１１０２により抽出されたとき、一致したデータをユーザ装置に送信するよう送受信ユニット１１０１をトリガするよう構成され、送受信ユニット１１０１が第２基地局により送信されたリクエストメッセージを受信したとき、一致したデータが抽出ユニット１１０２により抽出されたとき、一致したデータを第２基地局に送信するよう構成される。
【０１７１】
さらに、処理ユニット１１０３は更に、抽出ユニット１１０２により一致したデータが抽出されず、基地局がクラスタヘッドでないとき、モビリティ・マネージメント・エンティティを介しパケット・データ・ネットワーク・ゲートウェイにリクエストメッセージを送信するよう送受信ユニット１１０１をトリガするよう構成され、これにより、パケット・データ・ネットワーク・ゲートウェイは、クラスタヘッドとして用いられる第３基地局にリクエストメッセージを送信し、第３基地局は、リクエストされたデータの識別情報に従って、一致したデータが格納される第１記憶装置を決定し、第１記憶装置の識別情報を第１基地局に送信する。
【０１７２】
送受信ユニット１１０１は更に、第１記憶装置の識別情報を受信するよう構成される。
【０１７３】
送受信ユニット１１０１は更に、第１記憶装置の識別情報に従って第１記憶装置にリクエストメッセージを送信するよう構成され、これにより、第１記憶装置は、リクエストメッセージを受信した後、リクエストメッセージにおけるリクエストされたデータの識別情報に一致する格納された一致したデータを基地局に送信する。
【０１７４】
送受信ユニット１１０１は更に、第１記憶装置により送信された一致したデータを受信し、一致したデータを第１装置に送信するよう構成される。
【０１７５】
さらに、処理ユニット１１０３は更に、抽出ユニット１１０２によって一致したデータが抽出されず、当該基地局がクラスタヘッドであるとき、リクエストされたデータの識別情報に従って、一致したデータが格納される第２記憶装置を決定し、第２記憶装置の識別情報を取得するよう構成される。
【０１７６】
送受信ユニット１１０１は更に、処理ユニット１１０３によって取得された、第２記憶装置の識別情報に従ってリクエストメッセージを第２記憶装置に送信するよう構成され、これにより、第２記憶装置は、リクエストされたデータの識別情報に従って一致したデータを取得し、一致したデータを当該基地局に送信するよう構成される。
【０１７７】
送受信ユニット１１０１は更に、第２記憶装置により送信された一致したデータを受信するよう構成される。
【０１７８】
送受信ユニット１１０１は更に、一致したデータを第１装置に送信するよう構成される。
【０１７９】
あるいは、処理ユニット１１０３は更に、抽出ユニット１１０２によって一致したデータが抽出されず、当該基地局がクラスタヘッドであるとき、リクエストされたデータの識別情報に従って、リクエストされたデータの識別情報に一致する一致したデータが格納される第３記憶装置を決定し、第３記憶装置の識別情報を取得するよう構成される。
【０１８０】
送受信ユニット１１０１は更に、処理ユニット１１０３により取得された、第３記憶装置の識別情報を第１装置に送信するよう構成され、これにより、第１装置は、第３記憶装置の識別情報に従って第３記憶装置から一致したデータを取得する。
【０１８１】
図１２に示されるように、当該基地局は更に、リクエストメッセージが受信された回数を決定するよう構成される決定ユニット１１０４を有する。
【０１８２】
処理ユニット１１０３は更に、リクエストメッセージが受信された回数が第１閾値より大きいと判断されると、一致したデータをクラスタにコピーする際に許容される最大コピー数と、一致したデータがクラスタにすでに格納された回数とを取得するよう構成される。
【０１８３】
具体的には、処理ユニット１１０３は更に、当該基地局がクラスタヘッドでないとき、クラスタヘッドを利用することによって、一致したデータをクラスタにコピーする際に許容される最大コピー数と、一致したデータがクラスタにすでに格納された回数とを取得するよう構成される。
【０１８４】
処理ユニット１１０３は更に、一致したデータがクラスタにすでに格納された回数が、一致したデータをクラスタにコピーする際に許容される最大コピー数未満であるとき、一致したデータを格納し、一致したデータがクラスタにすでに格納された回数を更新するよう構成される。
【０１８５】
さらに、送受信ユニット１１０１は更に、当該基地局がクラスタヘッドでないとき、一致したデータがクラスタにすでに格納された回数をクラスタヘッドに送信するよう構成され、当該回数は処理ユニット１１０３によって更新され、これにより、クラスタヘッドは、一致したデータがクラスタにすでに格納された回数を更新する。
【０１８６】
さらに、決定ユニット１１０４は更に、フリーの記憶スペースのサイズが一致したデータのサイズより大きいか判断するよう構成される。
【０１８７】
処理ユニット１１０３は更に、決定ユニット１１０４が、フリーの記憶スペースのサイズが一致したデータのサイズより大きいと判断すると、一致したデータを直接格納し、決定ユニット１１０４が、フリーの記憶スペースのサイズが一致したデータのサイズより大きくないと判断すると、最も最近利用されていない（ＬＲＵ）アルゴリズムに従ってフリーの記憶スペースを更新し、更新されたフリーの記憶スペースに一致したデータを格納するよう構成される。
【０１８８】
図１３に示されるように、上記の基地局は更に、モニタリングユニット１１０５、カウントユニット１１０６、比較ユニット１１０７及び更新ユニット１１０８を有する。
【０１８９】
モニタリングユニット１１０５は、当該基地局がクラスタヘッドであるとき、クラスタにすでに格納される一致したデータのサービス状態をモニタリングするよう構成される。
【０１９０】
当該サービス状態は、サービス成功状態とサービス失敗状態とを有する。サービス成功状態は、一致したデータが第１装置に送信されることを表し、サービス失敗状態は、一致したデータが第１装置に送信されないことを表す。
【０１９１】
カウントユニット１１０６は、一致したデータのサービス状態に従って、一致したデータのサービス失敗状態の回数と、クラスタにおける受信されたリクエストメッセージの合計数とをカウントするよう構成される。
【０１９２】
比較ユニット１１０７は、カウントユニット１１０６によりカウントされた一致したデータのサービス失敗状態の個数と、カウントユニット１１０６によりカウントされたクラスタにおける受信したリクエストメッセージの合計数とを比較するよう構成される。
【０１９３】
更新ユニット１１０８は、比較ユニット１１０７により決定される比較結果に従って一致したデータをコピーする際に許容される最大コピー数を更新するよう構成される。
【０１９４】
具体的には、更新ユニット１１０８は、具体的には、比較ユニット１１０７により決定された比較結果が第２閾値より大きいとき、一致したデータをコピーする際に許容される最大コピー数を増加し、比較結果が第３閾値より小さいとき、一致したデータをコピーする際に許容される最大コピー数を減少するよう構成される。
【０１９５】
さらに、送受信ユニット１１０１は更に、ユーザ装置により送信された無線リソース制御リンク確立リクエストメッセージを受信するよう構成される。
【０１９６】
処理ユニット１１０３は更に、送受信ユニット１１０１により受信された無線リソース制御リンク確立リクエストメッセージに従って、ユーザ装置と無線リソース制御リンクを確立するよう構成される。
【０１９７】
本発明の本実施例は基地局を提供する。第１装置により送信されたリクエストメッセージが受信された後、格納されたデータがリクエストされたデータのリクエストメッセージにおける識別情報に従って抽出され、一致したデータが基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０１９８】
本発明の実施例はユーザ装置を提供する。図１４に示されるように、ユーザ装置は送受信ユニット１４０１及び処理ユニット１４０２を有する。
【０１９９】
送受信ユニット１４０１は、リクエストメッセージを第１基地局に送信するよう構成される。
【０２００】
当該リクエストメッセージは、リクエストされたデータの識別情報と当該ユーザ装置の識別情報とを含み、これにより、第１基地局は、リクエストされたデータの識別情報に従って第１基地局に格納されているデータにおいて抽出し、一致したデータが第１基地局に格納及び抽出された場合、第１基地局は、一致したデータを当該ユーザ装置に直接送信する。
【０２０１】
一致したデータは、リクエストされたデータの識別情報に一致するデータを表す。
【０２０２】
送受信ユニット１４０１は更に、リクエストメッセージに応答して第１基地局により送信されたレスポンスメッセージを受信するよう構成される。
【０２０３】
具体的には、レスポンスメッセージは一致したデータを有する。
【０２０４】
送受信ユニット１４０１は、具体的には、第１基地局により送信された一致したデータを受信するよう構成される。
【０２０５】
あるいは、レスポンスメッセージは、一致したデータが格納される第３記憶装置の識別情報を有する。
【０２０６】
送受信ユニット１４０１は、具体的には、第１基地局により送信された、一致したデータが格納される第３記憶装置の識別情報を受信するよう構成される。
【０２０７】
処理ユニット１４０２は、具体的には、送受信ユニット１４０１により受信されたレスポンスデータに従って対応する処理を実行するよう構成される。
【０２０８】
具体的には、送受信ユニット１４０１が、第１基地局により一致したデータが格納される第３記憶装置の識別情報を受信すると、処理ユニット１４０２は、具体的には、送受信ユニット１４０１により受信される、一致したデータが格納された第３記憶装置の識別情報に従って第３記憶装置から一致したデータを取得するよう構成される。
【０２０９】
処理ユニット１４０２は、送受信ユニット１４０１により受信された、一致したデータが格納された第３記憶装置の識別情報に従って第３記憶装置とのデバイス・ツー・デバイスリンクを確立し、デバイス・ツー・デバイスリンクを介し第３記憶装置から一致したデータを取得するよう構成される。
【０２１０】
送受信ユニット１４０１が第１基地局により送信された一致したデータを受信すると、処理ユニット１４０２は、具体的には、送受信ユニット１４０１により受信された一致したデータに従って対応する処理を実行するよう構成される。
【０２１１】
さらに、図１５に示されるように、ユーザ装置は、リクエストメッセージが第１基地局に送信された回数を決定するよう構成される決定ユニット１４０３を有する。
【０２１２】
処理ユニット１４０２は更に、リクエストメッセージが第１基地局に送信された回数が第１閾値より大きいと判断されると、一致したデータをクラスタにコピーする際に許容される最大コピー数と、一致したデータがクラスタにすでに格納された回数とをクラスタヘッドから取得するよう構成される。
【０２１３】
具体的には、クラスタヘッドが第１基地局であるとき、処理ユニット１４０２は、具体的には、リクエストメッセージが第１基地局に送信された回数が第１閾値より大きいと判断されると、一致したデータをクラスタにコピーする際に許容される最大コピー数と、一致したデータがクラスタにすでに格納された回数とを第１基地局から取得するよう構成される。
【０２１４】
処理ユニット１４０２は更に、一致したデータがクラスタにすでに格納された回数が一致したデータをクラスタにコピーする際に許容される最大コピー数未満であるとき、一致したデータを格納し、一致したデータがクラスタにすでに格納された回数を更新するよう構成される。
【０２１５】
送受信ユニット１４０１は更に、一致したデータがクラスタにすでに格納された回数をクラスタヘッドに送信するよう構成され、ここで、当該回数は処理ユニット１４０２により更新され、これにより、クラスタヘッドは、一致したデータがクラスタにすでに格納された回数を更新する。
【０２１６】
さらに、送受信ユニット１４０１は更に、無線リソース制御リンク確立リクエストメッセージを第１基地局に送信するよう構成され、これにより、第１基地局は、ユーザ装置と無線リソース制御リンクを確立する。
【０２１７】
さらに、送受信ユニット１４０１は更に、パケットデータリンク確立リクエストメッセージをモビリティ・マネージメント・エンティティに送信するよう構成され、ここで、リクエストメッセージはパケットデータアドレス情報を含み、これにより、モビリティ・マネージメント・エンティティは、パケットデータリンク確立リクエストメッセージに含まれるパケットデータアドレス情報に従って、ユーザ装置とパケット・データ・ネットワーク・ゲートウェイとの間のベアラリンクを確立する。
【０２１８】
本発明の本実施例はユーザ装置を提供する。リクエストメッセージが第１基地局に送信され、これにより、第１基地局は、ユーザ装置により送信されたリクエストメッセージを受信した後、リクエストされたデータのリクエストメッセージにおける識別情報に従って第１基地局に格納されたデータにおいて抽出し、一致したデータが第１基地局に格納されている場合、第１基地局は、一致したデータをユーザ装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２１９】
図１６に示されるように、本発明の実施例は、送受信機１６０１、メモリ１６０２及び送受信機１６０１とメモリ１６０２との双方に接続されたプロセッサ１６０３を有する基地局を提供する。おそらく、基地局は更に、アンテナ、ベースバンド処理コンポーネント、中間無線周波数処理コンポーネント及び入出力装置などの一般的なパーツを有してもよく、本発明の本実施例はこれに限定を設定しない。
【０２２０】
メモリ１６０２は、プログラムコードセットを記憶し、プロセッサ１６０３は、メモリ１６０２におけるプログラムコードを呼び出すよう構成される。送受信機１６０１及びプロセッサ１６０３の具体的な実現処理は以下の通りである。
【０２２１】
送受信機１６０１は、第１装置により送信されたリクエストメッセージを受信するよう構成される。
【０２２２】
当該リクエストメッセージは、リクエストされたデータの識別情報と第１装置の識別情報とを含み、第１装置はユーザ装置又は第２基地局を有する。
【０２２３】
プロセッサ１６０３は、送受信機１６０１により受信された、リクエストされたデータの識別情報に従って格納されているデータにおいて抽出するよう構成される。
【０２２４】
プロセッサ１６０３は、一致したデータが抽出されると、第１装置の識別情報に従って一致したデータを第１装置に送信するよう送受信機１６０１をトリガするよう構成される。
【０２２５】
当該一致したデータは、リクエストされたデータの識別情報に一致するデータを表す。
【０２２６】
具体的には、プロセッサ１６０３は、具体的には、送受信機１６０１がユーザ装置により送信されたリクエストメッセージを受信するとき、一致したデータがプロセッサ１６０３により抽出されたとき、一致したデータをユーザ装置に送信するよう送受信機１６０１をトリガするよう構成され、送受信機１６０１が第２基地局により送信されたリクエストメッセージを受信したとき、一致したデータがプロセッサ１６０３により抽出されたとき、一致したデータを第２基地局に送信するよう構成される。
【０２２７】
さらに、プロセッサ１６０３は更に、一致したデータが抽出されず、基地局がクラスタヘッドでないとき、モビリティ・マネージメント・エンティティを介しパケット・データ・ネットワーク・ゲートウェイにリクエストメッセージを送信するよう送受信機１６０１をトリガするよう構成され、これにより、パケット・データ・ネットワーク・ゲートウェイは、クラスタヘッドとして用いられる第３基地局にリクエストメッセージを送信し、第３基地局は、リクエストされたデータの識別情報に従って、一致したデータが格納される第１記憶装置を決定し、第１記憶装置の識別情報を第１基地局に送信する。
【０２２８】
送受信機１６０１は更に、第１記憶装置の識別情報を受信するよう構成される。
【０２２９】
送受信機１６０１は更に、第１記憶装置の識別情報に従って第１記憶装置にリクエストメッセージを送信するよう構成され、これにより、第１記憶装置は、リクエストメッセージを受信した後、リクエストメッセージにおけるリクエストされたデータの識別情報に一致する格納された一致したデータを基地局に送信する。
【０２３０】
送受信機１６０１は更に、第１記憶装置により送信された一致したデータを受信し、一致したデータを第１装置に送信するよう構成される。
【０２３１】
さらに、プロセッサ１６０３は更に、一致したデータが抽出されず、当該基地局がクラスタヘッドであるとき、リクエストされたデータの識別情報に従って、一致したデータが格納される第２記憶装置を決定し、第２記憶装置の識別情報を取得するよう構成される。
【０２３２】
送受信機１６０１は更に、プロセッサ１６０３によって取得された、第２記憶装置の識別情報に従ってリクエストメッセージを第２記憶装置に送信するよう構成され、これにより、第２記憶装置は、リクエストされたデータの識別情報に従って一致したデータを取得し、一致したデータを当該基地局に送信するよう構成される。
【０２３３】
送受信機１６０１は更に、第２記憶装置により送信された一致したデータを受信するよう構成される。
【０２３４】
送受信機１６０１は更に、一致したデータを第１装置に送信するよう構成される。
【０２３５】
あるいは、プロセッサ１６０３は更に、一致したデータが抽出されず、当該基地局がクラスタヘッドであるとき、リクエストメッセージにおけるリクエストされたデータの識別情報に従って、リクエストされたデータの識別情報に一致する一致したデータが格納される第３記憶装置を決定し、第３記憶装置の識別情報を取得するよう構成される。
【０２３６】
送受信機１６０１は更に、プロセッサ１６０３により取得された、第３記憶装置の識別情報を第１装置に送信するよう構成され、これにより、第１装置は、第３記憶装置の識別情報に従って第３記憶装置から一致したデータを取得する。
【０２３７】
プロセッサ１６０３は更に、リクエストメッセージが受信された回数を決定するよう構成される。
【０２３８】
プロセッサ１６０３は更に、リクエストメッセージが受信された回数が第１閾値より大きいと判断されると、一致したデータをクラスタにコピーする際に許容される最大コピー数と、一致したデータがクラスタにすでに格納された回数とを取得するよう構成される。
【０２３９】
さらに、プロセッサ１６０３は更に、当該基地局がクラスタヘッドでないとき、クラスタヘッドを利用することによって、一致したデータをクラスタにコピーする際に許容される最大コピー数と、一致したデータがクラスタにすでに格納された回数とを取得するよう構成される。
【０２４０】
プロセッサ１６０３は更に、一致したデータがクラスタにすでに格納された回数が、一致したデータをクラスタにコピーする際に許容される最大コピー数未満であるとき、一致したデータを格納し、一致したデータがクラスタにすでに格納された回数を更新するよう構成される。
【０２４１】
さらに、送受信機１６０１は更に、当該基地局がクラスタヘッドでないとき、一致したデータがクラスタにすでに格納された回数をクラスタヘッドに送信するよう構成され、当該回数はプロセッサ１６０３によって更新され、これにより、クラスタヘッドは、一致したデータがクラスタにすでに格納された回数を更新する。
【０２４２】
さらに、プロセッサ１６０３は更に、フリーの記憶スペースのサイズが一致したデータのサイズより大きいか判断するよう構成される。
【０２４３】
プロセッサ１６０３は更に、フリーの記憶スペースのサイズが一致したデータのサイズより大きいと判断されると、一致したデータを直接格納し、フリーの記憶スペースのサイズが一致したデータのサイズより大きくないと判断されると、最も最近利用されていないアルゴリズムに従ってフリーの記憶スペースを更新し、更新されたフリーの記憶スペースに一致したデータを格納するよう構成される。
【０２４４】
プロセッサ１６０３は、当該基地局がクラスタヘッドであるとき、クラスタにすでに格納される一致したデータのサービス状態をモニタリングするよう構成される。
【０２４５】
当該サービス状態は、サービス成功状態とサービス失敗状態とを有し、ここで、サービス成功状態は、一致したデータが第１装置に送信されることを表し、サービス失敗状態は、一致したデータが第１装置に送信されないことを表す。
【０２４６】
プロセッサ１６０３は更に、一致したデータのサービス状態に従って、一致したデータのサービス失敗状態の回数と、クラスタにおける受信されたリクエストメッセージの合計数とをカウントするよう構成される。
【０２４７】
プロセッサ１６０３は更に、一致したデータのサービス失敗状態のカウントされた個数と、クラスタにおける受信したリクエストメッセージの合計数とを比較するよう構成される。
【０２４８】
プロセッサ１６０３は、決定された比較結果に従って一致したデータをコピーする際に許容される最大コピー数を更新するよう構成される。
【０２４９】
具体的には、プロセッサ１６０３は、具体的には、比較結果が第２閾値より大きいとき、一致したデータをコピーする際に許容される最大コピー数を増加し、比較結果が第３閾値より小さいとき、一致したデータをコピーする際に許容される最大コピー数を減少するよう構成される。
【０２５０】
さらに、送受信機１６０１は更に、ユーザ装置により送信された無線リソース制御リンク確立リクエストメッセージを受信するよう構成される。
【０２５１】
プロセッサ１６０３は更に、送受信機１６０１により受信された無線リソース制御リンク確立リクエストメッセージに従って、ユーザ装置と無線リソース制御リンクを確立するよう構成される。
【０２５２】
本発明の本実施例は基地局を提供する。第１装置により送信されたリクエストメッセージが受信された後、格納されたデータがリクエストされたデータのリクエストメッセージにおける識別情報に従って抽出され、一致したデータが基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２５３】
図１７に示されるように、本発明の実施例は、送受信機１７０１、メモリ１７０２及び送受信機１７０１とメモリ１７０２との双方に接続されたプロセッサ１７０３を有するユーザ装置を提供する。おそらく、ユーザ装置は他の一般的なパーツを有してもよく、本発明の本実施例はこれに限定を設定しない。
【０２５４】
メモリ１７０２は、プログラムコードセットを記憶し、プロセッサ１７０３は、メモリ１７０２におけるプログラムコードを呼び出すよう構成される。プロセッサ１７０３及び送受信機１７０１は、以下の処理を実行するよう構成される。
【０２５５】
送受信機１７０１は、リクエストメッセージを第１基地局に送信するよう構成される。
【０２５６】
当該リクエストメッセージは、リクエストされたデータの識別情報と当該ユーザ装置の識別情報とを含み、これにより、第１基地局は、リクエストされたデータの識別情報に従って第１基地局に格納されているデータにおいて抽出し、一致したデータが第１基地局に格納及び抽出された場合、第１基地局は、一致したデータを当該ユーザ装置に直接送信する。
【０２５７】
一致したデータは、リクエストされたデータの識別情報に一致するデータを表す。
【０２５８】
送受信機１７０１は更に、データリクエストメッセージに応答して第１基地局により送信されたレスポンスメッセージを受信するよう構成される。
【０２５９】
具体的には、レスポンスメッセージは一致したデータを有する。
【０２６０】
送受信機１７０１は、具体的には、第１基地局により送信された一致したデータを受信するよう構成される。
【０２６１】
あるいは、レスポンスメッセージは、一致したデータが格納される第３記憶装置の識別情報を有する。
【０２６２】
送受信機１７０１は、具体的には、第１基地局により送信された、一致したデータが格納される第３記憶装置の識別情報を受信するよう構成される。
【０２６３】
プロセッサ１７０３は、具体的には、送受信機１７０１により受信されたレスポンスデータに従って対応する処理を実行するよう構成される。
【０２６４】
具体的には、送受信機１７０１が、第１基地局により送信された、一致したデータが格納される第３記憶装置の識別情報を受信すると、プロセッサ１７０３は、具体的には、一致したデータが格納された第３記憶装置の受信した識別情報に従って第３記憶装置から一致したデータを取得するよう構成される。
【０２６５】
プロセッサ１７０３は、送受信機１７０１により受信された、一致したデータが格納された第３記憶装置の識別情報に従って第３記憶装置とのデバイス・ツー・デバイスリンクを確立し、デバイス・ツー・デバイスリンクを介し第３記憶装置から一致したデータを取得するよう構成される。
【０２６６】
送受信機１７０１が第１基地局により送信された一致したデータを受信すると、プロセッサ１７０３は、具体的には、送受信機１７０１により受信された一致したデータに従って対応する処理を実行するよう構成される。
【０２６７】
プロセッサ１７０３は、リクエストメッセージが第１基地局に送信された回数を決定するよう構成される。
【０２６８】
プロセッサ１７０３は更に、リクエストメッセージが第１基地局に送信された回数が第１閾値より大きいと判断されると、一致したデータをクラスタにコピーする際に許容される最大コピー数と、一致したデータがクラスタにすでに格納された回数とをクラスタヘッドから取得するよう構成される。
【０２６９】
具体的には、クラスタヘッドが第１基地局であるとき、プロセッサ１７０３は、具体的には、リクエストメッセージが第１基地局に送信された回数が第１閾値より大きいと判断されると、一致したデータをクラスタにコピーする際に許容される最大コピー数と、一致したデータがクラスタにすでに格納された回数とを第１基地局から取得するよう構成される。
【０２７０】
プロセッサ１７０３は更に、一致したデータがクラスタにすでに格納された回数が一致したデータをクラスタにコピーする際に許容される最大コピー数未満であるとき、一致したデータを格納し、一致したデータがクラスタにすでに格納された回数を更新するよう構成される。
【０２７１】
送受信機１７０１は更に、一致したデータがクラスタにすでに格納された回数をクラスタヘッドに送信するよう構成され、ここで、当該回数はプロセッサ１７０３により更新され、これにより、クラスタヘッドは、一致したデータがクラスタにすでに格納された回数を更新する。
【０２７２】
さらに、送受信機１７０１は更に、無線リソース制御リンク確立リクエストメッセージを第１基地局に送信するよう構成され、これにより、第１基地局は、ユーザ装置ＵＥと無線リソース制御リンクを確立する。
【０２７３】
さらに、送受信機１７０１は更に、パケットデータリンク確立リクエストメッセージをモビリティ・マネージメント・エンティティに送信するよう構成され、ここで、リクエストメッセージはパケットデータアドレス情報を含み、これにより、モビリティ・マネージメント・エンティティは、パケットデータリンク確立リクエストメッセージに含まれるパケットデータアドレス情報に従って、ユーザ装置とパケット・データ・ネットワーク・ゲートウェイとの間のベアラリンクを確立する。
【０２７４】
本発明の本実施例はユーザ装置を提供する。リクエストメッセージが第１基地局に送信され、これにより、第１基地局は、ユーザ装置により送信されたリクエストメッセージを受信した後、リクエストされたデータのリクエストメッセージにおける識別情報に従って第１基地局に格納されたデータにおいて抽出し、一致したデータが第１基地局に格納されている場合、第１基地局は、一致したデータをユーザ装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２７５】
図１８に示されるように、本発明の実施例は、モビリティ・マネージメント・エンティティ（ＭＭＥ）１８０１、パケット・データ・ネットワーク・ゲートウェイ１８０２、少なくとも１つの基地局１８０３及び少なくとも１つのユーザ装置１８０４を有するデータ送信システムを提供する。基地局１８０３は、上記の実施例において説明された基地局であり、ユーザ装置１８０４は、上記の実施例において説明されたユーザ装置である。
【０２７６】
本発明の本実施例は、データ送信方法、装置及びシステムを提供する。第１装置により送信されたリクエストメッセージを受信した後、基地局は、リクエストされたデータのリクエストメッセージにおける識別情報に従って格納されたデータにおいて抽出し、一致したデータが第１基地局に存在する場合、基地局は、一致したデータを第１装置に直接送信する。このようにして、データが基地局サイドに格納され、従って、基地局によりサービス提供される異なるユーザ装置が同じデータをリクエストすると、基地局は、一致したデータを異なるユーザ装置に送信してもよく、リクエストメッセージをネットワークサイドに送信することが不要であり、異なるユーザ装置に同じデータ情報を送信するため複数の同じリンクをネットワークサイドが確立することが不要であり、これにより、データ送信により占有されるコアネットワーク帯域幅リソースを低減する。さらに、データは基地局サイドからユーザ装置に直接送信され、これは、ユーザ装置の待機時間を低減し、ユーザ体感を向上させる。基地局サイドにおけるデータ情報の記憶状態は、ユーザ装置のデータ情報要求に従って動的に変更され、システム記憶スペースの可用性を更に向上させる。
【０２７７】
上記の説明は、本発明の単なる具体的な実現方式であり、本発明の保護範囲を限定することを意図しない。本発明において開示される技術的範囲内において当業者により容易に理解される何れかの変形又は置換は、本発明の保護範囲内に属する。従って、本発明の保護範囲は、請求項の保護範囲に従う。
【０２７８】
本発明の実施例は、データ送信方法であって、
第１基地局が、第１装置により送信されたリクエストメッセージを受信するステップであって、前記リクエストメッセージは、リクエストされたデータの識別情報と前記第１装置の識別情報とを含み、前記第１装置はユーザ装置又は第２基地局を含む、受信するステップと、
前記第１基地局が、前記リクエストされたデータの識別情報に従って格納されているデータにおいて抽出するステップと、
一致したデータが抽出されると、前記第１基地局が、前記第１装置の識別情報に従って前記一致したデータを前記第１装置に送信するステップであって、前記一致したデータは、前記リクエストされたデータの識別情報に一致するデータを表す、送信するステップと、
を有するデータ送信方法を提供する。
【０２７９】
当該実施例によるデータ送信方法の第１の展開では、前記第１基地局が第１装置により送信されたリクエストメッセージを受信した後に、当該方法は更に、
前記第１基地局が、前記第１基地局がクラスタヘッドであるとき、前記クラスタにすでに格納されている一致したデータのサービス状態をモニタリングするステップであって、前記サービス状態はサービス成功状態とサービス失敗状態とを有し、前記サービス成功状態は前記一致したデータが前記第１装置に送信されることを表し、前記サービス失敗状態は前記一致したデータが前記第１装置に送信されないことを表す、モニタリングするステップと、
前記第１基地局が、前記一致したデータのサービス状態に従って、前記一致したデータのサービス失敗状態の数と、前記クラスタにおける受信したリクエストメッセージの合計数とをカウントするステップと、
前記第１基地局が、前記一致したデータのサービス失敗状態のカウントされた数と、前記クラスタにおける受信したリクエストメッセージの合計数とを比較するステップと、
前記第１基地局が、比較結果に従って前記一致したデータをコピーする際に許容される最大コピー数を更新するステップと、
を有する。
【０２８０】
本発明の実施例は、データ送信方法であって、
ユーザ装置が、リクエストメッセージを第１基地局に送信し、前記リクエストメッセージは、リクエストされたデータの識別情報と前記ユーザ装置の識別情報とを含み、前記第１基地局は、前記リクエストされたデータの識別情報に従って前記第１基地局に格納されたデータにおいて抽出し、一致したデータが前記第１基地局に格納及び抽出された場合、前記第１基地局が、前記一致したデータを前記ユーザ装置に直接送信するステップであって、前記一致したデータは、前記リクエストされたデータの識別情報に一致するデータを表す、送信するステップと、
前記ユーザ装置が、前記リクエストメッセージに応答して、前記第１基地局により送信されたレスポンスメッセージを受信し、前記レスポンスメッセージに従って対応する処理を実行するステップと、
を有するデータ送信方法を提供する。
【０２８１】
当該実施例によるデータ送信方法の第１の展開では、前記レスポンスメッセージは、前記一致したデータを有し、
前記ユーザ装置が、前記リクエストメッセージに応答して、前記第１基地局により送信されたレスポンスメッセージを受信し、前記レスポンスメッセージに従って対応する処理を実行するステップは、
前記ユーザ装置が、前記第１基地局により送信された前記一致したデータを受信し、前記一致したデータに従って前記対応する処理を実行するステップを有する。
【０２８２】
当該実施例によるデータ送信方法の第２の展開では、前記リクエストメッセージに応答した前記レスポンスメッセージは、前記一致したデータが格納される第３記憶装置の識別情報を有し、
前記ユーザ装置が、前記リクエストメッセージに応答して、前記第１基地局により送信されたレスポンスメッセージを受信し、前記レスポンスメッセージに従って対応する処理を実行するステップは、
前記ユーザ装置が、前記第１基地局により送信された、前記一致したデータが格納される第３記憶装置の識別情報を受信するステップと、
前記ユーザ装置が、前記第３記憶装置の識別情報に従って前記第３記憶装置から前記一致したデータを取得するステップと、を有する。
【０２８３】
当該実施例によるデータ送信方法の第３の展開では、前記ユーザ装置がリクエストメッセージを第１基地局に送信した後、当該方法は更に、
前記ユーザ装置が、前記リクエストメッセージが前記第１基地局に送信された回数を決定するステップと、
前記リクエストメッセージが前記第１基地局に送信された回数が第１閾値より大きいと判断されると、前記ユーザ装置が、前記一致したデータをクラスタにコピーする際に許容される最大コピー数と、前記一致したデータが前記クラスタにすでに格納された回数とをクラスタヘッドから取得するステップと、
前記一致したデータが前記クラスタにすでに格納された回数が、前記一致したデータを前記クラスタにコピーする際に許容される最大コピー数未満である場合、前記ユーザ装置が、前記一致したデータを格納し、前記一致したデータが前記クラスタにすでに格納された回数を更新するステップと、前記ユーザ装置が、前記一致したデータが前記クラスタにすでに格納された更新された回数を前記クラスタヘッドに送信するステップであって、前記クラスタヘッドは、前記一致したデータが前記クラスタにすでに格納された回数を更新する、送信するステップと、を有する。
【０２８４】
本発明の実施例は、基地局であって、第１装置により送信されたリクエストメッセージを受信するよう構成される送受信ユニットであって、前記リクエストメッセージは、リクエストされたデータの識別情報と前記第１装置の識別情報とを含み、前記第１装置はユーザ装置又は第２基地局を有する、送受信ユニットと、
前記送受信ユニットにより受信された、前記リクエストされたデータの識別情報に従って格納されているデータにおいて抽出するよう構成される抽出ユニットと、
前記抽出ユニットによって一致したデータが抽出されると、前記第１装置の識別情報に従って前記一致したデータを前記第１装置に送信するよう前記送受信ユニットをトリガするよう構成される処理ユニットであって、前記一致したデータは前記リクエストされたデータの識別情報に一致するデータを表す、処理ユニットと、
を有する基地局を提供する。
【０２８５】
当該実施例による基地局の第１の展開では、更に、
前記第１基地局がクラスタヘッドであるとき、前記クラスタにすでに格納されている一致したデータのサービス状態をモニタリングするよう構成されるモニタリングユニットであって、前記サービス状態はサービス成功状態とサービス失敗状態とを有し、前記サービス成功状態は前記一致したデータが前記第１装置に送信されることを表し、前記サービス失敗状態は前記一致したデータが前記第１装置に送信されないことを表す、モニタリングユニットと、
前記一致したデータのサービス状態に従って、前記一致したデータのサービス失敗状態の数と、前記クラスタにおける受信したリクエストメッセージの合計数とをカウントするよう構成されるカウントユニットと、
前記一致したデータのサービス失敗状態の前記カウントユニットによりカウントされた数と、前記クラスタにおける受信したリクエストメッセージの合計数とを比較するよう構成される比較ユニットと、
前記比較ユニットにより決定された比較結果に従って前記一致したデータをコピーする際に許容される最大コピー数を更新するよう構成される更新ユニットと、
を有する。
【０２８６】
当該実施例による基地局の第２の展開では、前記更新ユニットは、具体的には、前記比較ユニットにより決定された比較結果が第２閾値より大きいとき、前記一致したデータをコピーする際に許容される最大コピー数を増加し、前記比較結果が第３閾値未満であるとき、前記一致したデータをコピーする際に許容される最大コピー数を減少させるよう構成される。
【０２８７】
当該実施例による基地局の第３の展開では、前記決定ユニットは更に、フリーの記憶スペースのサイズが前記一致したデータの際すより大きいか判断するよう構成され、
前記処理ユニットは更に、前記決定ユニットが、前記フリーの記憶スペースのサイズが前記一致したデータのサイズより大きいと判断すると、前記一致したデータを直接格納し、前記決定ユニットが、前記フリーの記憶スペースのサイズが前記一致したデータのサイズより大きくないと判断すると、最も最近利用されていないアルゴリズムに従って前記フリーの記憶スペースを更新し、前記更新されたフリーの記憶スペースに前記一致したデータを格納するよう構成される。
【０２８８】
本発明の実施例は、ユーザ装置であって、
リクエストメッセージを第１基地局に送信するよう構成される送受信ユニットであって、前記リクエストメッセージは、リクエストされたデータの識別情報と当該ユーザ装置の識別情報とを含み、前記第１基地局は、前記リクエストされたデータの識別情報に従って前記第１基地局に格納されているデータにおいて抽出し、一致したデータが前記第１基地局に格納及び抽出された場合、前記第１基地局は、前記一致したデータを当該ユーザ装置に直接送信し、前記一致したデータは、前記リクエストされたデータの識別情報に一致するデータを表し、
前記送受信ユニットは更に、前記リクエストメッセージに応答して前記第１基地局により送信されたレスポンスメッセージを受信するよう構成される、送受信ユニットと、
前記送受信ユニットにより受信されたレスポンスメッセージに従って対応する処理を実行するよう構成される処理ユニットと、
を有するユーザ装置を提供する。
【０２８９】
当該実施例によるユーザ装置の第１の展開では、前記レスポンスメッセージは、前記一致したデータを有し、
前記送受信ユニットは、具体的には、前記第１基地局により送信された前記一致したデータを受信するよう構成され、
前記処理ユニットは、具体的には、前記送受信ユニットにより受信された前記一致したデータに従って前記対応する処理を実行するよう構成される。
【０２９０】
当該実施例によるユーザ装置の第２の展開では、前記レスポンスメッセージは、前記一致したデータが格納される第３記憶装置の識別情報を有し、
前記送受信ユニットは、具体的には、前記第１基地局により送信された、前記一致したデータが格納される第３記憶装置の識別情報を受信するよう構成され、
前記処理ユニットは、具体的には、前記送受信ユニットにより受信された、前記第３記憶装置の識別情報に従って、前記第３記憶装置から前記一致したデータを取得するよう構成される。
【０２９１】
当該実施例によるユーザ装置の第３の展開では、更に、
前記リクエストメッセージが前記第１基地局に送信された回数を決定するよう構成される決定ユニットを有し、
前記処理ユニットは更に、前記リクエストメッセージが前記第１基地局に送信された回数が第１閾値より大きいと判断されると、前記一致したデータをクラスタにコピーする際に許容される最大コピー数と、前記一致したデータが前記クラスタにすでに格納された回数とをクラスタヘッドから取得するよう構成され、
前記処理ユニットは更に、前記一致したデータが前記クラスタにすでに格納された回数が、前記一致したデータを前記クラスタにコピーする際に許容される最大コピー数未満であるとき、前記一致したデータを格納し、前記一致したデータが前記クラスタにすでに格納された回数を更新するよう構成され、
前記送受信ユニットは更に、前記一致したデータが前記クラスタにすでに格納された回数を前記クラスタヘッドに送信するよう構成され、前記回数は前記処理ユニットにより更新され、前記クラスタヘッドは、前記一致したデータが前記クラスタにすでに格納された回数を更新する。
【０２９２】
本発明の実施例は、モビリティ・マネージメント・エンティティ、パケット・データ・ネットワーク・ゲートウェイ、少なくとも１つの基地局及び少なくとも１つのユーザ装置を有するデータ送信システムであって、前記基地局は、上記の実施例に記載された基地局であり、前記ユーザ装置は、上記の実施例に記載されたユーザ装置であるデータ送信システムを提供する。
【手続補正３】
【補正対象書類名】図面
【補正対象項目名】図２
【補正方法】変更
【補正の内容】
【図２】
2016517643.tif 000021
【国際調査報告】
2016517643.tif 000022
2016517643.tif 000023
2016517643.tif 000024
2016517643.tif 000025